(57)【要約】【課題】高精細な主映像、高画質な副映像の表示、大容量化、フォーマットの高い互換性確保、アドレス情報および記録データの再生に対する高信頼化を得る。【解決手段】情報記録面の情報記録用トラックとしてランドとグルーブが半径方向に交互に配置され、リードインエリア、リードアウトエリア間は複数ゾーンに区分され、アドレス情報は１８０度の位相変調によるウォーブル変調により記録され、前記アドレス情報は、先行して配置される第１のトラック情報とその直後に配置される第２のトラック情報を含み、図５８のように不定ビットが分散配置されており、トラックに記録される１個のＥＣＣブロックが２個小ＥＣＣブロックから構成されると共に３２個の記録フレームを構成し、１６のパリティ行は２個の記録フレームおきに１行ずつ配置された状態で記録されている。【選択図】図２８
2008010147.tif 000002
【特許請求の範囲】
【請求項１】
情報記録面の情報記録用トラックとしてランドとグルーブが半径方向に交互に配置されて形成されており、
リードインエリア、リードアウトエリア間に挟まれた上記情報記録面は複数ゾーンに区分されており、
上記情報記録用トラックのアドレス情報は１８０度の位相変調によるウォーブル変調により記録され、
前記アドレス情報は、先行して配置される第１のトラック情報とその直後に配置される第２のトラック情報を含み、
上記ランドとグルーブが半径方向に交互に配置される事により前記第１のトラック情報と前記第２のトラック情報内に不定ビットが分散配置されており、
上記情報記録用トラックに記録される１個のＥＣＣブロックが２個小ＥＣＣブロックから構成されると共に３２個の記録フレームを構成し、１６のパリティ行は２個の記録フレームおきに１行ずつ配置された状態で記録されていることを特徴とする情報記録媒体。
【請求項２】
請求項１記載の情報記録媒体において、同期コードが付加されていることを特徴とする情報記録媒体。
【請求項３】
情報記録面の情報記録用トラックとしてランドとグルーブが半径方向に交互に配置されて形成されており、
リードインエリア、リードアウトエリア間に挟まれた上記情報記録面は複数ゾーンに区分されており、
上記情報記録用トラックのアドレス情報は１８０度の位相変調によるウォーブル変調により記録され、
前記アドレス情報は、先行して配置される第１のトラック情報とその直後に配置される第２のトラック情報を含み、
上記ランドとグルーブが半径方向に交互に配置される事により前記第１のトラック情報と前記第２のトラック情報内に不定ビットが分散配置されており、
上記情報記録用トラックに記録される１個のＥＣＣブロックが２個小ＥＣＣブロックから構成されると共に３２個の記録フレームを構成し、１６のパリティ行は２個の記録フレームおきに１行ずつ配置された状態で記録することを特徴とする情報記録方法。
【請求項４】
請求項３において、さらに同期コードを付加することを特徴とする情報記録方法。
【請求項５】
情報記録面の情報記録用トラックとしてランドとグルーブが半径方向に交互に配置されて形成されており、
リードインエリア、リードアウトエリア間に挟まれた上記情報記録面は複数ゾーンに区分されており、
上記情報記録用トラックのアドレス情報は１８０度の位相変調によるウォーブル変調により記録され、
前記アドレス情報は、先行して配置される第１のトラック情報とその直後に配置される第２のトラック情報を含み、
上記ランドとグルーブが半径方向に交互に配置される事により前記第１のトラック情報と前記第２のトラック情報内に不定ビットが分散配置されており、
上記情報記録用トラックに記録される１個のＥＣＣブロックが２個小ＥＣＣブロックから構成されると共に３２個の記録フレームを構成し、１６のパリティ行は２個の記録フレームおきに１行ずつ配置された状態で記録されており、
上記情報記録用トラックの情報を光学ヘッドで読取り上記アドレス情報を再生することを特徴とする情報再生方法。
【発明の詳細な説明】
【技術分野】
【０００１】
この発明は、情報記録媒体（若しくは情報記憶媒体）と情報再生装置と情報記録再生装置に関するもので、特に光ディスクのデータ記録フォーマットとそのフォーマットに基付く光ディスク、その情報再生方法または情報記録方法に特徴を有する。
【背景技術】
【０００２】
光ディスクに関連する文献として、以下のような文献がある。
【０００３】
特許２,６６３,８１７号（文献１）…識別情報が、ランド（Ｌ）とグルーブ（Ｇ）で共有されランドおよびグルーブの中心からずれている。これは、現行のＤＶＤ−ＲＡＭディスク規格に関連している。
【０００４】
特開平０４−１７２６２３号（文献２）、特開２０００−１１４６０（文献３）…グルーブ位置に記録マークを形成し、ランド部にアドレス用ランドプリピットを有する。これは、現行ＤＶＤ−ＲＷディスク及びＤＶＤ−Ｒディスクに関連している。
【０００５】
特開平１１−１４９６４４号（文献４）…Ｌ（ランド）／Ｇ（グルーブ）に記録を行う方法が示され、グレイコードを用いたウォーブル変調によりアドレス情報を記録する。
【特許文献１】特許２,６６３,８１７号公報
【特許文献２】特開平０４−１７２６２３号公報
【特許文献３】特開２０００−１１４６０公報
【特許文献４】特開平１１−１４９６４４号公報
【発明の開示】
【発明が解決しようとする課題】
【０００６】
ＭＰＥＧ−２のフォーマットで動画が記録された再生専用のＤＶＤ-Ｖｉｄｅｏディスクを利用したシステムで、より“高精細”な映像を見たいというユーザー要求がある。この要求に応え、“高精細”でかつ現行以上の再生時間（１３５分）を確保しようとすると、情報記録媒体（光ディスク）の一層の大容量化が必要となる。
【０００７】
そこで、“高精細”な映像を得る方向で、上述した文献の技術の適正を検討すると以下の通りである。
【０００８】
［特許２,６６３,８１７号の技術］
１．再生専用情報記録媒体であるＤＶＤ−ＲＯＭディスクに対して、フォーマット上の互換性が乏しい。そのため、ＤＶＤ−ＲＯＭとＤＶＤ−ＲＡＭの互換性を有する再生装置または記録再生装置の回路規模と制御ファームが複雑となる。よって装置は、低価格化が困難であると共に性能安定性に欠ける（制御時のトラブルが発生し易い）。
【０００９】
２．ＣＡＰＡ（プリピット）部に記録マーク（記録可能なデータ）を重複記録が出来ないため、記録容量を高く出来ない。
【００１０】
［特開平０４−１７２６２３号、特開２０００−１１４６０の技術］
１．グルーブのみに記録マーク（記録可能なデータ）を記録するため、Ｌ／Ｇ記録方法に比べて原理的に記録容量が劣る。
【００１１】
２．シリアル記録を前提としているため、細かいデータ単位でのデータの追記や書き換えが難しく、無理に細かい単位での記録処理（Restricted Overwrite）を行うと、既に記録されたデータの一部を破壊するため、既記録データの信頼性が著しく損なわれる。
【００１２】
［特開平１１−１４９６４４号の技術］
ここではランド部の不定ビット（隣接するグルーブ間でビット内容が変化する場所）のウォーブル情報をラジアルプッシュプル信号で検出（文献の図１と図２）している。この検出方法を採用した場合には“トラッキング時のオフセット（中心よりずれた位置でトラッキングする）”、“情報記録媒体の傾き（ラジアルチルト）”や“再生用光学ヘッドの特性バラツキ”等が発生するとランド部の不定ビット位置でのラジアルプッシュプル信号振幅と極性が大幅にばら付く。従ってこの文献の方法では検出精度が悪く、製品としての信頼性を確保する事が非常に難しい。
【００１３】
またこの文献では再生専用情報記録媒体と追記形情報記録媒体と書き換え可能形情報記録媒体間のフォーマット互換性については一切記載されて無いだけでなく、情報記録媒体に記録されるデータは“ＥＣＣフォーマット”／“フレーム（＝セクター（図４））”／“セグメント”の３階層しか持っておらず、再生専用情報記録媒体との間のフォーマット互換性を確保するのは難しい。
【００１４】
また、この文献では、グレイコード特性を持った各種アドレスに対してエラーチェックコードを付加していない（グレイコードに対して生成多項式で割り算をして得られるエラーチェックコードはグレイコード特性を持たないため、従来グレイコードにエラーチェックコードを付加する事は不可能と考えられていた）。したがってウォーブル信号からの再生信号で各種アドレスを判別してもその判別結果が正しいか否かの評価が行う事ができない。そのため、グレイコード特性を持った各種アドレス情報の再生信頼性が非常に低いという問題が有る。
【００１５】
上記のように文献１乃至文献４の技術は、ユーザが要求しているような“高精細”な映像を得るという目的を容易に達成するのは困難である。
【００１６】
さらにユーザ側では、次のような要望もある。
【００１７】
現行のＤＶＤ-Ｖｉｄｅｏディスクでは“字幕表示”や“ユーザー選択可能なメニュー表示”に主映像とは別に“副映像（Sub-picture）”の情報を持っている。現行のＤＶＤ-Ｖｉｄｅｏディスクではこの副映像は１６色しか表現できない。上述した現行のＤＶＤ-Ｖｉｄｅｏディスクを越える“高精細”な映像を見たいというユーザー要求を満たすには表現色数を１６色より大幅に上げるなど上記副映像の高画質化を目指したフォーマットを見直す必要が生じる。
【００１８】
そこでこの発明は、上記の問題を解決するためになされたものであり、
α］  現行のＤＶＤ-Ｖｉｄｅｏ ディスクを越える“高精細”な主映像とそれに見合った高画質が副映像の表示が可能なばかりでなく、上記高画質映像を長時間再生を可能とするための情報記録媒体の大容量化、
ε］  大容量化に伴い、読出しが不安定になるのを解決するために、情報記録媒体に予め記録されたウォーブル信号からの基準クロック抽出精度の向上、つまり、上記ウォーブル信号から記録時の基準クロックの同期合わせと（Phase  Lock  Loop処理）、情報記録媒体に記録された記録マークからの情報再生時の基準クロックの同期合わせ（Phase  Lock  Loop処理）を行う。
【００１９】
ζ］高速アクセスの保証、つまり（追記形／書き換え形）情報記録媒体に予め記録されたアドレス情報の配置頻度の確保、
が可能な情報記録媒体、情報記録方法、情報記録装置を提供することを目的とする。
【課題を解決するための手段】
【００２０】
この発明は、情報記録面の情報記録用トラックとしてランドとグルーブが半径方向に交互に配置されて形成されており、リードインエリア、リードアウトエリア間に挟まれた上記情報記録面は複数ゾーンに区分されており、上記情報記録用トラックのアドレス情報は１８０度の位相変調によるウォーブル変調により記録され、前記アドレス情報は、先行して配置される第１のトラック情報とその直後に配置される第２のトラック情報を含み、上記ランドとグルーブが半径方向に交互に配置される事により前記第１のトラック情報と前記第２のトラック情報内に不定ビットが分散配置されており、上記情報記録用トラックに記録される１個のＥＣＣブロックが２個小ＥＣＣブロックから構成されると共に３２個の記録フレームを構成し、１６のパリティ行は２個の記録フレームおきに１行ずつ配置された状態で記録されている情報記録媒体を基本としている。
【発明の効果】
【００２１】
上記の手段により、ランド・グルーブ記録と、ウォブル位相変調により、不定ビット内でグルーブ幅が変化しても、１６のパリティ行は２個の記録フレームおきに１行ずつ配置する事でエラー訂正処理能力が向上し、再生信号の信頼性が向上する。
【発明を実施するための最良の形態】
【００２２】
以下本発明の実施の形態を図面を参照しながら説明する。
【００２３】
本明細書では追記形情報記録媒体と書き換え形情報記録媒体を総称した情報記録媒体に対しては“記録可能な情報記録媒体”と言う表現を用いる。
【００２４】
０〕本発明のポイント
本実施例の説明に先立ち、上記本発明の目的を達成するための多義に渡る本発明のポイントを下記に纏める。下記では大きな発明ポイント内容をアルファベット、例えばＣ）のように記述し、各大きな発明ポイントを実行するための工夫（中間レベルの本発明ポイント）内容を例えば（ｃ１４）のようにまとめ、更にその内容を実現する時に必要な細部の発明の内容を例えば（ｃ１４１）のように記載した。つまり発明のポイント内容を階層構造的にまとめて記載した。
【００２５】
今後の実施例説明文中で下記の各発明ポイントに対応した箇所には括弧書きで対応するアルファベット番号を記載する。
【００２６】
Ａ）図１と図２に示すようなファイル分離またはディレクトリ（フォルダ）分離を行う。この分離手法により、従来のＳＤ（Standard  Definition）用のObject  File及び管理ファイルと、高画質映像に対応したＨＤ（High  Definition）用のObject  File及び管理ファイルとを情報記録媒体上での分離管理を可能とする。［効果］…情報記録媒体上に記録されたObject  Fileと管理ファイルがＳＤ用とＨＤ用で分離されていると、Object  Fileの再生前にどちらのファイルかが事前に判別可能となる。その結果、Object  Fileの再生前にＳＤ用かＨＤ用のデコーダーの事前準備が可能となり、映像再生を開始するまでの準備時間が大幅に短縮され、ユーザーが見たい時にすぐに映像再生を開始できる。
【００２７】
Ｂ）副映像情報の４ビット表現と圧縮規則を特有のものとする。［効果］…副映像も含めた高画質映像をユーザーに提供できる。
【００２８】
Ｃ）本発明では、再生専用情報記録媒体に対して複数種類の記録形式を設定可能とする。［効果］…再生専用の情報記録媒体に記録されるコンテンツ内容に応じて、媒体（データ）構造を最適化出来る。つまり
（ｃａ）何度でも自由に複製が可能な（それ程重要で無い）コンテンツ内容の場合、…従来と同様、各セグメント毎に繋げて（詰めて）連続にデータを記録する構造とできるようにする。
【００２９】
（ｃｂ）コピー制限の対象となる重要なコンテンツ内容の場合、…  情報記録媒体上で各セグメント毎に分離配置し、その隙間（前後のセグメントの間）に“再生専用情報記録媒体の識別情報”“コピー制御情報”“暗号鍵関連情報”“アドレス情報”等を記録可能な構造とし、情報記録媒体内のコンテンツ保護とアクセスの高速性を保証出来るようにする。このため
（ｃ１１）同一ディスク内ではフォーマットは共通とする（ディスクの途中からフォーマット変更不可）、
（ｃ１２）記録するコンテンツ内容に応じて同一ディスク内で２フォーマット混在を許す、
（ｃ１３）２種類とも共通のフォーマット領域を一部持つ（起動時にそこに読みに行く）ようにしている。
【００３０】
［効果］…情報記録媒体内の全領域に渡りデータ構造が異なると、再生装置が情報記録媒体の再生を初めて開始する時にどちらで対応すれば良いか迷い、再生開始時間が必要以上に掛かってしまう。情報記録媒体の一部（Lead-inとLead-outの部分）のデータ構造を共通とする事で起動時（情報記録媒体装着直後の情報再生装置または情報記録再生装置の再生開始時）にまず最初にその部分にアクセスし、最低限必要な情報を同一フォーマットで再生が行える。従って起動時に安定かつ高速に再生を開始する事が可能となる
（ｃ１４）ＤＶＤ−ＲＯＭのフォーマット識別フラグ情報（２案を一部含むか）をディスクに記録する，
（ｃ１４１）フォーマット識別フラグ情報を共通のフォーマット領域内に記録する，
（ｃ１４２）フォーマット識別フラグ情報は記録可能領域に記録する，
Ｄ）積符号を用いたＥＣＣブロック構造を用いる、
図２６と図２７に示すように本発明では情報記録媒体に記録するデータを２次元状に配置し、エラー訂正用付加ビットとして行方向に対してはＰＩ（Parity  in）、列方向に対してはＰＯ（Parity  out）を付加した構造になっている。［効果］…イレイジャー訂正および縦と横の繰り返し訂正処理による高いエラー訂正能力を持つ、
（ｄ１１）３２セクターで一つのエラー訂正単位（ＥＣＣブロック）を構成している。即ち、図２６、図２７に示すように本発明実施例では“０セクター”から“３１セクター”までの３２セクターを縦に順次並べてＥＣＣブロックを構成する構造になっている。１つのセクタは６行である。［効果］…次世代ＤＶＤにおいては現世代ＤＶＤと同じ程度の長さの傷が情報記録媒体表面に付いた場合でもエラー訂正処理で正確な情報が再生できる事を要求される。本発明実施例では高画質映像に対応した大容量化を目指して記録密度を高めた。その結果、従来の１ＥＣＣブロック＝１６セクターの場合にはエラー訂正で補正可能な物理的傷の長さが従来のＤＶＤに比べて短くなる。本発明実施例のように１ＥＣＣブロックを３２セクターで構成する構造にする事でエラー訂正可能な情報記録媒体表面傷の許容長さを長くできると共に現行ＤＶＤのＥＣＣブロック構造との互換性・フォーマット継続性を確保できる。
【００３１】
Ｅ）同一セクター内を複数に分割し、分割された各部分毎に異なる積符号（小ＥＣＣブロック）を構成する、
図２７に示すようにセクター内データを１７２バイト毎に左右に交互配置し、左右で別々にグルーピングされる（左右のグループに属するデータはそれぞれ“入れ子”状にインターリーブされた形になっている）。この分割された左右のグループは図２７に示すように３２セクター分ずつ集められて左右で小さなＥＣＣブロックを構成する。図２７内での例えば“２−Ｒ”などの意味はセクター番号と左右グループ識別記号（例えば２番目のRight(右)側のデータ）を表している。（図２７中のＬはLeft(左)を表す。）
［効果］…セクター内データのエラー訂正能力を向上させる事による記録データの信頼性向上。
【００３２】
例えば記録時にトラックが外れて既記録データ上をオーバーライトしてしまい、１セクター分のデータが破壊された場合を考える。本発明実施例では１セクター内の破壊データを２個の小ＥＣＣブロックを用いてエラー訂正を行うため、１個のＥＣＣブロック内でのエラー訂正の負担が軽減され、より性能の良いエラー訂正が保証される。
【００３３】
本発明実施例ではＥＣＣブロック形成後でも各セクターの先頭位置にデータＩＤ（Data  ID）が配置される構造になっているため、アクセス時のデータ位置確認が高速で行える。
【００３４】
（ｅ１１）同一セクター内をインターリーブ（等間隔で交互に別のグループに含ませる）し、各グループ毎に異なる小さいＥＣＣブロックに属させる。［効果］…本発明実施例によりバーストエラーに強い構造を提供できる。例えば情報記録媒体の円周方向に長い傷が付き、１７２バイトを越えるデータの判読が不可能になったバーストエラーの状態を考える。この場合の１７２バイトを越えるバーストエラーは２つの小さいＥＣＣブロック内に分散配置されるので、１個のＥＣＣブロック内でのエラー訂正の負担が軽減され、より性能の良いエラー訂正が保証される。
【００３５】
Ｆ）ＥＣＣブロックを構成するセクターにより複数種類の同期フレーム（Sync  frame）構造を規定する。１個のＥＣＣブロックを構成するセクターのセクター番号が偶数番号か奇数番号かで図２９に示すようにSync  frame構造を変化させる所に特徴がある。［効果］…ＥＣＣブロックを構成した後でもセクターの先頭位置にData  IDが配置される構造になっているため、アクセス時のデータ位置確認が高速で行える、
（ｆ１１）ＰＯのインターリーブ・挿入位置が左右で異なる構造を有する（図２８）。［効果］…ＥＣＣブロックを構成した後でもセクターの先頭位置にData  IDが配置される構造になっているため、アクセス時のデータ位置確認が高速で行える。
【００３６】
Ｇ）ＥＣＣブロック内セグメント分割構造。［効果］…再生専用／追記形／書き換え形間のフォーマット互換性高い、
Ｌ／Ｇウォーブル変調との組み合わせ：ゾーン配置に向く（ＥＣＣブロックは１周に入らない）。
【００３７】
Ｈ）セグメント間のヘッダー（Header）配置構造。［効果］…再生専用／追記形／書き換え形間の識別が高速かつ容易に可能となる、
（ｈ１１）再生専用／追記形／書き換え形間でデータ内容を変える（→識別に利用するため）
（ｈ１２）ＤＶＤ−ＲＯＭヘッダにランダム信号を利用する，［効果］…隣接トラック間で位置が一致してもＤＶＤ−ＲＯＭヘッダ位置で安定してＤＰＤ信号検出が行える。
【００３８】
Ｉ）記録可能な情報記録媒体に対するセグメントフォーマットでガードエリアが一部重複して記録される。［効果］…セグメント間で前と後ろのガードエリア間で隙間（記録マークが存在しない部分）が有ると記録マーク有無で光反射率の違いが有るためその隙間部分で、巨視的に見た時に光反射率の違いが発生する。そのため、片面２記録層の構造にした場合にその部分からの影響で他層からの情報再生信号が乱れ、再生時のエラーが多発する。本発明のようにガードエリアを一部重複させる事で記録マークが存在しない隙間の発生を防止し、片面２記録層における既記録領域からの層間クロストークの影響を除去でき、安定した再生信号が得られる。
【００３９】
Ｊ）１セグメント当たり複数回のアドレス情報を配置する。［効果］…記録時のトラック外れを高速で検知できる。記録マークの記録時にトラック外れを起こすと既に記録されている部分に上書きされて既記録情報が破壊される。１セグメント当たりｎ回アドレス情報が配置されている場合には、再生用の集光スポットが１セグメント領域を通過する間に理想的にはｎ回アドレス情報を検出できるので、１セグメント当たりに配置されたアドレス情報の数が多い分だけ１回アドレス情報を再生するのに要する時間が短くなる。本発明実施例におけるＥＣＣブロック構造では２セクター分のエラー訂正能力がある。記録時のトラック外れが生じて既記録情報が部分的に破壊されたとしても本発明のように１セグメント当たり複数回のアドレス情報を配置する事で高速にトラック外れを検知できるので、ＥＣＣブロックによるエラー訂正処理で破壊情報を補間する事が可能となる。
【００４０】
Ｋ）アドレス情報（特にセグメントアドレス情報）に対してアドレス番号付与方法に条件を加える。［効果］…ウォーブルのシンボル（アドレスビット）単位での極性反転頻度を上げ、シンボル（アドレスビット）の境界位置の検出精度を上げる、
（ｋ１１）アドレス番号を全てのビットが同じ値になる“０”からでは無く、“１”から始める、
（ｋ１２）“１”または“０”が３回以上続けて現れるアドレス番号を欠番にする。
【００４１】
Ｌ）Ｌ／Ｇ記録＋ウォーブル変調によりアドレス情報を記録。［効果］…最も大容量化が可能。
【００４２】
Ｍ）Ｌ／Ｇ記録＋ウォーブル変調で不定ビットをランド（Land）とグルーブ（Groove）に分配配置する。［効果］…LandまたはGrooveのどちらか一方に不定ビットを集中配置すると不定ビットが集中配置された部分でのアドレス情報再生時に誤検知が発生する頻度が非常に高くなる。不定ビットをLandとGrooveに分配配置する事で誤検知のリスクを分散し、トータルとして安定にアドレス情報を検出し易いシステムを提供できる。
【００４３】
（ｍ１１）グルーブ幅を局所的に変化させてグルーブ内に不定ビットを形成する、
（ｍ１２）グルーブのウォーブル振幅を局所的に変化させてグルーブ内に不定ビットを形成する。
【００４４】
Ｎ）Ｌ／Ｇ記録において１８０度（±９０度）のウォーブル位相変調を採用する。［効果］…“Ｌ／Ｇ記録＋グルーブのウォーブル変調”においてグルーブのトラック番号が変わる事によるランド上で不定ビットが発生すると、その上に記録された記録マークからの再生信号の全体レベルが変化し、そこでの記録マークからの再生信号のエラー率が局所的に悪化すると言う問題が有る。しかし、本発明のようにグルーブに対するウォーブル変調を１８０度（±９０度）の位相変調にする事でランド上での不定ビット位置ではランド幅が左右対称でかつ正弦波の形で変化するため、記録マークからの再生信号の全体レベル変化が正弦波形状に近い非常に素直な形になる。更に安定にトラッキングが掛かっている場合には事前にランド上での不定ビット位置が予想できる。従って本発明実施例によれば記録マークからの再生信号に対して回路的に補正処理を掛けて再生信号品質を改善し易い構造を実現できる。
【００４５】
Ｏ）トラックアドレスに対してグレイコードを採用する。［効果］…“Ｌ／Ｇ記録＋グルーブのウォーブル変調”においてグルーブのトラック番号が変わる事によるランド上での不定ビット発生頻度を抑える。ランド上での不定ビット位置ではランド幅が左右対称な形で局所的に変化する。その結果ランド上での不定ビット位置からはウォーブル検出信号が得られないばかりか、その上に記録された記録マークからの再生信号の全体レベルが変化し、そこでの記録マークからの再生信号のエラー率が局所的に悪化する問題が有る。このようにランド上での不定ビット発生頻度を抑える事により上記問題箇所の発生頻度を抑え、ウォーブル検出信号と記録マークからの再生信号の再生安定化を図れる。
【００４６】
Ｐ）グレイコードに対するグレイコード特性を持ったエラー検出コード（Error  Detection  Code）を付加する。［効果］…  １．トラックアドレス情報に対して  Error  Detection  Code  を付加することにより、トラックアドレス情報の再生精度が飛躍的に向上する。２．Error  Detection  Code  にグレイコード特性を持っているため、ランド部での不定ビット数が少ないため、Error  Detection  Code  領域も含めたランド部のトラックアドレス情報の再生・判別精度が向上する。そのために、
（ｐ１１）ウォーブルアドレス配置領域５６１，５６２内を細かくエラー訂正単位６０６、エラー検出単位６０７、６０８に分割する、［効果］…不定ビットが混入してもその影響を１個のエラー検出単位内に閉じ込め、他のデータの再生精度を上げる事が出来る。またＥＤＣ情報６１３、６１４を用いて不定ビット位置を検出すると偶数トラック／奇数トラック検出情報との組み合わせで不定ビット混入場所に対してもトラック番号を判別することが可能。
【００４７】
Ｑ）グレイコードに対して単純に排他的論理和（Exclusive  OR）演算処理によりスクランブルを掛ける。［効果］…スクランブルを掛けた後のコードもグレイコード条件を満足するため、ランド部での不定ビットの増加を抑制できる。
【００４８】
Ｒ）ウォーブルアドレスフォーマット内にシフト用リザーブ領域を設け、アドレス情報位置をずらす。（組み合わせ効果が出る）。
【００４９】
Ｓ）トラックアドレス情報に対して不定ビット位置をずらして再配置する（組み合わせで効果を発揮する）、
（ｓ１１）同一トラック内ではセグメント位置によらず相対的な不定ビット位置は一致する、
（ｓ１２）同一トラック内でもセグメント位置によって相対的な不定ビット位置をずらす、
（ｓ１３）同一トラック内でもセグメント位置によって相対的な不定ビット位置をずらす、
（ｓ１４）トラック番号情報  Ａ  ６１１、Ｂ  ６１２  の上位ビットを順次循環させて不定ビット位置をずらす。
【００５０】
Ｔ）アドレス情報に対してスクランブルを掛ける。［効果］…ウォーブルのシンボル（アドレスビット）単位での極性反転頻度を上げ、シンボル（アドレスビット）の境界位置の検出精度を上げる、
（ｔ１１）セグメント番号を種に利用してスクランブルを掛ける
（ｔ１１１）Ｍ系列変化を利用して排他的論理和（Exclusive  OR）を取る対象のデータパターンを変化させる、
（ｔ１１２）Exclusive  ORを取る対象のデータパターンを固定にする
（ｔ１２）スクランブルのＭ系列を変化させながらスクランブルを掛ける事でトラック番号情報Ａ  ６１１と、Ｂ  ６１２間でスクランブル処理後のパターンを変化させる、
（ｔ１３）  同一セグメント内の２アドレス領域同士でスクランブルの種を変える、
（ｔ１３１）  前アドレスと後ろアドレスの２種類の種を持ち、ディスク上至る所で固定の種を使う、
（ｔ１３２）セグメントアドレス情報とウォーブルアドレス番号情報の両方を種として使う。
【００５１】
Ｕ）同一セグメント内の２アドレス領域同士でパターン内容を変化させる、［効果］…ウォーブルのシンボル（アドレスビット）単位での極性反転頻度を上げ、シンボル（アドレスビット）の境界位置の検出精度を上げる、
（ｕ１１）  同一セグメント内の２アドレス領域同士でビット反転処理を行う。
【００５２】
Ｖ）トラック番号の偶数／奇数識別情報をセグメント間領域に配置。［効果］…偶数／奇数識別情報が記録マークにより形成する記録情報領域外に有るため、この偶数／奇数識別情報が及ぼす記録マークからの再生信号への影響が無い。そのためには
（ｖ１１）物理的に偶数／奇数識別情報を配置する、［効果］…検出精度高く、高速で検出可能、
（ｖ１２）グルーブを局所的に切断、［効果］…製造性が高く歩留まり高いので低価格化が可能。１ビーム記録が可能なため安価な汎用的原盤記録装置が使用できる
（ｖ１３）ランド部にプリピットを配置、
（ｖ１４）グルーブを局所的に大きく蛇行させる（“グルーブ切断＋ランドプリピット”を含む）、
［効果］…製造性が高く歩留まり高いので低価格化が可能。１ビーム記録が可能なため安価な汎用的原盤記録装置が使用できる。片面２記録層における既記録領域からの層間クロストーク（情報再生時の再生信号に及ぼす別記録層からの影響）を大幅に低減できる。
【００５３】
Ｗ）トラック番号の偶数／奇数検知とグレイコードの工夫で不定ビット有ってもアドレス確定可能とする。［効果］…不定ビットからの判定結果に依らず精度良くアドレス確定が可能。
【００５４】
Ｘ）トラック番号情報Ａ/Ｂ（  ６１１  /  ６１２  ）  でアドレス番号をずらすと共に特殊トラックコードを利用してランドでもトラックアドレス確定とする。［効果］…ランド部でも不定ビットが入らずにトラックアドレスが確定する領域を持たせる事でランド部においても精度の良いアドレス検出が可能となる、そのためには
（ｘ１１）トラック番号をジグザグにインクリメントする。そして同じトラック番号に挟まれたランド領域のトラック番号は確定し、異なるトラック番号に挟まれたランド領域のトラック番号は、トラック番号の偶数／奇数判定手段によりトラック番号の判定を行う。
【００５５】
Ｙ）グルーブ領域にも不定ビットを分散配置する。［効果］…ランド部でも不定ビットが入らずにトラックアドレスが確定する領域を持たせる事で、ランド部においても精度の良いアドレス検出が可能となる。ランド部、グルーブ部それぞれ不定ビットが入らずにトラックアドレスが確定する領域を事前に予想できるのでトラックアドレス検出精度が上がる。
【００５６】
（ｙ１１）グルーブ作成時に局所的にグルーブ幅を変え、ランド幅一定領域作成、
（ｙ１２）グルーブでのウォーブル振幅幅を変えてグルーブ領域内に不定ビットを配置する。
【００５７】
Ｚ）ゾーン識別情報とセグメントアドレス情報をセグメント内に配置し、トラックアドレスをセグメント間のヘッダ領域に配置する。［効果］…１．全てウォーブル変調で記録するため、現行ＤＶＤ−ＲＡＭの様にプリピットヘッダ部での再生信号の不連続部分が存在しない。その結果安定に記録マークからのデータ再生が可能となる。２．現行ＤＶＤ−ＲＡＭと比べてゾーン識別情報とセグメントアドレス情報をセグメント内に配置（同じ場所に重複して記録マーク記録可能）するため記録効率が向上し、大容量化が実現できる。３．トラックアドレスをセグメント間のヘッダ領域に配置するため、セグメント領域内にランド上の不定ビット箇所が存在せず、記録マークからの再生時のエラーレートの低下が生じない。そのためには、
（ｚ１１）トラックアドレスを複数のヘッダ領域に跨った分散記録をする、
（ｚ１２）トラックアドレスの下位ビットのみ記録する。
【００５８】
１〕本発明に係る情報記録媒体への映像情報記録形式の説明（Ａ）
図１には、本発明における情報記録媒体上への映像情報ファイル配置を示す。従来のＳＤ（Standard  Definition）用のObject  File（既存ＳＤ用  特定タイトルのオブジェクト（ＶＴＳ１ＴＴ_ＶＯＢＳ）ファイル）２１６と、管理ファイル２０６、２０８、２１１、１２３と、高画質映像に対応したＨＤ（High  Definition）用のObject  File（高画質ＨＤ用  特定タイトルのオブジェクト（ＶＴＳ２ＴＴ_ＶＯＢＳ）ファイル）２１７及び管理ファイル２０１、２０９、２１２、２１４とを互いに分離独立させて、これらを従来のＤＶＤ-Ｖｉｄｅｏ専用ディレクトリ２０２内に共存配置している。
【００５９】
図２には他の実施例を示している。ここでは従来のＳＤ（Standard  Definition）用のObject  File（既存ＳＤ用特定タイトルのオブジェクト（ＶＴＳ１ＴＴ_ＶＯＢＳ）ファイル）２１６及び管理ファイル２０６、２０８、２１１、１２３と、高画質映像に対応したＨＤ（High  Definition）用のObject  File（高画質ＨＤ用特定タイトルのオブジェクト（ＶＴＳ２ＴＴ_ＶＯＢＳ）ファイル２１７及び管理ファイル２０１、２０９、２１２、２１４とをそれぞれ別のディレクトリ２０３、２０４の下に分けて配置している。このようにObject  Fileと管理ファイルがＳＤ用とＨＤ用で分離されていると、ファイル管理が容易になるばかりで無く、Object  Fileの再生前にＳＤ用かＨＤ用のデコーダーの事前準備が可能となり、映像再生を開始するまでの準備時間が大幅に短縮される。
【００６０】
図３に示すように、本発明はＭＰＥＧレイヤー２で規定された多重化規則にのっとり、プログラムストリーム（Program  Stream）の形で情報を情報記録媒体に記録している。すなわち映像情報内の主映像情報をビデオパック２５２〜２５４内に分散配置させ、音声情報をオーディオパック２５５内に分散配置させている。本発明システムでは図示してないが映像情報の最小単位であるＶＯＢＵ（Ｖｉｄｅｏ  Object  Unit）の先頭位置にナビゲーションパック２５１を配置している。またビデオパック２５２〜２５４内に記録される主映像とは別に字幕やメニューなどを示す副映像情報が定義されている。副映像情報はサブピクチャーパック２５６〜２５８内に分散配置されている。情報記録媒体から映像情報を再生する時には前記サブピクチャーパック２５６〜２５８内に分散記録されている副映像情報を集めてサブピクチャーユニット２５９を構成させた後、図示してないがビデオプロセッサにより映像処理をした後、ユーザーへ表示する。
【００６１】
また本発明実施例では２０４８バイトサイズを持ったセクター２３１〜２３８が情報記録媒体２２１上に記録される情報の管理単位となっている。従って各パック２４１〜２４８の１個当たりのデータサイズも前記セクターサイズに合わせて２０４８バイトに設定している。
【００６２】
２〕本発明における副映像情報の表現形式と圧縮規則（Ｂ）
(a)  ランレングス圧縮規則（Run-length  compression  rule）
ランレングス圧縮は、サブピクチャーを圧縮するするのに採用されている。その幾つかの圧縮規則をここで説明する。ＳＤ対応、ＨＤ対応として幾つかのランレングス圧縮規則が開発された。
【００６３】
１）  ４ビットが１つの単位（ユニット）として設定されるケース（図４の副映像情報の圧縮規則（１）参照）。もし同じ値の画素データ（ピクセルデータ）が１〜３連続する場合、最初の２ビットは、画素数（ピクセル数）を示し、次に続く２ビットで具体的なピクセルデータが表される。
【００６４】
２）  ８ビットが１つの単位（ユニット）として設定されるケース（図４の副映像情報の圧縮規則（２）参照）。もし同じ値のピクセルデータが４〜１５連続する場合、最初の２ビットは、０とされる。そして次に続く４ビットがピクセル数を示し、次に続く２ビットで具体的なピクセルデータが表される。
【００６５】
３）  １２ビットが１つの単位（ユニット）として設定されるケース（図４の副映像情報の圧縮規則（３）参照）。もし同じ値のピクセルデータが１６〜６３連続する場合、最初の４ビットは、０とされる。そして次に続く６ビットがピクセル数を示し、次に続く２ビットで具体的なピクセルデータが表される。
【００６６】
４）  １６ビットが１つの単位（ユニット）として設定されるケース（図４の副映像情報の圧縮規則説明図（４）参照）。もし同じ値のピクセルデータが６４〜２５５連続する場合、最初の６ビットは、０とされる。そして次に続く８ビットがピクセル数を示し、次に続く２ビットで具体的なピクセルデータが表される。
【００６７】
５）  １６ビットが１つの単位（ユニット）として設定されるケース（図４の副映像情報の圧縮規則説明図（５）参照）。もし同じ値のピクセルデータが１ラインの最後まで連続する場合、最初の１４ビットは、０とされる。そして次に続く２ビットで具体的なピクセルデータが表される。
【００６８】
６）もし、１ライン分のピクセルを表現したときに、バイトアラインメントが実現できなったとき、４ビットのダミー（'００００b'）が調整のために挿入される。
【００６９】
上記は、ＳＤ用の副映像を圧縮する際に用いられる規則であるが、ＨＤ用の副映像を圧縮する際に用いられる規則も開発されている。
【００７０】
図５は、画素データを４ビットで表現し、それぞれの画素データに画素名を割り当てた様子を示している。
【００７１】
画素データは生データあるいはランレングス圧縮規則に記述される特殊なランレングス圧縮法によりライン毎にビットマップデータを圧縮したデータである。ビットマップデータの画素には図５に示す画素データが割当てられる。
【００７２】
画素データは図６に示すようにフィールドに区別されたデータ、あるいはプレーンデータに割り付けられる。各副映像ユニット（ＳＰＵ）内で画素データは１フィールドの間に表示される画素データの部分の全てが連続するように編成される。図６の（ａ）に示す例では、トップフィールド用画素データが最初（ＳＰＵＨの後）に記録され、次いでボトムフィールド用画素データが記録され、インターレース表示に適する画素データの割り付けがなされている。図６の（ｂ）に示す例では、プレーンデータとして記録され、ノンインターレース表示に適する画素データの割り付けがなされてい
図６は、副映像情報をまとめるために用いられる副映像ユニットを示している。画素データは、副映像ユニット内でフィールドに区別されたデータ、あるいはプレーンデータに割り付けられる。各副映像ユニット（ＳＰＵ）内で画素データは１フィールドの間に表示される画素データの部分の全てが連続するように編成される。この副映像ユニットは、複数の副映像パケットを集合することで構築されるユニットである。
【００７３】
図６の（ａ）に示す例では、トップフィールド用画素データが最初（ＳＰＵＨの後）に記録され、次いでボトムフィールド用画素データが記録され、インターレース表示に適する画素データの割り付けがなされている。図６の（ｂ）に示す例では、プレーンデータとして記録され、ノンインターレース表示に適する画素データの割り付けがなされている。ＳＰ＿ＤＣＳＱＴのサイズ制限に合致するように画素データの終わりに偶数個の“００ｂ”を付加しても良い。図７には、パックと副映像ユニットの関係を示している。
【００７４】
副映像ユニットヘッダ（ＳＰＵＨ）は,副映像ユニット（ＳＰＵ）内の各データのアドレス情報で構成され、図８に示すように、４バイトの副映像ユニットのサイズ（ＳＰＵ＿ＳＺ）、４バイトの表示制御シーケンステーブルの先頭アドレス（ＳＰ＿ＤＣＳＱＴ＿ＳＡ）、４バイトの画素データ幅（ＰＸＤ＿Ｗ）、４バイトの画素データ高（ＰＸＤ＿Ｈ）、１バイトの副映像カテゴリー（ＳＰ＿ＣＡＴ）、１バイトの予約が記述されている。
【００７５】
副映像ユニットのサイズ（ＳＰＵ＿ＳＺ）は副映像ユニットのサイズをバイト数で記述する。最大サイズは５２４，２８７バイト（“７ＦＦＦＦｈ”）である。サイズは偶数バイトでなければならない。サイズが奇数バイトならば偶数バイトにするために副映像データの最後に“ＦＦｈ”の１バイトを追加する。副映像ユニット（ＳＰＵ）内の先頭アドレス（ＳＰ＿ＤＣＳＱＴ＿ＳＡ）のサイズはＳＰＵのサイズ以下である。
【００７６】
先頭アドレス（ＳＰ＿ＤＣＳＱＴ＿ＳＡ）は表示制御シーケンステーブル（ＳＰ＿ＤＣＳＱＴ）の先頭アドレスを副映像ユニットの先頭バイトからの相対バイト番号ＲＢＮで記述する。画素データ幅（ＰＸＤ＿Ｗ）の最大値は１９２０、画素データ高（ＰＸＤ＿Ｈ）の最大値は１０８０である。
【００７７】
副映像カテゴリー（ＳＰ＿ＣＡＴ）は図９に示すようにビット番号ｂ７からｂ２が予約、ビット番号ｂ１に４ビット／１画素の画素データＰＸＤ領域へのデータ格納方法を示すフラグ（Stored_Form）、ビット番号ｂ０に画素データＰＸＤのランレングス圧縮／非圧縮を示すフラグ（Raw）が記述される。
【００７８】
ＰＸＤ領域へのデータ格納方法を示すフラグ（Stored_Form）はインタレース表示を行う場合は、“０ｂ”（トップ／ボトム）を指定し、表示データをトップとボトムに分けて別々の場所に格納することで、データが取り出しやすく、インタレース表示がしやすいデータ構造を実現できる。ノンインターレース表示を行う場合は、“１ｂ”（プレーン）を指定し、表示データを一括格納することで、データが取り出しやすく、ノンインタレース表示がしやすいデータ構造を実現できる。ＳＤ方式ではインターレース表示が行われ、ＨＤ方式ではノンインターレース表示が行われる。このフラグ（Stored_Form）は、ＨＤ用デコーダのスタンバイに利用することができる。
【００７９】
ランレングス圧縮／非圧縮を示すフラグ（Raw）は字幕等の圧縮率が良い字幕のストリームには、“０ｂ”（圧縮）を指定し、模様等の圧縮率が悪く、圧縮後にデータの増加を招く様な少し複雑なイメージストリームには“１ｂ”（非圧縮）を指定する。これにより、副映像ユニット（ＳＰＵ）単位での圧縮／非圧縮の指定が可能となり、主映像データや他のデータ（オーディオ等）に情報を割当てる事ができ、情報記録媒体への副映像情報の効率的な記録が可能となるので、高品位なコンテンツを維持することができる。このフラグ（Raw）は、ＨＤ用デコーダのスタンバイに利用することができる。
【００８０】
ＤＶＤビデオディスクに高品位ＴＶ方式の高画質コンテンツを収録する際に、字幕やメニュー情報として利用されてきた副映像情報も同様に高品位ＴＶ方式で収録することが求められている。本実施の形態による副映像のランレングス圧縮規則を以下に説明する。
【００８１】
図１０に示すように、ビットマップデータの画素は各ライン毎に以下の規則に従って圧縮される。圧縮された画素パターンは基本的に５つの部分：ランレングス圧縮フラグ（Comp）、画素データフィールド（Pixel data）、カウンタ拡張フラグ（Ext）、カウンタフィールド（Counter）、拡張カウンタフィールド（Coutner (Ext)）からなる。ランレングス圧縮フラグ（Comp）は画素データが圧縮されていないならば“０ｂ”が、ランレングス符号化で圧縮されているならば“１ｂ”が記述される。画素データが圧縮されていない場合は、一つのデータユニットは１画素のみを表し、カウンタ拡張フラグ（Ext）以降は存在しない。
【００８２】
画素データは図５に示した１６の画素データの何れかを記述し、この値はカラールックアップテーブルのインデックスを表す。カウンタ拡張フラグ（Ext）はカウンタフィールドが３ビットならば“０ｂ”が、７ビットならば“１ｂ”が記述される。カウンタフィールドは連続する画素の数を指定する。フラグ（Ext）が“０ｂ”にセットされる場合は、このフィールドは３ビットであり、“１ｂ”にセットされる場合は、このフィールドは７ビット（拡張カウンタフィールドが使用される）である。
【００８３】
この圧縮規則で圧縮されたデータは複数のユニットで構成される。各ユニットは画素の変更点で４箇所の点を持つ。ユニットは図１１の（ａ）に示す４つのランレングスフラグの束を形成するユニットヘッダとこれに後続する図１１の（ｂ）から（ｅ）に示す４種類の圧縮パターンからなる。
【００８４】
図１１の（ａ）に示すユニットヘッダはランレングスが存在するか否かを示すランレングス圧縮フラグ（Comp）の集合であり、ランレングスが継続しないならば“０ｂ”が、ランレングスが継続するならば“１ｂ”が記述される。図１１の（ｂ）に示す圧縮パターン（Ａ）は同じ値の画素が続かなければ、ランレングス圧縮フラグ（Comp）を“０ｂ”として、４ビットの画素データを記述する。図１１の（ｃ）に示す圧縮パターン（Ｂ）は同じ値の画素が１〜７個後続すれば、ランレングス圧縮フラグ（Comp）を“１ｂ”として、最初の４ビットに画素データを記述し、次の１ビット（フラグExt）は“０ｂ”を指定し、次の３ビットにカウンタを記述する。図１１の（ｄ）に示す圧縮パターン（Ｃ）は同じ値の画素が８〜１２７個後続すれば、ランレングス圧縮フラグ（Comp）を“１ｂ”として、最初の４ビットに画素データを記述し、次の１ビット（フラグExt）は“１ｂ”を指定し、次の３ビットにカウンタを、次の４ビットにカウンタ拡張を記述する。図１１の（ｅ）に示す圧縮パターン（Ｄ）：ライン終了コードは同じ値の画素がラインの終了に連続する場合、８ビット全てに“０ｂ”を記述し、ランレングス圧縮フラグ（Comp）を“１ｂ”とする。
【００８５】
１ラインの画素の記述が終了した時にバイト調整が未完了ならば、調整のために４ビットのダミーデータ“００００ｂ”を挿入する。１ライン内のランレングスコード化データのサイズは７，６８０ビット以下である。
【００８６】
本実施の形態に係るエンコード・デコード方法は、以下の（１）〜（４）の組み合わせによるランレングス圧縮伸張を行うものである。
【００８７】
（１）ランが連続するか否かを示し、これにより圧縮／無圧縮を決定するランレングス圧縮フラグ（Comp）を有する。（２）ランの連続数に応じて、ラン連続のカウンタ（Counter）を拡張して拡張カウンタ（Counter (Ext)）を付加するべくカウンタ拡張フラグ（Ext）を有する。（３）４つのラン変化点を一つのユニットとして扱い、バイト整合化し易い、ニブル（４ビット）構成とすることで、処理の容易なデータ構造を有する。（４）ランレングス圧縮伸張をライン毎に終了コードＥを有する（ただし、一ライン分の容量がいくらかという情報を事前にエンコード装置、デコード装置に与えることができれば、この終了コードを省略することも可能である）。
【００８８】
図１２は本実施の形態に係るランレングス圧縮ルールである「３ビットデータにおける３ビット８色表現のランレングス圧縮ルール（ライン単位）」を示す図（この場合は、４ビット単位で扱えるので、特にユニットを必要としない例）、図１３は「４ビットデータにおける４ビット１６色表現のランレングス圧縮ルール（ライン単位）」を示す図、図１４は本実施の形態に係るランレングス圧縮ルールに応じた実用的なデータ構造の一例を示す図、図１５乃至図１７はこのデータ構造をユニット化した例を示す図、図１８は「４ビットデータにおける４ビット１６色表現のランレングス圧縮ルール（ライン単位）」の他の例を示す図である。
【００８９】
本実施の形態に係る副映像エンコーダ部のエンコード方法によれば、ラン非連続が比較的多く続く１画素４ビット表現（１６色）の副映像の画像データであっても、画素データが連続無しの場合はカウンタを使用することがないので、データ長が却って長くなるということがない。又、所定数以上に長く続くラン連続がある場合でも、拡張カウンタ（Counter (Ext)）を用いてこれを確実に再現することができる。従って、これらランレングス圧縮フラグ（Comp）や、基本カウンタ（Counter）や拡張カウンタ（Counter (Ext)）とカウンタ拡張フラグ（Ext）等の働きにより十分な圧縮効果を発揮することが可能となる。このランレングス圧縮フラグ（Comp）を４ビット表現（又はこの倍数）としてまとめてデータ列の先頭に配置することで、４ビット情報によるデコード処理しやすい形態をとることにより、デコード処理速度を向上させることも可能となる。
【００９０】
ライン終了コード生成部で生成するライン終了コードＥは、一ラインの画素数が予めわかっていれば、エンコード／デコード処理の際に必ずしも要するものではない。すなわち、ライン終了位置がわからなくとも、開始位置から画素数をカウントすることにより、ラインごとの副映像の画像データをエンコード・デコード処理することが可能となる。
【００９１】
本実施の形態に係る副映像デコーダ部のデコード方法によれば、ラン非連続が比較的多く続く１画素４ビット表現（１６色）の副映像の画像データであっても、これらランレングス圧縮フラグ（Comp）や、基本カウンタ（Counter）や拡張カウンタ（Counter (Ext)）、カウンタ拡張フラグ（Ext）等の働きにより十分な圧縮効果を発揮することが可能となる。このランレングス圧縮フラグ（Comp）を４ビット表現（又はこの倍数）としてまとめてデータ列の先頭に配置することで、４ビット情報によるデコード処理しやすい形態をとることにより、デコード処理速度を向上させることも可能となる。
【００９２】
エンコード処理の場合と同様に、ライン終了コード検出部で検出するライン終了コードＥは、エンコード／デコード処理の際に必ずしも要するものではなく、一ラインの画素数が予めわかっていればこの画素数に応じて、ラインごとにデコード処理を行うことが可能となる。
【００９３】
次に、本実施の形態に係るエンコード・デコード方法により圧縮・伸張されたデータ構造の例を説明する。
【００９４】
図１２は４ビットデータにおいて３ビット８色表現のランレングス圧縮ルール（ライン単位）を示したものである。基本的なデータ構造は、ラン連続の有無を示す１ビットのランレングス圧縮フラグ（Comp）（ｄ０）、ラン画素データを示す３ビットのピクセルデータ（ｄ１〜ｄ３）、ランレングス圧縮フラグ（Comp）＝１（有り）の時、カウンタ拡張の有無を示す１ビットのカウンタ拡張フラグ（Ext）（ｄ４）、連続するランの３ビットのカウンタ（Counter）（ｄ５〜ｄ７）、及びカウンタ拡張フラグ（Ext）＝１（有り）の時、前記３ビットのカウンタと結合して７ビットのランカウンタとして利用される４ビットの拡張カウンタ（Counter (Ext)）（ｄ８〜ｄ１１）から構成される。
【００９５】
図１２の（ａ）に示すパターンは、ラン連続無しの１画素データを表現することが可能であり、図１２の（ｂ）に示すパターンは、ラン連続する２〜８画素データをカウンタ（Counter）を用いて表現することが可能である。又、図１２の（ｃ）に示すパターンは、ラン連続する９〜１２８画素データをカウンタ（Counter）及び拡張カウンタ（Counter (Ext)）を用いて表現することが可能である。図１２の（ｄ）に示すパターンは、ライン単位のランレングス圧縮の終了を示すライン終端コードＥである。
【００９６】
図１２の（ａ）〜（ｄ）に示した各パターンのデータ構造は、４ビット（ニブル）構成になっており、図１３と異なり、ユニット化しなくても、バイト整合しやすく、システムが比較的容易に構築することができる。
【００９７】
図１３は、本実施の形態の基本となるランレングス圧縮ルール（ライン単位）を示した図である。この図において、基本的なデータ構造は、ラン連続の有無を示す１ビットのランレングス圧縮フラグ（Comp）（ｄ０）、ラン画素データを示す４ビットのピクセルデータ（ｄ１〜ｄ４）、ランレングス圧縮フラグ（Comp）＝１（有り）の時、カウンタ拡張の有無を示す１ビットのカウンタ拡張フラグ（Ext）（ｄ５）、連続するランの３ビットのカウンタ（Counter）（ｄ６〜ｄ８）及びカウンタ拡張フラグ（Ext）＝１（有り）の時、前記３ビットのカウンタと結合して７ビットのカウンタとして利用される４ビットの拡張カウンタ（Counter (Ext)）（ｄ９〜ｄ１２）から構成される。
【００９８】
図１３の（ａ）に示すパターンは、ラン連続無しの１画素データを表現することが可能であり、図１３の（ｂ）に示すパターンは、ラン連続する２〜８画素データをカウンタ（Counter）を用いて表現することが可能である。又、図１３の（ｃ）に示すパターンは、ラン連続する９〜１２８画素データをカウンタ（Counter）及び拡張カウンタ（Counter (Ext)）を用いて表現することが可能である。図１３の（ｄ）に示すパターンは、ライン単位のランレングス圧縮の終了を示すライン終端コードＥである。
【００９９】
図１３の（ａ）〜（ｄ）に示した各パターンのデータ構造は、奇数ビット構成になっており、このままではバイト整合されず、処理システムが複雑になる傾向にある。
【０１００】
図１４は、本実施の形態における実用的なデータ構造を示す。同図では、図１３の（ａ）〜（ｄ）に示した各パターンのデータ構造を、バイト整合し易い、ニブル（４ビット）構成となるように、４つのラン変化点を１つのユニットとし、４つのランレングス圧縮フラグ（Comp）を４ビットのユニットフラグ（ｄ０〜ｄ３）としたものである（図１０参照）。こうすることで、４つのラン変化点をユニットとするバイト処理し易いシステムが比較的容易に構築できる。
【０１０１】
図１５は、図１４のユニット化したデータ構造を用いたランレングス圧縮の１つのユニット例を示したものである。
【０１０２】
（１）先ず４ビットのランレングス圧縮フラグ（Comp）（ｄ０〜ｄ３）により、後続のデータパターンが決定されることになる。
【０１０３】
（２）ｄ０＝０から、最初のランは非連続の１画素で構成されることが分かり、図１４の（ａ）のパターンが適用され、続くピクセルデータ（ｄ４〜ｄ７）が展開される。
【０１０４】
（３）ｄ１＝１から、２番目のランは連続であることが分かり、図１４の（ｂ）〜（ｄ）の何れかのパターンが適用されることになる。先ずピクセルデータ（ｄ８〜ｄ１１）を保持し、引き続き拡張カウンタ（Counter (Ext)）（ｄ１２）により、ｄ１２＝０及びカウンタ（ｄ１３〜ｄ１５）の数が零でないことから、拡張カウンタの無い図１４の（ｂ）のパターンであり、ピクセルデータ（ｄ８〜ｄ１１）を展開し、続けて３ビットのカウンタ（ｄ１３〜ｄ１５）で示される７以下の数のピクセルデータ（ｄ８〜ｄ１１）を展開する。
【０１０５】
（４）ｄ２＝１から、３番目のランは連続であることが分かり、（３）と同様に、図１４の（ｂ）〜（ｄ）の何れかのパターンが適用されることになる。先ずピクセルデータ（ｄ１６〜ｄ１９）を保持し、引き続きランレングス圧縮フラグ（Comp）（ｄ２０）により、ｄ２０＝１から、図１４の（ｃ）のパターンであり、カウンタ（Counter）（ｄ２１〜ｄ２３）と、拡張カウンタ（Counter (Ext)）（ｄ２４〜ｄ２７）とを組み合わせ、ピクセルデータ（ｄ１６〜ｄ１９）を展開し、続けて７ビットのカウンタ（ｄ２１〜ｄ２７）で示される１２７以下の数のピクセルデータ（ｄ１６〜ｄ１９）を展開する。
【０１０６】
（５）ｄ３＝０から、最後のランは非連続の１画素で構成されることが分かり、図１４の（ａ）のパターンが適用され、続くピクセルデータ（ｄ２８〜ｄ３１）が展開される。
【０１０７】
このようにして、４つの変化点を１つのユニットとして、ランレングス展開する。
【０１０８】
図１６は、本実施の形態に係るランレングス圧縮ルールのユニット例を示す。
【０１０９】
図１６の（ａ）は、全て無圧縮の場合を示し、４画素のピクセルデータをそのまま表現する。図１６の（ｂ）は、８画素以下のラン連続と、３画素の無圧縮のピクセルデータを表現する。図１６の（ｃ）は、１２８画素以下のラン連続と、３画素の無圧縮のピクセルデータを表現する。図１６の（ｄ）は、全て圧縮の場合を示し、４つの１２８画素以下のラン連続（最大５１２画素）のピクセルデータを表現する。
【０１１０】
図１７は、本実施の形態に係るランレングス圧縮ルールのライン終端を示す終端コードＥを有するユニット例、背景コードを有するユニット例を示す。終端コードＥの挿入でユニットは終了し、それ以降のユニット内のランレングス圧縮フラグ（Comp）は、無視される。図１７の（ａ）は、終端コードＥのみで構成される例である。図１７の（ｂ）は、１画素と終端コードＥで構成される例である。図１７の（ｃ）は、２画素と終端コードＥで構成される例である。図１７の（ｄ）は、２〜８画素のラン連続と終端コードＥで構成される例である。図１７の（ｅ）は、１２８画素以下のラン連続と終端コードＥで構成される例、図１７の（ｆ）は、背景コードを用いた例を示す図である。
【０１１１】
図１７の（ｆ）は、図１７の（ｂ）と同等のデータ列であるが、１ラインの画素数が判っており、終了コードを使用しない場合において、“００００００００”を背景コードとして用いている。すなわち、１ラインについて、全て同一の画像データによる背景画像を作っている場合は、ランレングス圧縮フラグ（Comp）のユニットの後に、一つのピクセルデータを置き、その後に、１ラインが同一の背景画像であることを意味する背景コードを置くことにより、これを表示することも可能である。このように背景画像を表示してエンコードし、これに応じて、一つのピクセルデータに応じた背景画像をデコードすることにより、背景画像を高い圧縮率で圧縮し伸張することが可能となる。
【０１１２】
図１８は、図１３で示した基本となるランレングス圧縮ルール（ライン単位）の別パターンである。基本的なデータ構造は、図１３と同様に、ラン連続の有無を示す１ビットのランレングス圧縮フラグ（Comp）（ｄ０）、ランレングス圧縮フラグ（Comp）＝１（有り）の時、カウンタ拡張の有無を示す１ビットのカウンタ拡張フラグ（Ext）（ｄ１）、連続するランの３ビットのカウンタ（Counter）（ｄ２〜ｄ４）及びカウンタ拡張フラグ（Ext）＝１（有り）の時、前記３ビットのカウンタと結合して７ビットのカウンタとして利用される４ビットの拡張カウンタ（Counter (Ext)）（ｄ５〜ｄ８）、そして図１８の（ａ）〜（ｃ）の各パターンに応じて、ラン画素データを示す４ビットのピクセルデータ（（ａ）ｄ１〜ｄ４、（ｂ）ｄ５〜ｄ８及び（ｃ）ｄ９〜ｄ１２）から構成される。
【０１１３】
図１３と同様に、図１８の（ａ）に示すパターンは、ラン連続無しの１画素データを表現することが可能であり、図１８の（ｂ）に示すパターンは、ラン連続する２〜８画素データをカウンタを用いて表現することが可能である。又、図１８の（ｃ）に示すパターンは、ラン連続する９〜１２８画素データをカウンタ（Counter）及び拡張カウンタ（Counter (Ext)）を用いて表現することが可能である。図１８の（ｄ）に示すパターンは、ライン単位のランレングス圧縮の終了を示すライン終端コードＥである。
【０１１４】
本実施の形態に係るエンコード・デコード方法は、ディスク装置のエンコーダ部及びデコーダ部だけではなく、広く、一つのエンコード・デコード方法として一般的なデジタルデータ処理に適用することができる。従って、これをマイクロコンピュータとこれに命令を与えるコンピュータプログラムという形態によって同等の手順を取ることにより、同等の作用効果を発揮するものである。
【０１１５】
副映像のヘッダと表示制御シーケンス（図１９（Ａ）−（Ｃ））
表示制御シーケンステーブル（ＳＰ＿ＤＣＳＱＴ）は副映像ユニット（ＳＰＵ）の有効期間中に副映像データの表示開始／停止と属性を変更するための表示制御シーケンスであり、図１９に示すように、表示制御シーケンス（ＳＰ＿ＤＣＳＱ）がその実行順に記述されている。同一の実行時刻を持つ表示制御シーケンス（ＳＰ＿ＤＣＳＱ）が表示制御シーケンステーブル（ＳＰ＿ＤＣＳＱＴ）内に存在してはならない。副映像ユニットに一個以上の表示制御シーケンス（ＳＰ＿ＤＣＳＱ）が記述されなければならない。
【０１１６】
各表示制御シーケンス（ＳＰ＿ＤＣＳＱ）には、図１９（Ｂ）、図１９（Ｃ）に示すように、２バイトの表示制御シーケンス（ＳＰ＿ＤＣＳＱ）の開始時刻（ＳＰ＿ＤＣＳＱ＿ＳＴＭ）、４バイトの次の表示制御シーケンスの先頭アドレス（ＳＰ＿ＮＸＴ＿ＤＣＳＱ＿ＳＡ）、１つ以上の表示制御コマンド（ＳＰ＿ＤＣＣＭＤ）が記述されている。
【０１１７】
表示制御シーケンスの開始時刻（ＳＰ＿ＤＣＳＱ＿ＳＴＭ）は、表示制御シーケンス（ＳＰ＿ＤＣＳＱ）内に記述されたＳＰ表示制御コマンド（ＳＰ＿ＤＣＣＭＤ）の実行開始時刻を、ＳＰ＿ＰＫＴ内に記述されたＰＴＳからの相対ＰＴＭで記述する。記述された実行開始時刻後の最初のトップフィールドから表示制御シーケンスはその表示制御シーケンス（ＳＰ＿ＤＣＳＱ）に従って開示される。
【０１１８】
最初の表示制御シーケンス（ＳＰ＿ＤＣＳＱ（ＳＰ＿ＤＣＳＱ＃０））内の開始時刻（ＳＰ＿ＤＣＳＱ＿ＳＴＭ）は“００００ｂ”でなければならない。実行開始時刻はＳＰパケットヘッダ内に記録されたＰＴＳ以上でなければならない。従って、表示制御シーケンスの開始時刻（ＳＰ＿ＤＣＳＱ＿ＳＴＭ）は“００００ｂ”又は以下で計算される正整数値でなければならない。
【０１１９】
ＳＰ＿ＤＣＳＱ＿ＳＴＭ［２５…１０］
＝（２２５×ｎ）／６４
なお、０≦ｎ≦１８６４１（６２５／５０  ＳＤＴＶシステムの場合）
ＳＰ＿ＤＣＳＱ＿ＳＴＭ［２５…１０］
＝（３００３×ｎ）／１０２４；
なお、０≦ｎ≦２２３４７（５２５／６０  ＳＤＴＶシステムの場合）
ＳＰ＿ＤＣＳＱ＿ＳＴＭ［２５…１０］
＝２２５×ｎ）／６４
なお、０≦ｎ≦１８６４１（ＨＤＴＶシステムの場合）
上式でｎはＳＰＵのＰＴＳ後のビデオフレーム番号である。ｎ＝０は丁度ＰＴＳ時刻のビデオフレームを意味する。“／”は小数点以下切捨てによる整数除算を意味する。
【０１２０】
ＳＰＵ内の最後のＰＴＭは次のＳＰＵを含むＳＰパケット内に記述されたＰＴＳ以下でなければならない。最後のＰＴＭは次のように定義される。
【０１２１】
最終ＰＴＭ  SPU#I
＝ＰＴＭ  SPU#i  ＋  ＳＰ＿ＤＣＳＱ＿ＳＴMlast  SPDCSQ
＋  １ビデオフレーム期間
次の表示制御シーケンスの開始アドレス（ＳＰ＿ＮＸＴ＿ＤＣＳＱ＿ＳＡ）は次の表示制御シーケンス（ＳＰ＿ＤＣＳＱ）の先頭アドレスをＳＰＵの先頭バイトからの相対バイト番号（ＲＢＮ）で記述する。次の表示制御シーケンス（ＳＰ＿ＤＣＳＱ）が存在しない場合には本表示制御シーケンス（ＳＰ＿ＤＣＳＱ）の先頭アドレスをＳＰＵの先頭バイトからのＲＢＮで記述する。
【０１２２】
ＳＰ＿ＤＣＣＭＤ＃ｎは本表示制御シーケンス（ＳＰ＿ＤＣＳＱ）内で実行される一個以上の表示制御コマンド（ＳＰ＿ＤＣＣＭＤ）を記述する。同一の表示制御コマンド（ＳＰ＿ＤＣＣＭＤ）を二回以上記述してはならない。
【０１２３】
３〕本発明の再生専用情報記録媒体（次世代ＤＶＤ−ＲＯＭ）、追記形情報記録媒体（次世代ＤＶＤ−Ｒ）、書き換え形情報記録媒体（次世代ＤＶＤ−ＲＡＭ）間で共通なデータ構造部分
情報記録媒体のデータフィールドに記録されるデータは、図２０に示すように、信号処理段階に応じて、データフレーム（Data  frame）、スクランブルドフレーム（the  Scrambled  frame）、記録フレームまたは記録データフィールド（the  Recording  frame  or  the  Recorded  data  field）と称される。データフレームは、２０４８バイトからなり、メインデータ、４バイトのデータＩＤ、２バイトのＩＤエラー検出コード（IED）、６バイトの予約バイト、４バイトのエラー検出コード（EDC）を有する。
【０１２４】
エラー検出コード（EDC）が付加された後、メインデータに対するスクランブルが実行される。ここで、スクランブルされた３２個のデータフレーム（スクランブルドフレーム）に対して、クロスリードソロモンエラーコレクションコード（Cross  Reed-Solomon  error  correction  code）が適用されて、所謂ECCエンコード処理が実行される。これにより、記録フレームが構成される。この記録フレームは、アウターパリティーコード（the  Parity  of  Outer-code  (PO)）、インナーパリティーコード（the  Parity  of  Inner-code  (PI)）を含む。
【０１２５】
PO,PIは、それぞれ３２個のスクランブルドフレームによりなる各ECCブロックに対して作成されたエラー訂正コードである。
【０１２６】
記録データフィールドは、４／６変調される。そして、９１バイト毎に先頭に同期コード（SYNC）が付加され記録フレームとなる。１つのデータフィールドに４つの記録データフィールドが記録される。
【０１２７】
図２０は、メインデータから記録フレームまで、データが変遷する様子を示している。図２１は、データフレームの形態を示している。データフレームは、１７２バイト×２×６行からなる２０６４バイトであり、そのなかに２０４８バイトのメインデータを含む。
【０１２８】
図２２は、データＩＤを示す、データＩＤは、４バイトで構成される。ビットｂ３１−ｂ２４の最初の１バイトは、データフィールド情報であり、３バイト（ビットｂ２３−ｂ０）は、データフィールド番号である。
【０１２９】
エンボスドデータゾーンの中のデータフィールド情報は、次のようになっている。セクターフォーマットタイプ、トラッキング方法、反射率、記録タイプ、エリアタイプ、データタイプ、層番号等の情報が含まれる。
【０１３０】
セクターフォーマットタイプ…１ｂ  ならゾーンフォーマットタイプ、トラッキング方法…０ｂならピットトラッキング、反射率…１ｂなら４０％と等しいかそれ以下、記録タイプ…０ｂならジェネラル、１ｂならリアルタイム情報（０ｂと１ｂで欠陥管理方法が異なる）、エリアタイプ…０１ｂでリードインエリア、データタイプ…０ｂでリードオンリーデータ、層番号…０ｂでデュアルレイヤーの層０或は、単一層ディスクを示し、１ｂでデュアルレイヤーの層１を示す。
【０１３１】
リライタブルデータゾーンの中のデータフィールド情報は、次のようになっている。
【０１３２】
セクターフォーマットタイプ…１ｂ  ならゾーンフォーマットタイプ、トラッキング方法…１ｂならグルーブトラッキング、反射率…１ｂなら４０％と等しいかそれ以下、記録タイプ…０ｂならジェネラル、１ｂならリアルタイム情報（０ｂと１ｂで欠陥管理方法が異なる）、エリアタイプ…００ｂでデータエリア、０１ｂでリードインエリア、１０ｂでリードアウトエリア、データタイプ…１ｂでリライタブルデータ、層番号…０ｂでデュアルレイヤーの層０或は、単一層ディスクを示し、１ｂでデュアルレイヤーの層１を示す。これらのビットは、また上記のルールで割り当てられなければならない。
【０１３３】
図２３は、データフィールド番号の内容を示している。ＥＣＣブロックが、エンボスドデータゾーン、欠陥管理エリア、ディスク識別ゾーンに所属する場合は、いずれの場合もセクター番号が記述される。ＥＣＣブロックがデータエリアに所属する場合、そのデータフィールド番号は、「論理セクタ番号（ＬＳＮ）＋０３１０００ｈ」となる。このときは、ＥＣＣブロックには、ユーザデータが含まれる。
【０１３４】
また、ＥＣＣブロックがデータエリア内に所属するが、このＥＣＣブロックはユーザデータを含まず、つまり未使用ＥＣＣブロックである場合がある。このような場合は、次の３つのいずれかである。（１）最初のセクタの０から３ビットが０であり、続くセクタにはシリアルにインクリメントされたフィールド番号が記述される。（２）００  ００００ｈから００  ０００Ｆｈの間のフィールド番号が記述される。（３）あるいは何も記述されない。
【０１３５】
図２４には、記録タイプの定義を示している。
【０１３６】
つまり、ＥＣＣブロックがエンボスドデータゾーンにあるときは、「予約」である。ＥＣＣブロックがリライタブルデータゾーンにあり、かつリードインエリア、リードアウトエリアにあるときは、「予約」である。ＥＣＣブロックがリライタブルデータゾーンにあり、データエリアにあるときは、０bでジェネラルデータ（Ｇｅｎｅｒａｌ  data）、１bでリアルタイムデータ（Real-time  data）を意味する。
【０１３７】
General data dataの場合は、もしブロックに欠陥がある場合は、対応するセクタに対してリニアリプレイスメントアルゴリズム（Linear  replacement  algorithm）が適用されたものであル。リアルタイムデータの場合は、もしブロックに欠陥がある場合は、対応するセクタに対してリニアリプレイスメントアルゴリズムが適用されていない。
【０１３８】
次にデータＩＤのエラー検出コード（ＩＥＤ）について説明する。
【０１３９】
今、マトリックスに配置された各バイトが、Ｃi,j(i=０〜１１、ｊ＝０〜１７１)
ＩＥＤのための各バイトがＣ０,j(j=０〜４)とすると、ＩＥＤは、以下のように表せる。
【数１】
2008010147.tif 000003
【０１４０】
ここで、
【数２】
2008010147.tif 000004
【０１４１】
αは、represents  the  primitive  root  of  the  primitive  polynomial.
【数３】
2008010147.tif 000005
【０１４２】
次に６バイトのＲＳＶについて説明する。
【０１４３】
ＲＳＶの最初のバイトはスクランブルのための種情報として使用される。他の５バイトは、０ｈであり予約（ｒｅｓｅｒｖｅｄ）である。
【０１４４】
エラー検出コード（ＥＤＣ）は、４バイトのチェックコードであり、スクランブル前のデータフレームの２０６０バイトに付随している。データＩＤの最初のバイトのＭＳＢがｂ１６５１１であるとし、最後のバイトのＬＳＢがｂ０であるとする。すると、ＥＤＣのための各ビットｂｉ（ｉ＝３１〜０）は、
【数４】
2008010147.tif 000006
【０１４５】
ここで
【数５】
2008010147.tif 000007
【０１４６】
図２５（Ａ）は、スクランブルドフレームを作成するときに、フィードバックシフトレジスタに与える初期値の例を示し、図２５（Ｂ）は、スクランブルバイトを作成するためのフィードバックシフトレジスタを示している。１６種類のプリセット値が用意されている。
【０１４７】
ｒ７（ＭＳＢ）からｒ０（ＬＳＢ）が、８ビットずつシフトし、スクランブルバイトとして用いられる。図２５（Ａ）の初期プリセット番号は、データＩＤの４ビット（ｂ７（ＭＳＢ）〜ｂ４（ＬＳＢ））に等しい。データフレームのスクランブルの開始時には、ｒ１４〜ｒ０の初期値は、図２５（Ａ）のテーブルの初期プリセット値にセットしなければならない。
【０１４８】
１６個の連続するデータフレームに対して、同じ初期プリセット値が用いられる。次には、初期プリセット値が切り換えられ、１６個の連続するデータフレームに対しては、切り換わった同じプリセット値が用いられる。
【０１４９】
ｒ７〜ｒ０の初期値の下位８ビットは、スクランブルバイトＳ０として取り出される。その後、８ビットのシフトが行なわれ、次にスクランブルバイトが取り出され、２０４７回このような動作が繰り替えされる。ｒ７〜ｒ０より、スクランブルバイトＳ０〜Ｓ２０４７が取り出されると、データフレームは、メインバイトＤｋからスクランブルドバイトＤ’ｋとなる。このスクランブルドバイトＤ’ｋは、
【数６】
2008010147.tif 000008
【０１５０】
となる。
【０１５１】
次に、ＥＣＣブロックの構成について説明する。（Ｄ）（Ｅ）
図２６にはＥＣＣブロックを示している。ＥＣＣブロックは、連続する３２個のスクランブルドフレームから形成されている。縦方向に１９２行＋１６行、横方向に（１７２＋１０）×２列が配置されている。Ｂ０，０、Ｂ１，０、…はそれぞれ１バイトである。ＰＯは、ＰＩは、エラー訂正コードであり、アウターパリティー、インナーパリティーである。
【０１５２】
図２６のＥＣＣブロックは、（６行×１７２バイト）単位が１スクランブルドフレームとして扱われる。このようにスクランブルドフレーム配置として書き直した図が、図２７である。つまり連続する３２個のスクランブルドフレームからなる。さらに、このシステムでは、（ブロック１８２バイト×２０７バイト）をペアとして扱う。左側のＥＣＣブロックの各スクランブルドフレームの番号にＬを付け、右側のＥＣＣブロックの各スクランブルドフレームの番号にＲを付けると、スクランブルドフレームは、図２７に示すように配置されている。つまり左側のブロックに左と右のスクランブルドフレームが交互に存在し、また右側のブロックにスクランブルドフレームが交互に存在する。
【０１５３】
つまり、ＥＣＣブロックは、３２個の連続スクランブルドフレームから形成される。奇数セクタの左半分の各行は、右半分の行と交換されている。１７２×２バイト×１９２行は１７２バイト×１２行×３２スクランブルドフレームに等しく、情報フィールドとなる。１６バイトのＰＯが、各１７２×２列にＲＳ（２０８，１９２，１７）のアウターコードを形成するために付加される。また１０バイトのＰＩ（ＲＳ（１８２，１７２，１１））が、左右のブロックの各２０８×２行に付加される。ＰＩは、ＰＯの行にも付加される。
【０１５４】
フレーム内の数字は、スクランブルドフレーム番号を示し、サフィックスのＲ，Ｌは、スクランブルドフレームの右側半分と、左側半分を意味する。図２６に示したＰＯ，ＰＩの生成は以下のような手順で行なわれる。
【０１５５】
先ず、列ｊ（ｊ＝０〜１７１と、ｊ＝１８２〜３５３）に対して、１６バイトのＢi,j(ｉ＝１９２〜２０７)が付加される。このＢi,jは、次の多項式Ｒj(X)により定義されており、
この多項式は、アウターコードＲＳ（２０８，１９２，１７）を各１７２×２列に形成するものである。
【数７】
2008010147.tif 000009
【０１５６】
ここで
【数８】
2008010147.tif 000010
【０１５７】
次に、行i（i＝０〜２０７）に対して、１０バイトのＢi,j(j＝１７２〜１８１、j＝３５４〜３６３)が付加される。このＢi,jは、次の多項式Ｒi(X)により定義されており、
この多項式は、インナーコードＲＳ（１８２，１７２，１１）を（２０８×２）／２の各行に形成するものである
【数９】
2008010147.tif 000011
【０１５８】
ここで
【数１０】
2008010147.tif 000012
【０１５９】
【数１１】
2008010147.tif 000013
【０１６０】
ここで
【数１２】
2008010147.tif 000014
【０１６１】
【数１３】
2008010147.tif 000015
【０１６２】
図２６の各Ｂマトリックスの要素であるＢi,jは、２０８行×１８２×２列を構成している。このＢマトリックスは、Ｂi,jがＢｍ,ｎで再配置されるように、行間においてインターリーブされている。このインタリーブの規則は以下の式で表される。
【数１４】
2008010147.tif 000016
【０１６３】
この結果、図２８に示す様に、１６のパリティー行は、１行ずつ分散される。つまり、１６のパリティー行は、２つの記録フレーム置きに対して、１行ずつ配置される。したがって、１２行からなる記録フレームは、１２行＋１行となる。この行インターリーブが行なわれた後、１３行×１８２バイトは、記録フレームとして参照される。したがって、行インターリーブが行なわれた後の、ＥＣＣブロックは、３２個の記録フレームである。１つの記録フレーム内には、図２７で説明したように、右側と、左側のブロックの行が６行ずつ存在する。また、ＰＯは、左のブロック（１８２×２０８バイト）と、右のブロック（１８２×２０８バイト）間では、異なる行に位置するように配置されている。図では、１つの完結型のＥＣＣブロックとして示している。しかし、実際のデータ再生時には、このようなＥＣＣブロックが連続してエラー訂正処理部に到来する。このようなエラー訂正処理の訂正能力を向上するために、図２８に示すようなインターリーブ方式が採用された結果である。
【０１６４】
次に、記録データフィールドの構成（ポイントＦ）について説明する。
【０１６５】
１３行×１８２バイトの記録フレーム（２３６６バイト）が連続変調され、これに２つの同期コードが付加される。１つの同期コードは第０列の前、もう１つの同期コードは第９１番目の列の前に付加される。  データフィールドの開始時は、同期コードＹ０の状態は、ｓｔａｔｅ  １（図３０の状態１）である。記録データフィールドは、図２９に示すように、１３セット×２ｓｙｎｃ  フレームである。２９０１６チャンネルビット長の１つの記録データフィールドは、変調前は、２４１８バイトに等価である。
【０１６６】
図２９のＳＹ０−ＳＹ３は同期コード（ＳＹＮＣ）コードであり、図３０に示すコードの中から選択されたものである。図２９に記載されている数字２４、数字１０９２はチャンネルビット長である。
【０１６７】
図２９において偶数記録データフィールド（Even  Recorded  data  field）及び奇数記録データフィールド（Odd  Recorded  data  field）のいずれも最後の２シンクフレーム（すなわち最後の“SYNC  codeがＳＹ３”の部分とその直後の“シンクデータ”及び“SYNC  codeがＳＹ１”の部分とその直後の“シンクデータ”が並んだ部分）内のシンクデータ領域に図２８で示したＰＯ（Parity  Out）の情報が挿入される。
【０１６８】
Even Recorded data field 内の最後の２シンクフレーム箇所には図２７に示した“左側のＰＯの一部”が挿入され、Odd Recorded data field 内の最後の２シンクフレーム箇所には図２７に示した“右側のＰＯの一部”が挿入される。図２７に示すように１個のＥＣＣブロックはそれぞれ左右の“小ＥＣＣブロック”から構成され、セクター毎に交互に異なるＰＯグループ（左の小ＥＣＣブロックに属するＰＯか、右の左の小ＥＣＣブロックに属するＰＯか）のデーターが挿入される。
【０１６９】
同期コードＳＹ３，ＳＹ１が連続する左側のデータフィールドは、図２９の上段（Ａ）に示されており、同期コードＳＹ３，ＳＹ１が連続する右側のデータフィールドは、図２９の下段（Ｂ）に示されている。
【０１７０】
図３１は、情報記録媒体（光ディスク）の物理セクタレイアウトナンバリングの例を示している。図３１（Ａ）は単一層のディスクであり、図３１（Ｂ）と図３１（Ｃ）は、複数の層を有するディスクである。図３１（Ｃ）のセクタ番号は、xのビット値が０あるいは１に置き換えられ反転されるように計算される。セクタ番号  １６の倍数である。
【０１７１】
図３１に示すように、セクターアドレスを示すセクター番号が設定される。本発明では再生専用情報記録媒体のみならず、記録可能形情報記録媒体に対しても片面２記録層に対応するフォーマットを提供している。
【０１７２】
本発明における再生専用情報記録媒体におけるリードインエリア（Lead-in  area）内のデータ構造説明図を図３２に示す。
【０１７３】
また、本発明の書き換え形情報記録媒体における全体のデータ構造説明図を図３３に示す。
【０１７４】
４〕本発明の再生専用情報記録媒体（次世代ＤＶＤ−ＲＯＭ）における第１の実施例（Ｃ）
本発明では再生専用情報記録媒体（次世代ＤＶＤ−ＲＯＭ）における記録データのデータ構造は２種類許容し、記録するデータ内容によりコンテンツプロバイダーがどちらか一方を選択可能としている。
【０１７５】
４-１）本発明の再生専用情報記録媒体（次世代ＤＶＤ−ＲＯＭ）の第１の実施例におけるデータ構造説明
本発明において情報記録媒体に記録可能なデータないしは情報記録媒体に記録されたデータが第１のデータ単位（ＥＣＣブロック４０１）を有し、前記第１のデータ単位は第２のデータ単位（セグメント４１１〜４１８）から構成され、前記第２のデータ単位は第３のデータ単位（セクター２３０〜２４１）から構成され、前記第３のデータ単位は第４のデータ単位（シンクデータ４３２）から構成され、かつ、前記第１のデータ単位内でデータのエラー検出もしくはエラー訂正が可能である事を特徴としている。
【０１７６】
すなわち本発明実施例では情報記録媒体２２１の種類（再生専用／追記可能形／書き換え可能形）に依らず、情報記録媒体２２１上に記録されるデータは図３４に示すようなデータ単位に階層構造を持っている。データのエラー検出もしくはエラー訂正が可能となる最も大きなデータ単位である一個のＥＣＣブロック４０１内は８個のセグメント４１１〜４１８に分割されている所に本発明の最も基本となる特徴が有る〔発明ポイント（Ｇ）に対応〕。前記１個のセグメント４１１〜４１８はそれぞれ４個のセクター２３０〜２３３または２３４〜２３８から構成されている。図３４に示す各セクター２３０〜２４１は図３に示したパック単位で記録するセクター２３１〜２３８と同じ内容を示している。図２９と図２８で既に説明し、再度図３４に示すように、各セクター２３０〜２４１内はそれぞれ２６個ずつのシンクフレーム＃０  ４２０  〜  ＃２５  ４２９  から構成される。１個のシンクフレーム内は図３０に示したシンクコード４３１とシンクデータ４３２を構成する。１個のシンクフレーム内は図２９に示すように１１１６チャネルビット（２４＋１０９６）のデータが含まれ、この１個のシンクフレームが記録される情報記録媒体２２１上の物理的距離であるシンクフレーム長４３３は至る所ほぼ一定（ゾーン内同期のための物理的距離の変化分を除いた場合）になっている。
【０１７７】
また、再生専用情報記録媒体において複数種類の記録形式を設定可能とする所〔発明ポイント（Ｃ）に対応〕にも本発明の特徴がある。具体的には再生専用情報記録媒体の第１の実施例と第２の実施例に示す２種類の記録形式が有る。本発明再生専用情報記録媒体における第１の実施例と第２の実施例の違いを図３５に示す。図３５（ａ）は第１の実施例を示し、各セグメント  ＃１  ４１１  〜  ＃８  ４１８  間は物理的に詰めて連続して情報記録媒体２２１上に記録される。それに対して第２の実施例では図３５（ｂ）に示すように各セグメント＃１  ４１１〜＃８  ４１８間にそれぞれヘッダ領域＃１  ４４１〜＃８  ４４８が挿入配置されている所が異なる〔発明ポイント（Ｈ）に対応〕。各ヘッダ領域＃１  ４４１〜＃８  ４４８の物理的長さは前記シンクフレーム長４３３に一致している。
【０１７８】
図３１から分かるように情報記録媒体２２１に記録されるデータの物理的距離は前記シンクフレーム長４３３を基本単位として扱われているため、前記各ヘッダ領域＃１  ４４１〜＃８  ４４８の物理的長さもシンクフレーム長４３３に一致させることで情報記録媒体２２１上に記録されるデータに対する物理配置の管理やデータへのアクセス制御が容易になるという効果を持つ。
【０１７９】
４-２）本発明の再生専用情報記録媒体（次世代ＤＶＤ−ＲＯＭ）の第２の実施例との共通部分
Lead-in  と  Lead-out  の部分は詰めて記録するデータ構造とする、［効果］…情報記録媒体内の全領域に渡りデータ構造が異なると、再生装置が情報記録媒体の再生を初めて開始する時にどちらで対応すれば良いか迷い、再生開始時間が必要以上に掛かってしまう。情報記録媒体の一部（Lead-inとLead-outの部分）のデータ構造を共通とする事で起動時（情報記録媒体装着直後の情報再生装置または情報記録再生装置の再生開始時）にまず最初にその部分にアクセスし、最低限必要な情報を同一フォーマットで再生が行える。従って起動時に安定かつ高速に再生を開始する事が可能となる。
【０１８０】
４ー３）２種類のフォーマットの識別情報の記録場所〔発明ポイント（Ｃ）に対応〕
（４−３１１）  同一ディスク内ではフォーマットは共通とする（ディスクの途中からフォーマット変更不可）、
他の実施例として
（４−３１２）  記録するコンテンツ内容に応じて同一ディスク内で２フォーマット混在を許す、また
（４−３１３）  ＤＶＤ−ＲＯＭのフォーマット識別フラグ情報（２案を一部含むか）をディスクに記録する、
（４−３２１）フォーマット識別フラグ情報を共通のフォーマット領域内に記録する…図３２に示した  Control  Data  Zone  内に記録する、
（４−３２２）フォーマット識別フラグ情報は記録可能領域に記録する…書き換え可能形情報記録媒体に対しては図３３のRewritable  data  zone  内のDisc  identification  zone内に上記識別フラグを持たせる。
【０１８１】
５〕本発明の再生専用情報記録媒体（次世代ＤＶＤ−ＲＯＭ）における第２の実施例
５-１）セグメント間に“ＲＯＭヘッダ”を配置する構造説明
本発明再生専用情報記録媒体における第２の実施例に示す記録形式は上述し図３５（ｂ）に示すように各セグメント  ＃１  ４１１  〜  ＃８  ４１８  間にヘッダ領域  ＃１  ４４１  〜  ＃８  ４４８  を挿入配置した構造となっている〔発明ポイント（Ｃ）に対応〕。
【０１８２】
５ー２）第２の実施例における“ＲＯＭヘッダ”内の具体的なデータ構造説明〔発明ポイント（Ｈ）に対応〕
従来のＲＯＭメディアにおける再生動作では、先ず要求データブロックが含まれた誤り訂正ブロックを読み出す必要があり、現在位置から指定ブロックが存在するであろう位置をブロック番号差などから計算し、位置を予測してシーク動作を開始する。予測された指定場所までシーク後に、情報データから読出しクロックを抽出してチャネルビット同期やフレーム同期信号の検出並びにシンボル同期を行い、シンボルデータを読出し、その後にブロック番号を検出して指定ブロックであることを確認する事になる。即ち、一般のＲＯＭメディア再生では、情報ピットによるＲＦ信号しか検出信号が存在しない為、ディスク回転制御や情報線速度、更にはデータ読出しクロックであるチャネルビット読出しクロック生成など、全てがＲＦ信号に委ねられる。記録再生メディアでは、記録場所を指定するために、本発明の目指す所であるアドレス情報等が、データ情報の記録とは別の信号形態で存在する事から、チャネルビットクロック生成ＰＬＬなどは、そのような信号を用いて、線速度等を検出する事が可能であり、ＰＬＬの発信周波数を正しいチャネルビットクロック周波数の近傍に制御させておくことが可能となる。このためＰＬＬのロックアップタイムを短縮できるだけでなく、暴走防止も可能など最適なシステムの提供が可能になっている。しかしながら、ＲＯＭメディアではこのような信号が利用できない事から同様の制御システムが利用できない為、従来情報信号の最大符号長（Ｔｍａｘ）や最短符号長（Ｔｍｉｎ）信号を利用するなどでシステムを構築していた。即ち、ＲＯＭメディアでは如何にＰＬＬを早期ロック状態にする事ができるかが重要であり、その為の信号形態の提供が望まれていた。しかし、既存のＣＤやＤＶＤにおけるＲＯＭメディアは、記録密度のみに着目してデータ／トラック構造が決められ、その後に記録再生メディアのデータ／トラック構造を構築した事から、メディア毎に異なるデータストリームなどになっている。
【０１８３】
ＲＯＭメディアやＲ／ＲＡＭなどの記録再生メディアのデータストリームを近似させながら、更に次世代メディアの記録方式開発にあたっては、記録密度向上施策が導入が検討されている。この記録密度向上技術の一つとして、変調効率向上があり、記録再生ビーム径に対する最短ピット長（Ｔｍｉｎ）の縮小される、新しい変調方式導入が考えられている。ビーム系に対して最短ピット長が縮小されると、信号振幅は取れなくなりデータの読出しはＰＲＭＬ技術などで可能になっても、チャネルビット分離を行うチャネルビットクロック生成用ＰＬＬの位相検出が困難となる。上記に記載したとおりピット信号のみに頼るＲＯＭメディアでのＰＬＬロック容易性は、高密度化技術の導入で益々厳しくなる事から、高速シーク等も難しくなり、そのための補助信号挿入が必要になってきている。
【０１８４】
本発明再生専用情報記録媒体における第２の実施例に示す記録形式は上述し図３５（ｂ）に示すように、ＲＯＭメディアも各セグメント＃１  ４１１〜＃８  ４１８間にヘッダ領域＃１  ４４１〜＃８  ４４８を挿入配置した構造とし、ヘッダ領域にシーク容易性並びにチャネルビットクロック生成用ＰＬＬのロック容易性に必要な信号を挿入する事で、記録再生メディアの再生処理と同様な制御が実現可能を実現する目的もある。
【０１８５】
図６８は、ＲＯＭメディアにおけるヘッダ領域の１実施例を示した図である。ヘッダ領域は、ヘッダー同期（Header  Sync）１００１と特定コード（Specific  code）１００２から構成され、Header  Syncは情報信号中のTmaxより長いチャネルビット長が複数回繰り返された構成とし、Specific  codeは誤り訂正ECCブロックナンバーやセグメント番号（Segment-No）、更に著作権保護信号やその他の制御情報信号を構成させる。情報データのフレーム同期信号に使われるTmax信号は、チャネルビット同期とシンボル同期性能を考慮して符号長が決められるが、セグメントヘッダ領域の同期信号はその制約が少ない為、可変速再生におけるシーク動作中において、他の情報データ領域とは異なる信号形態が検出できれば、その検出距離を調べる事で、線速度などの予測信号になり、チャネルビットクロック生成用ＰＬＬの発信周波数が暴走していても、近傍に制御させる事が可能になる。具体的な方法としては、フレーム同期信号等に挿入されているＴｍａｘ信号より更に符号長の長い信号を複数回構成する方法等が考えられる。
【０１８６】
Specific  codeは、データ領域では構成されない特殊制御信号を配置させることに利用できる。例えば、著作権保護信号やメディア固有情報信号等であり、そのような特殊情報領域を確保しておく事で、システム発展性も可能になる。
【０１８７】
図６９は、別の実施例を示した図である。ヘッダ領域は、ヘッダー同期（Header  Sync）１００１とランダムコード（Random  code）１００３から構成される。図６８のSpecific  codeの領域に、チャネルビットクロック生成用ＰＬＬが容易にロック状態に入れるようなランダム信号を配置するものである。従来ＤＶＤ−ＲＡＭ等の記録メディアではＰＬＬが容易にロック状態を実現できるよう、一定符号長の繰り返し信号（ＶＦＯ）を挿入していた。ＲＯＭメディアでは、トラッキングエラー信号検出方法として位相差検出法が採用される可能性が高く、この位相差検出法では、隣接トラックの信号パターンが本トラックの信号パターンと近似したまま続くと、隣接トラックからのクロストークによってトラッキングエラー信号が検出出来なくなる現象が発生する。このため、記録メディアなどに使われる一定周期の信号で構成されるＶＦＯ信号の採用は問題がある。一方で、高密度化対応としてＰＲＭＬ方式等使われる場合の最短符号長では、チャネルビットクロック生成ＰＬＬでの位相差検出が困難な信号が多くなる。当然ＰＬＬの位相ロック容易化からは、位相検出回数が多いほうが検出感度が高くなるため、その点を考慮する必要がある。そこで、図６９における  Random  code部分は、PLL位相検出に信頼性がない最短ピット側の一部符号長と検出回数が少なくなる最長ピット側の一部符号長を削除した限定された符号長の組合せによるランダム信号を導入するものである。即ち、ラン長制限された符号によるランダム信号を利用する。
【０１８８】
尚、図６８におけるSpecific  codeもセグメントナンバーで初期値が指定される乱数発生器からのランダム信号でスクランブルする事も考えられる。このときのスクランブルデータを記録信号に変調する時、変調テーブルを変形して、ラン長制限された記録信号ストリームになるよう構成する事が望ましい。このような処理によって、現行ＤＶＤ-ROMのデータ領域で対応しているスクランブル処理機能と同様に、Specific  code領域での隣接トラックパターン一致を防止する事が可能になる。
【０１８９】
６〕本発明の記録可能形情報記録媒体と上記再生専用情報記録媒体（次世代ＤＶＤ−ＲＯＭ）とのフォーマット上の関係説明
図３６を用いて本発明における記録可能形の記憶媒体と再生専用情報記録媒体での記録形式（フォーマット）上の関係を説明する。図３６（ａ）と（ｂ）は図３５に示した再生専用情報記録媒体の第１と第２の実施例をそのまま転記した物である。記録可能形情報記録媒体に対しては再生専用情報記録媒体の第２の実施例と同じく、各セグメント＃１  ４１１〜＃８  ４１８の間にシンクフレーム長４３３と同じ長さのヘッダ領域を設けている。但し、再生専用情報記録媒体と図３６（ｃ）に示す追記形情報記録媒体のヘッダ領域＃２  ４５２〜＃８  ４５８  とではそれぞれヘッダ領域に記録するデータ（記録マーク）のパターンが異なる。同様に図３６（ｂ）に示す再生専用情報記録媒体のヘッダ領域＃２  ４４２〜＃８  ４４８と図３６（ｄ）に示す書き換え形情報記録媒体のヘッダ領域＃２  ４６２〜＃８  ４６８ではそれぞれヘッダ領域に記録するデータ（記録マーク）のパターンが異なる。それにより情報記録媒体２２１の種別判別が可能となる。
【０１９０】
再生専用情報記録媒体のヘッダ領域の利用方法に関しては、前記〔５〕項で説明したが、ここで改めて再生専用情報記録媒体と記録可能型情報記録媒体について、その違いからくるヘッダ領域の利用方法について、図３６（ｂ）、（ｃ）、（ｄ）にて説明する。尚、ここで示した追記型情報記録媒体とは、記録動作が一回のみのライトワンス型記録媒体であり、通常は連続した記録処理が行われるが、特定のブロック単位で記録する場合は、前に記録したブロックに連続して、追記方式で次にデータブロックを記録する方式が採られる為、図３６では追記型情報記録媒体と読んでいる。
【０１９１】
各メディアのヘッダ構造に違いを説明する前に、再生専用情報記録媒体と記録再生形媒体のデータストリームの違いを説明しておきたい。再生専用情報記録媒体は、チャネルビット及びシンボルデータの関係が、ヘッダ領域も含めて全データブロックで、指定された関係で連続している。しかしながら、追記型情報記録媒体では、記録動作が停止したブロック間では、少なくともチャネルビットの位相は変化してしまう。書き換え型情報記録媒体では、セグメント単位で位相が変化してしまう可能性が高い。即ち、再生専用媒体では、チャネルビット位相は最初から最後まで連続しているが、記録形媒体では、ヘッダ領域でチャネルビット位相が大きく変化してしまう性質がある。
【０１９２】
一方で、記録形媒体は記録トラックは物理的に記録トラック溝が構成され、その溝は記録レート制御やアドレッシング情報の挿入などの目的で、ウォブリングされている事から、チャネルビットクロック生成ＰＬＬの発信周波数を制御可能であり、可変速再生などの処理動作においても、発信周波数の暴走防止が可能である。但し、追記型情報記録媒体では、記録完了後の媒体は再生専用として用いられる事から、〔５〕項で説明したトラッキングエラー検出方法が位相差方式を導入された場合の配慮である、隣接トラック間での記録信号パターン一致は避けたい。書き換え型情報記録媒体では、一般にトラッキングエラー検出法として位相差方式が利用されない構造の場合は、隣接トラックでの情報信号パターン一致に対しては問題が生じないため、ヘッダ領域はチャネルクロック生成ＰＬＬが容易にロックできるような構造、即ち図６９におけるRandom  code領域はＶＦＯのような一定周期の信号が望ましい。
【０１９３】
このような媒体の種類で、異なる性質があることから、図３６の（ｂ）ヘッダ領域４４２、（ｃ）ヘッダ領域４５２、（ｄ）ヘッダ領域４６２では、その構造が媒体の特質を考慮した最適化されたデータ構造を導入される。
【０１９４】
再生専用情報記録媒体のヘッダ領域では、線速度検出が容易なパターン、及びランダム信号によるチャネルビット生成ＰＬＬへのロックが容易な信号である。
【０１９５】
追記型情報記録媒体のヘッダ領域では、チャネルビットクロック生成用ＰＬＬの発信周波数はウォブリング検出で暴走防止がされて近傍制御が可能であるから、ヘッダ領域での位相変動に対処した、ランダム信号によるチャネルビット生成ＰＬＬのロック容易化信号で構成されている。
【０１９６】
書き換え型情報記録媒体では、ＰＬＬロック容易化は一定周期のＶＦＯパターンが導入可能であり、その他ヘッダマーク信号等で構成されている。
【０１９７】
尚、これら情報記録媒体の種別でヘッダ領域を異ならせる事によって、メディア識別が容易であり、著作権保護システムからも再生専用と記録可能型媒体が異なる事により、保護能力を向上させる事になる。
【０１９８】
７〕本発明の書き換え可能形情報記録媒体実施例における共通な技術的特徴の説明
７ー１）ゾーン構造の説明
本発明における書き換え可能形情報記録媒体では図３７に示すようにゾーン構造を取る。ゾーン構造内の各ゾーン毎のセグメント数とトラック数などについては図３３に詳細に示してある。
【０１９９】
本発明では再生線速度      :  ５.６m/s
チャネル長      :  ０.０８６μm
トラックピッチ  :  ０.３４μm
チャネル周波数  ：  ６４.８MHz
記録データ(RF信号)  :  (１,７)RLL
ウォブル搬送波周波数  :  約７００kHz    (９３T/Wobble)
変調位相差[deg]  :  ±９０.０  
Segment／track：１２〜２９セグメント
Zone            ：  １８ゾーン程度
としている。
【０２００】
７ー２）本発明実施例におけるアドレス情報の記録形式説明（位相変調＋ＮＲＺ法によるウォーブル変調）
本発明では記録形情報記録媒体におけるアドレス情報はウォーブル変調を用いてあらかじめ記録されている。ウォーブル変調方式として±９０度（１８０度）の位相変調を用いると共にＮＲＺ（Non  Returen  to  Zero）方法を採用している。また、書き換え形情報記録媒体に対してはＬ／Ｇ（Land  and  Groove）記録方法を使っている。Ｌ／Ｇ記録方法でウォーブル変調方式を採用している所に本発明実施例の大きな特徴が有る。図３８を用いて具体的な説明を行う。本発明実施例では１アドレスビット（アドレスシンボルとも呼ぶ）領域５１１内を８ウォーブルまたは１２ウォーブルで表現し、１アドレスビット領域５１１内は至る所周波数および振幅と位相は一致している。また、アドレスビットの値として同じ値が連続する場合には各１アドレスビット領域５１１の境界部（図３８の“黒の三角印”を付けた部分）で同位相が継続し、アドレスビットが反転する場合にはウォーブルパターンの反転（位相の１８０度シフト）が起きる。
【０２０１】
７ー３）Ｌ／Ｇ  記録方法とウォーブル変調による不定ビット混入の説明
情報記録媒体２２１上のアドレスを示す情報として本発明における書き換え可能形情報記録媒体ではゾーン識別情報で有るゾーン番号情報とセグメントアドレス情報で有るセグメント番号情報およびトラックアドレス情報を示すトラック番号情報の３種類のアドレス情報を持つ。セグメント番号は１周内の番号を意味し、トラック番号はゾーン内の番号を意味している。図３７に示すゾーン構造を採用した場合には上記アドレス情報の内ゾーン識別情報とセグメントアドレス情報は隣接トラック間で同じ値を取るが、トラックアドレス情報に関しては隣接トラック同士で異なるアドレス情報を取る。
【０２０２】
図３９に示すようにグルーブ領域５０１においてトラックアドレス情報として“  …  ０１１０  …  ”が記録され、グルーブ領域５０２においてトラックアドレス情報として“  …  ００１０  …  ”が記録され場合を考える。この場合、隣接するグルーブ領域で“１”と“０”の間に挟まれたランド領域５０３ではランド幅が周期的に変化し、ウォーブルによるアドレスビットが確定しない領域が発生する。本発明ではこの領域の事を“不定ビット領域５０４”と呼ぶ。この不定ビット領域５０４を集光スポットが通過すると、ランド幅が周期的に変化するため、ここから反射し、（図示しないが）対物レンズを通過して戻ってくるトータル光量が周期的に変化する。前記ランド内の不定ビット領域５０４内にも記録マークを形成するため、この記録マークに対する再生信号が上記の影響で周期的に変動し、再生信号検出特性を劣化（再生信号のエラーレイトの悪化）を引き起こすと言う問題が発生する。
【０２０３】
７ー４）本発明実施例に採用されるグレイコードと特殊トラックコード（本発明対象）に付いての内容説明
本発明では上記不定ビット５０４領域の発生頻度の低減を目指し、既存に知られている“グレイコード”もしくは前記グレイコードを改良し、本発明で新たに提案する（発明対象のポイントとなる）特殊トラックコードを使用する〔発明ポイント（Ｏ）に対応〕。
【０２０４】
図４０にグレイコードを示す。１０進数で“１”変化する毎に“１ビットのみ変化”する（交番２進的になる）所にグレイコードの特徴がある。
【０２０５】
図４１に本発明で新規に提案する特殊トラックコードを示す。この特殊トラックコードは１０進法の値で“２”変化する毎に“１ビットのみ変化”する（トラック番号ｍとｍ＋２が交番２進的になる）と共に整数値ｎに対して２ｎと２ｎ＋１の間では最上位ビットのみが変化し、それ以外の全下位ビットが全て一致する特徴を持っている。本発明における特殊トラックコードは上記実施例に限らず、１０進法の値で“２”変化する毎に“１ビットのみ変化”する（トラック番号ｍとｍ＋２が交番２進的になる）と共に２ｎと２ｎ＋１の間で有る“特定の関係を保持”しながらアドレスビットが変化する特徴を持っているコードを設定する事で本発明実施例の範囲を満足する。
【０２０６】
８〕ウォーブルアドレスフォーマット配置に関する実施例説明
８-１）セグメントフォーマットの実施例説明
書き換え形情報記録媒体に記録する書き換え可能なデータの記録フォーマットを図４２に示す。図４２（ａ）は前述した図３６（ｄ）と同じ内容を示している。本発明実施例では書き換え可能なデータはセグメント毎の書き換えを行い、書き換え単位内の書き換え可能なデータ構造を図４２（ｃ）に示す。セグメント＃２情報の書き換え単位５３１で情報記録媒体に対する書き換え可能なデータの書き換えを行うが、セグメント＃２内の書き換え可能データ５２５のデータ内容は図３６に示すように再生専用情報記録媒体（図３６（ａ）、（ｂ））、追記形情報記録媒体（図３６（ｃ））など媒体の種類に依らず全て同じ形式のデータ構造を持っており、それぞれ９６７２バイト分のデータが記録可能になっている。すなわちセグメント＃２内の書き換え可能データ５２５のデータ内容は図３４に示すようにそれぞれ４個ずつのセクターデータから構成され、各セクターデータは図３４あるいは図２９（データフィールド構造）に示すように２６個ずつのシンクフレームから構成される。図４２（ｃ）に示すようにセグメント＃２情報の書き換え単位５３１内はセグメント＃２内の書き換え可能データ５２５に先行してコピープロテクション対応のコピー情報領域５２４分に２バイト割り当てて有り、その前にＶＦＯ領域の終わり位置を示すプリシンク領域５２３に３バイト設定されている。３５バイト分設定して有るＶＦＯ（Variable  Frequency  Oscillator）領域５２２は書き換え可能データ５２５再生時の同期合わせように利用される。書き換え可能データ５２５の直後には書き換え可能データ５２５の終了位置を示すポストアンブル領域５２６が配置されている。セグメント＃２情報の書き換え単位５３１の先端部と後端部にはガード領域５２１、５２７が配置されている。前側ガード領域５２１は３０バイト＋Ｊ、後側ガード領域５２７は２２バイト−Ｊとなっており、“Ｊ”の値を変える事でセグメント＃２情報の書き換え単位５３１の書き出し／書き終わり位置を変化させる“ランダムシフト”が可能になっている。相変化形記録膜の場合には書き換え可能なデータの書き出し／書き終わり位置で顕著に記録膜の特性劣化が起こり易いと言う特徴がある。本発明実施例では上記のようにランダムシフトする事で相変化形記録膜の特性劣化を防止する事が出来る。
【０２０７】
書き換え単位の物理的範囲の比較をするため、図４２（ｂ）にセグメント＃１情報の書き換え単位の一部５３０を、図４２（ｄ）にセグメント＃３情報の書き換え単位の一部５３２を示している。書き換え時の重複箇所５４１、５４２で前側ガード領域５２２と後側ガード領域５２７が一部重複するように書き換えを行う所に本発明の特徴がある〔発明ポイント（Ｉ）に対応〕。そのように一部重複させて書き換えする事で片面２記録層の記録可能な情報記録媒体における層間クロストークを除去できる。
【０２０８】
次に図４３を用いて本発明記録可能形情報記録媒体におけるウォーブル変調を用いたアドレス情報の記録形式について説明する。図４３（ａ）は図３６（ｃ）または（ｄ）に一致する。図４３では書き換え可能形情報記録媒体について説明しているが、本発明実施例ではそれに限らず追記形情報記録媒体に対しても適応可能である。すなわち図４３における書き換え形のヘッダ領域４６２、４６３の代わりに追記形のヘッダ領域４５２、４５３を置き換える事が可能である。セグメント＃２  ４１２の情報が記録される物理的な領域は図４３（ｂ）に示すように１８０度位相変調を用いたウォーブル変調によるウォーブルアドレス領域５５１として予め記録されており、図３８もしくは図３９に示すようにグルーブ領域５０１がウォーブルされている。この領域には合計で１２４８周期のウォーブルが予め記録されている。本発明実施例では図３８に示すようにＮＲＺ法を用い、８ウォーブルまたは１２ウォーブルで１アドレスビットを表現する。また図４３（ｃ）に示すように、このウォーブルアドレス領域５５１内は２領域に分割され、ウォーブルアドレス１の配置領域５６１とウォーブルアドレス２の配置領域５６２（各領域内はそれぞれ６２４周期のウォーブルが配置される）から構成されているが、両者内には（スクランブル処理により変調情報形態は異なるが）実質的に同一なアドレス情報が記録されている。このように１セグメント＃２  ４１２当たりに複数回のアドレス情報を配置する〔発明ポイント（Ｊ）に対応〕所に本発明の特徴がある。更に図４３（ｂ）に示すようにウォーブルアドレス領域５５１の前後の書き換え形のヘッダ領域４６２、４６３が記録される領域には後述するトラック番号偶数／奇数判定領域５５２、５５３が存在する。
【０２０９】
図４３（ｄ）は本発明における他の実施例を示した物で、トラック番号偶数／奇数判定領域５５２、５５３の代わりにトラックアドレス記録領域５７１、５７２が配置されている。このトラックアドレス記録領域５７１、５７２に関する詳細な内容説明は後述する。
【０２１０】
８-２）トラックアドレス個々にＥＤＣが付く実施例説明
図４３（ｃ）で示したウォーブルアドレス１の配置領域５６１もしくはウォーブルアドレス２の配置領域５６２内のデータ構造を図４４と図４５に示す。いずれも図３８に示したアドレスビット表現で記述して有る。図４４、図４５では、細かくエラー訂正単位６０６とエラー検出単位６−７，６０８に分割し、不定ビット影響をエラー検出単位内に止め、他のデータに対する再生信頼性を保証する。不定ビット位置に対しても，トラックの偶数／奇数検知で判別可能とする。図４４の例では、０≦Ｋ≦４  であり、“トラック番号情報”にグレイコードまたは特殊トラックコードを使う。セグメントアドレス情報に対応するセグメント番号は“０００００１”以降から開始する。
【０２１１】
図４４と図４５で示した実施例では１アドレスビットを８ウォーブルで表現している。また、図４４と図４５内に示された括弧内の“（…ｂ）”は各情報のアドレスビット単位でのデータ長を表しており、全部の合計値は７８アドレスビット＝６２４ウォーブルに相当する。ウォーブルアドレス配置領域５６１、５６２内のデータ構造は基本的にはウォーブルアドレスの開始位置を示すアドレスシンク情報６０３、トラックアドレス情報記録領域６０５及びトラックアドレス以外のアドレス情報記録領域６０４から構成されている。本発明実施例では図４４に示した書き換え形情報記録媒体では図３７に示すゾーン構造を取り、図４５に示した追記形情報記録媒体ではＣＬＶ（Constant  Linear  Velocity）の構造を取る。
【０２１２】
従って、その構造の違いが図４４と図４５のフォーマットの違いに現れている。ゾーン構造を取る書き換え形情報記録媒体では図２７に示したＥＣＣブロック内で不定ビットが縦方向に並ぶのを防ぐために（詳細は後述）、前端のアドレスビット位置シフト領域６０１と後端のアドレスビット位置シフト領域６０２を儲け、最大４アドレスビット分前後にシフト可能にしている〔発明ポイント（Ｒ）に対応する〕。図４４における“Ｋ”の値は０から４までの任意の値が取れ、ウォーブルアドレスの配置領域５６１、５６２毎に値が変化するように（図示してないが）乱数発生器の出力値を利用して“Ｋ”の値を設定するようになっている。
【０２１３】
ウォーブルアドレスの配置領域５６１、５６２内に記録されるアドレス情報として図４４に示す書き換え形情報記録媒体においては以下の１．２．３．４に示す情報が記録される。
【０２１４】
１．トラックアドレス情報６０５…ゾーン内のトラック番号を意味し、実質的に同じ内容のトラック番号をトラック番号情報Ａ  ６１１とトラック番号情報Ｂ  ６１２に２度書きするが、後述するようにデータスクランブル処理を行うため、スクランブル後ではトラック番号情報Ａ  ６１１とトラック番号情報Ｂ  ６１２では異なるデータコードの形としてトラックアドレス情報記録領域６０５内に記録される〔発明ポイント（Ｕ）に対応〕。
【０２１５】
２．セグメントアドレス情報６２１、６２２…トラック内（情報記録媒体２２１内での１周内）でのセグメント番号を示す情報で実質的に同じ内容のセグメント番号がセグメントアドレス情報６２１と６２２に２度書きされる。最初のセグメントアドレス情報６２１はデータスクランブルのための“種”の情報として利用されるため、生の形（スクランブルによるコード変換されない形）で記録されるのに対し、後ろのセグメントアドレス情報６２２はデータスクランブル処理を行った後の変換後コードの形で情報記録媒体２２１に記録される〔発明ポイント（Ｕ）に対応〕。図３８に示した１アドレスビット領域５１１の境界部（“三角印”の部分）でアドレスビットの値が変化するので情報再生装置または情報記録再生装置ではこの境界部位置にＰＬＬ（Phased  Lock  Loop）を掛けてアドレスビットの検出を行っている。従ってこのアドレスビットの値（“０”か“１”か）として、同じ値が長く続くと上記の境界部位置に対するＰＬＬの位相がずれてしまう。そのため、同じアドレスビットの値が長く続くのを防止するためデータスクランブルを掛けている〔発明ポイント（Ｔ）に対応する〕。
【０２１６】
しかし前述したように最初のセグメントアドレス情報６２１はデータスクランブルのための“種”の情報として利用されるため、生の形（スクランブルによるコード変換されない形）で記録される。図４４に示すようにセグメントアドレス情報６２１のデータ長は６ビットと長く、最初のセグメントアドレス情報６２１に対して同じ値が長く続かないような処理を本発明では行っている。セグメントアドレス情報６２１としてセグメント番号を“０”からカウントするとセグメントアドレス情報６２１内に６ビット“０”が続く“００００００”のパターンが現れてしまう。上記の問題を回避するため、本発明ではセグメント番号として“０００００１”からカウントしている所に本発明の特徴が有る〔発明ポイント（Ｋ）に対応〕。
【０２１７】
本発明実施例は上記内容に限らず、アドレス番号付与方法に条件を加える所に特徴があり、上記実施例の他に例えばアドレス番号情報内に“１”または“０”がｎ回（例えばｎは３以上または４以上とする事が出来る）以上連続して現れるアドレス番号に対して欠番にするなどの条件を加える方法もある。
【０２１８】
３．ゾーン識別情報６２５、６２６…情報記録媒体２２１内のゾーン番号を示し、図３７に示した“  Ｚｏｎｅ（ｎ）”の“ｎ”の値が記録される。ゾーン識別情報６２５、６２６は２度書きされるが、いずれもデータスクランブルの対象となる。        
４．記録層識別情報６２６、６２７…本発明の情報記録媒体２２１においては再生専用、追記形、書き換え形いずれも図３、図３４に示すように記録層Ａ  ２２２  と記録層Ｂ  ２２３  を持ち、いずれも同一面側から再生もしくは記録再生可能な“片面２記録層”の構造を有している。現在再生もしくは記録している記録層が記録層Ａ  ２２２と記録層Ｂ  ２２３のいずれの層に対応しているかを示す情報が記録層識別情報６２６、６２７で、記録層番号で示され、２重書きされている。
【０２１９】
本発明の思想では、上記１．２．３．４の情報が記録される。また、図４３に示すようにウォーブルアドレス領域５５１は多分割され、それぞれに上記アドレス情報が記録されている。従って、現在再生中のアドレス情報がウォーブルアドレス配置領域５６１、５６２内のどちらに対応しているかをウォーブルアドレス番号情報６２３、６２４に記録されている。更に図４４に示した書き換え形情報記録媒体では同一トラック内でセグメント番号が最後の値を示している場所に対してはトラック内最終セグメント識別情報６２８、６２９の情報を持っている。
【０２２０】
図４５に示すように追記形情報記録媒体においては前述したようにＣＬＶ方式を採用しているため、ゾーン識別情報６２５、６２６とトラック内最終セグメント識別情報６２８、６２９は不要となる。またこの場合には、トラック番号は情報記録媒体２２１全域にわたる通し番号がふられるため、データ長が図４４の１２ビットから図４５では２０ビットに増えている。
【０２２１】
図４４、図４５いずれの場合でもトラックアドレス以外のアドレス情報記録領域６０４内で１個のエラー訂正単位６０６を構成し、トラックアドレス情報記録領域６０５内では個々のトラック番号情報Ａ  ６１１とＢ  ６１２毎にエラー検出単位６０７、６０８を構成している。このようにウォーブルアドレスの配置領域５６１、５６２内を複数のエラー訂正単位６０６やエラー検出単位６０７、６０８に分離する事で図３９に示すような不定ビット領域５０４の混入による影響を１個のエラー検出単位６０７、６０８内に閉じこめ、その外に有るデータ領域への不定ビット領域５０４の混入による影響を遮断する事が出来る。その結果、不定ビットを含まないエラー訂正単位６０６やエラー検出単位６０７、６０８の情報に対してはエラー訂正処理やエラー検出処理による高い読み取り信頼性を確保する事が可能となる〔発明ポイント（Ｐ）に対応〕。また、いずれも最初のセグメントアドレス情報６２１から記録層識別情報６２６までの８ビットをデータスクランブルのための“種”情報記録領域６４１と見なし、図４４ではゾーン識別情報６２５からトラック番号情報  Ｂ  ６１２  までの範囲を、図４５ではセグメントアドレス情報６２２からトラック番号情報  Ｂ  ６１２  までの範囲をデータスクランブル対象データ６４２としている。本発明実施例のようにデータスクランブルの“種”情報内にセグメントアドレス情報６２１またはウォーブルアドレス番号情報６２３を含めることで同一トラック内でセグメント毎およびウォーブルアドレス配置領域５６１、５６２毎にスクランブルの“種”情報が異なる。その結果、スクランブル処理後のトラック番号情報Ａ  ６１１、Ｂ  ６１２の記録コード（変換後のコード）がセグメント毎およびウォーブルアドレス配置領域５６１、５６２毎に変化するため、不定ビット領域（図３９の５０４）の位置が変わり、図２８に示したＥＣＣブロック内で不定ビットが縦に並ぶのを防止する働きをする。
【０２２２】
図４６を用いて本発明実施例におけるウォーブルアドレスデータの作成プロセス順を示す。まず始めにＳＴ０１では上記の各種アドレス情報（スクランブルする前の元データ）を作成する。次にＳＴ０２としてトラック番号情報Ａ  ６１１  とＢ  ６１２に対して図４０または図４１に示すグレイコード変換または特殊トラックコード変換処理を施す〔発明ポイント（Ｏ）に対応〕。更にＳＴ０３として上記各種アドレス情報の中からデータスクランブルのための“種”情報記録領域６４１内に含まれる最初のセグメントアドレス情報６２１から記録層識別情報６２６までの８ビットを抽出する。この種情報を利用してデータスクランブルを掛ける範囲６４２に含まれる全対象データに対してデータスクランブルを掛ける（ＳＴ０４）〔発明ポイント（Ｔ）（Ｑ）に対応する〕。その後でエラー訂正単位６０６に含まれるセグメントアドレス情報６２１からトラック内最終セグメント識別情報６２９に至る２４ビット（図４５ではセグメントアドレス情報６２１から記録層識別情報６２７までの１６ビット）に対して８ビットのＥＣＣ（  Error  Corroction  Code  ）情報６３０を付加する。そしてＳＴ０６として最後にエラー検出単位６０７、６０８に対するＥＤＣ（Error  Detection  Code）情報を付加する〔発明ポイント（Ｑ）に対応する〕。
【０２２３】
本発明におけるデータスクランブルとＥＤＣ（Error  Detection  Code）情報の付加方法の特徴について下記に説明する。図４７に示すようにグレイコード系列あるいは特殊トラックコード系列のデータ列６５１に対して任意のデータとの間でビット単位での“加算演算”、“減算演算”または“  Exclusive  OR  ”演算のいずれかあるいはそれらの組み合わせ演算を行った後で得られるデータ系列はグレイコード特性あるいは本発明の特殊トラックコード特性が不変に保持されると言う特徴がある。上記の特徴を生かし、任意のデータとの間でビット単位での“加算演算”、“減算演算”または“Exclusive  OR”演算のいずれかあるいはそれらの組み合わせ演算の範囲内でデータスクランブル処理とＥＤＣ（Error  Detection  Code）情報の付加処理を行う所に本発明の大きな特徴が有る〔発明ポイント（Ｐ）（Ｑ）に対応する〕。
【０２２４】
図４８にウォーブルアドレスデータに対するスクランブル／デスクランブル回路の実施例を示す。図４８におけるシフトレジスタ回路１０１とExclusive  OR  回路１０４の組み合わせで“Ｍ系列”の乱数発生器を構成している。図４６のステップＳＴ０３でスクランブルのための“種”データを抽出し、その値をシフトレジスタ回路１０１の初期値としてセットする。図４６のステップＳＴ０４におけるスクランブル処理において図４４または図４５に示したデータスクランブルを掛ける範囲６４２のデータで有り、図４６のステップＳＴ０１で作成したスクランブル処理前のデータを逐次シフトレジスタ回路１０２内に転送し、シフトレジスタ回路１０１の“ｒ０”から“ｒ８”までのデータとビット単位での“Exclusive  OR”演算を行う〔発明ポイント（Ｑ）に対応する〕。
【０２２５】
８ビット毎にシフトレジスタ回路１０３にロードし、スクランブルデータ６４３として出力する。トラック番号情報Ａ  ６１１の各ビットがシフトレジスタ回路１０２に入る時とトラック番号情報Ｂ  ６１２の各ビットがシフトレジスタ回路１０２に入る時ではシフトレジスタ回路１０１の“ｒ０”から“ｒ８”までのデータパターンが異なるため、スクランブル処理後のトラック番号情報Ａ  ６１１のパターンとトラック番号情報Ｂ  ６１２のパターンが異なる。また、本発明実施例ではスクランブルの“種”情報内にウォーブルアドレス１の配置領域５６１とウォーブルアドレス２の配置領域５６２で値の異なるウォーブルアドレス番号情報６２３が含まれているため、同一セグメント内の２アドレス領域同士で（ウォーブルアドレス１の配置領域５６１とウォーブルアドレス２の配置領域５６２で）パターンを変化させる事が出来る〔発明ポイント（Ｕ）に対応する〕。
【０２２６】
図４８に示した実施例ではスクランブル処理により同一セグメント内の２アドレス領域同士でパターンを変化させているが、他の実施例としてスクランブル処理する代わりにトラック番号情報Ａ  ６１１  とＢ  ６１２の間、またはウォーブルアドレス１の配置領域５６１とウォーブルアドレス２の配置領域５６２の間でビット反転させてパターン内容を変化させる〔発明ポイント（Ｕ）に対応する〕事も出来る。
【０２２７】
また、上記実施例ではExclusive  OR演算によりデータスクランブル処理を行っているが、他にも任意のデータとの間でビット単位での“加算演算”、“減算演算”または“Exclusive  OR”演算のいずれかあるいはそれらの組み合わせ演算の範囲内でデータスクランブル処理を行う方法は本発明範囲に含まれる。
【０２２８】
また、デスクランブル時にはデータスクランブルのための種情報記録領域６４１の情報を抽出してシフトレジスタ回路１０１に初期値として設定し、スクランブルが掛かった状態のデータを順次シフトレジスタ回路１０２に入力するとデスクランブルデータ６４３がシフトレジスタ１０３の出力として取り出せる。
【０２２９】
図４４または図４５におけるトラックアドレス以外のアドレス情報記録領域６０４では隣接トラック間で値が変わらない。従ってＥＣＣコード６３０生成方法として従来の生成多項式により割り算を行った余りをＥＣＣコード６３０にする方法を採用できる。
【０２３０】
次に図４９を用いて本発明におけるトラック番号のＥＤＣ情報６１３、６１４の生成方法について説明を行う。本発明ではトラック番号のＥＤＣ情報６１３、６１４がグレイコード特性または特殊トラックコード特性を持ち、不定ビットの発生頻度を低減させている所に大きな特徴が有る〔発明ポイント（Ｐ）に対応〕。
【０２３１】
従来の２進法データでは、累進時（数が１変化する毎）に同時に複数ビットの変化を許容する。それに比べて図４０に示すGray  Codeでは累進時（数が１変化する毎）に１ビットのみの変化に制限される。図４９にグレイコード（Gray  Code）特性ないしは特殊トラックコード特性を有するＥＤＣ（Error  Detection  Code）の作成方法の一例を示す。従来のようにトラック番号１０１に対して剰余多項式で割り算を行い、余りの値を用いてＥＤＣを付加する場合には、トラック番号１０１が“１”変化した時にはＥＤＣ内の複数ビットが変化する。従ってGray  Codeに対してはエラーチェックコードの付加は難しいと考えられていた。それに対して本発明ではＥＤＣ情報６１３、６１４を付加する対象データ（トラック番号情報Ａ  ６１１、Ｂ  ６１２）の中で１ビットだけ変化した場合には、“加算処理”または“減算処理”か“特定数との排他的論理和（Exclusive  OR）演算”のいずれか、あるいはそれらの組み合わせ処理を行った結果のデータであるＥＤＣ情報６１３、６１４は、元で変化したビットに対応したビットのみしか変化しない特徴を利用している。
【０２３２】
図４９または図４４、図４５の実施例ではトラック番号情報６１１，６１２はGray  Codeまたは特殊トラックコードで１２ビット設定して有り、それに対してグレイコード特性または特殊トラックコード特性を有するError  Detection  Code情報６１３、６１４を４ビット付加して有る。１２ビットのトラック番号データに対して４ビット毎に加算し、その加算後の値のパリティ（奇数か偶数か）を  Error  Detection  Code情報６１３、６１４とする。トラック番号情報６１１、６１２を構成する“ａ１１〜ａ０”の各ビットに対して、例えば“ａ１０”と“ａ６”と“ａ２”を加算し、“Ｃ２”とする。この“Ｃ２”の値が奇数なら  Error  Detection  Code  情報６１３、６１４内の対応した位置に有る“ｂ２”を“０”に設定し、偶数なら“１”と設定する。例えば隣のトラックで“ａ５”のみが変化した場合には、“Ｃ１”の奇数と偶数の関係のみが反転する。その結果、“ｂ１”のみが変化し、Error  Detection  Code情報６１３、６１４はグレイコード特性または特殊トラックコード特性を満足している。
【０２３３】
ＥＣＣブロック内で縦に不定ビット配列を回避する方法に付いて以下に説明をする。図４４においてトラック番号情報Ａ  ６１１およびＢ  ６１２  に対してデータスクランブルせず、更に前端と後端のアドレスビット位置シフト領域６０１、６０２を持たない場合の問題点を示す。この場合には図３９に示した不定ビット領域５０４が同一トラック内ではトラック番号情報Ａ  ６１１およびＢ  ６１２内の同じ位置に現れる。図３９に示すように不定ビット領域５０４内ではランド幅またはグルーブ幅が局所的に変化するため、その上に記録される書き換え可能な記録マークからの再生信号レベルが変動し、書き換え可能な情報のエラーレイトが局所的に劣化する。このエラーレイトが局所的に劣化する場所は図２８に示したＥＣＣブロック内の縦方向に一列に並んでしまう。
【０２３４】
図２８に示した積符号を用いたＥＣＣブロック構造〔発明ポイント（Ｄ）に対応〕では縦方向に一列に並んだエラーにたいしてエラー訂正能力が低下すると言う問題が有る。上記問題を解決するため、書き換え可能な記録マークからのエラーが発生しやすい不定ビット位置をずらし、図２８に示した積符号を用いたＥＣＣブロック構造内のエラー訂正能力を向上させる所に本発明のポイント〔発明ポイント（Ｓ）に対応〕が有る。
【０２３５】
本発明では上記で説明したように（ａ）前端と後端のアドレスビット位置シフト領域６０１、６０２を持たせて不定ビット位置をずらす、〔発明ポイント（Ｒ）に対応する〕、（ｂ）トラック番号情報Ａ  ６１１およびＢ  ６１２  に対してデータスクランブルを行う，の方法を説明した。
【０２３６】
しかし、本発明に於いては上記実施例に限らず不定ビットをずらす方法として例えば（ｃ）トラック番号情報６１１、６１２の上位ビットをセグメントとウォーブルアドレスの配置領域５６１、５６２が変わる毎に循環してずらす方法を使うことも可能である。
【０２３７】
８-３）アドレス全体にＥＤＣが付く実施例説明
図５０に書き換え形情報記録媒体に対するアドレスビット配置に関する第２の実施例を示し、図５１に追記形情報記録媒体に対するアドレスビット配置に関する第２の実施例を示す。“トラック番号情報”にグレイコードまたは特殊トラックコードを使う。セグメントアドレス情報に対応するセグメント番号は“０００００１”以降から開始する。図５０、図５１の実施例いずれもアドレスシンク情報６０３を除いた全情報に対してまとめて図４９に示すようなＥＤＣ情報６３１を付けた所に特徴が有る。図４４、図４５に示した第１の実施例と比べて全体をエラー検出単位６０９とするために全体で必要なアドレスビット数が少なくできると言う所に特徴が有る。その結果、図５０、図５１に示した第２の実施例では図４４、図４５に示した第１の実施例とは異なり、１アドレスビットに１２ウォーブル周期を割り当てるため、アドレスビットの検出性能（検出精度）が向上すると言う効果がある。
【０２３８】
８-４）ウォーブルアドレスにトラックアドレス情報を持たない実施例説明
図５２に書き換え形情報記録媒体に対する本発明の第３の実施例を示す。図５２ではトラック番号情報６１１、６１２をウォーブルアドレスの配置領域５６１、５６２に記録せず、その代わりにトラック番号情報６１１、６１２を図３６（ｃ）（ｄ）に示す書き換え形（または追記形）のヘッダ領域４５２〜４６８に分散配置する所に特徴が有る。セグメントアドレス情報に対応するセグメント番号は“０００００１”以降から開始する。
【０２３９】
９〕本発明の記録可能な情報記録媒体におけるトラックアドレス設定法の第１の実施例説明
［グレイコードの設定方法を工夫し、不定ビットが有ってもアドレス検出を可能とする方法］
（ランド側の全トラックアドレス情報に不定ビットに集中させる）〔発明ポイント（Ｗ）の内容〕
従来ランド／グルーブ記録トラックにおけるアドレッシング方式は、ＤＶＤ−ＲＡＭのようにエンボスプリピットによって形成されている。また、グルーブトラックのウォブリングを利用して、アドレス情報を埋め込む方法が考えられていた。ここでの大きな問題はランドトラックのアドレス形成であった。一つの案として、グルーブウォブリングで、グルーブ用とランド用のウォブリングを別々に配置するのである。ランド用はランドを挟む隣接のグルーブをウォブリングさせるが、あたかもランドウォブリングされたような構成を採ることでランドアドレスを実現させていた。
【０２４０】
しかしながら、この方法ではトラックアドレス領域として２倍以上が必要であり無駄が多い。一組のアドレス情報がグルーブアドレス情報としてもランドアドレス情報としても利用できれば、効率良い配置が可能になる。その実現手段として、トラックアドレスデータとしてグレイコードを利用する方法がある。
【０２４１】
図７０は、グルーブウォブルをトラックアドレスデータによって位相変調させた時のトラック形態と、ランドでのウォブル検出信号の関係を図示したものである。
【０２４２】
Groove-nのアドレスデータ（・・１００・・）とGroove-n+１のアドレスデータ（・・１１０・・）に挟まれたLand-nで、アドレスデータとしてのウォブル信号を検出すると（・・１X０・・）となる。ここで、X部分はGroove-nの（０）とGroove-n+１の（１）によって挟まれた領域で、ウォブル検出信号はセンターレベルの振幅０の信号となる。実際のシステムでは、読取りビームのトラック外れ量や検出器のアンバランスなどで、他の領域のレベルより下がるが、データ（１）側か（０）側の信号が検出される可能性が高い。このように異なるグルーブアドレスデータで挟まれたランド領域では検出レベルが下がることを利用して、その部分がアドレスデータのポジションと照らし合わせて、ランドアドレス信号を検出する事も考えられる。しかしこの方法も、ウォブル検出信号のＣ／Ｎが高い場合は良いが、ノイズが大きい場合等は信頼性が取れない可能性があった。
【０２４３】
そこで、ランドトラックでのウォブル検出信号からアドレスデータを読み出す方法として、グルーブウォブルデータが異なって対峙しているランドウォブル検出データは不定（“０”と判断しても“１”と判断しても良い）でも、正しいランドアドレスデータを確定できる方法が望まれていた。
【０２４４】
そこで、グルーブトラックアドレスは、グレイコードデータでウォブル変調する方式を採用し、ランドトラックに対しては、特殊マークを付加したりウォブル変調で特殊識別コードを付加するなどによって、奇数ランドと偶数ランド（Odd-Land・Even-Land）を容易に判断できる構造を採用する方式を提案するものである。
【０２４５】
ランドトラックが、奇数／偶数の判定可能であれば、グレイコードの性質から、ランドアドレスデータの確定は容易になる。その証明を図７１を用いて説明する。
【０２４６】
グレイコードが、図４０に示されるように１ステップのコード変更は１ビットのみになるよう構成されたコードである。このグレイコードでグルーブトラックのアドレッシングを行うすれば、各グルーブウォブルで構成されるランドのウォブルは、図７０のように１ビットのみが不定のコードとして検出される。
【０２４７】
即ち、図７１のようなアドレスデータがグルーブトラックに配置されると、グルーブトラックに対峙されたランドトラックのウォブル検出信号は１ビットのみが“０”か“１”か不定のビットで、他のビットは隣接グルーブウォブル信号と同じ値として検出される。図７１のEven-Land(n)でのウォブル検出信号は（ｎ）または（ｎ＋１）が検出されることになる。同様にOdd-Land(n+１)は（ｎ＋１）または（ｎ＋２）が検出される。
【０２４８】
ここでランド（Land）トラックは予め、奇数ランド（Odd-Land）または奇数ランド（Even-Land）が識別されていれば、Odd-Land(n+１)の場合は、（ｎ＋１）が検出された場合はそのデータがアドレス値、（ｎ＋２）が検出された場合は（検出値−１）がアドレス値となる。同様にEven-Land(n)の場合は、（ｎ）が検出されたらその値がアドレス値で、（ｎ＋１）が検出されたら（検出値−１）がアドレス値となる。但しｎは偶数の場合である。
【０２４９】
以上のように、ランドトラックが奇数トラックか偶数トラックか判定されていれば、ランドトラックでのウォブル検出値に不定のビットが有っても簡単に正しいアドレス値が確定できることになる。グルーブトラックはウォブル検出信号がそのままトラックアドレスになる。
【０２５０】
図７２は、トラックアドレスが４ビットのグレイコードを配置した場合の具体的な検出内容を図示したものである。Groove-Track  G-(n)のグレイコードアドレスデータが（０１１０）、G-(n+１)が（１１００）とした場合、Even-Land  L-(n)は（１１００）または（０１００）がウォブル信号として検出されるが、図７１で説明した考えでいけば、偶数ランドであることから（０１００）が正しいアドレス値として確定する。
【０２５１】
しかし、図７１で説明した検出値から“０”または（−１）を補正しなくても、ランドトラックは先ず奇数／偶数識別があるとすれば、夫々２つのアドレス値を持っているとも考えられる。図７２におけるEven-Land  L-(n)で（１１００）（０１００）どちらが検出されても、他のEven-Landにはこのコードは存在しない。このため、検出された値でアドレスデータを確定する事が可能なのである。
【０２５２】
上記内容は図４１に示した特殊トラックコードに対しても同じ特徴を持っている。
【０２５３】
１０〕トラック番号の偶数／奇数判別情報の設定方法に関する実施例説明
〔発明ポイント（Ｖ）の内容に対応〕
書換え可能型情報記録媒体にて、グルーブトラックとランドトラックを共に記録再生トラックとして利用する場合のアドレッシングフォーマット案の一例を図７３に示す。図３６に示された各セグメントブロックに付加されたヘッダ領域には、ウォブルアドレスの同期信号パターンを配置させ、データ領域には図３７に示すゾーン番号・トラック番号・セグメント番号をウォブル変調で埋め込んでいる。
【０２５４】
図７１、図７２で示したランドの奇数／偶数識別は、ランドのヘッダ領域にプリピットでマークを入れている。本発明による所のグルーブウォブルアドレッシング方式では、ランドのアドレス検出には奇数ランド／偶数ランド識別が重要であり、その識別マーク方式としては各種方法が考えられる。図７４〜図７７はその識別マーク方式を図示したものである。
【０２５５】
図７４は、グルーブウォブルで特殊なパターンをいれ、図７０で示されたようなレベルダウン部分の位置関係を使って奇数／偶数ランド判定を行う。
【０２５６】
図７５は、図７３と同様にランドのヘッダ領域にエンボスプリピットマークを配置させる方法である。図７６は、奇数（又は偶数）グルーブトラックのみの記録トラックを切断させるような物理的マークを設置させる方法である。ランドトラック検出ではグルーブトラックの物理的変形構造がクロストーク信号として検出され、対峙するグルーブの一方向のみからマーク信号が検出される為、方向性を伴う事から、奇数／偶数ランド検出が可能になる。
【０２５７】
図７７は、奇数トラックの奇数セグメントにおけるヘッダと偶数トラックの偶数セグメントヘッダに図７６のようなマークを配置するものである。この方法では、全てのトラックにウォブリング以外のヘッダ領域識別マークがつく事になり、ヘッダ位置検出のも上記マークが利用でき、奇数／偶数ランド判定はウォブリング変調で記録されたセグメント番号データの奇数／偶数情報を合わせて利用する事で、奇数／偶数ランド識別を可能にするものである。
【０２５８】
図７６または図７７に関する他の実施例を図５３、図５４に示す。
【０２５９】
図５３に示した実施例ではグルーブ領域５０２の一部を切断し、グルーブ切断領域５０８を作成している。図示してないが再生用集光スポットがランド領域５０３，５０４上をトレースしている場合にトラック差信号の急変する方向を検知することでランド上の偶数トラック上をトレースしているか奇数トラック上をトレースしているかの判定が行える。
【０２６０】
図５４には他の実施例を示す。グルーブ領域５０２内で局所的に大きく蛇行するグルーブ蛇行領域５０９を構成する方法と他の実施例として図５３に示すようにブルーブを一部切断すると共にその切断部分にランドプリピットを形成する“グルーブ切断＋ランドプリピット領域５００”を設ける。いずれもトラック差信号の変化方向でランド上の偶数トラック上をトレースしているか奇数トラック上をトレースしているかの判定が行える。
【０２６１】
ライトワンス型情報記録媒体に使われる、追記型情報記録媒体は記録後のデータストリームを再生専用情報記録媒体とできる限り近似させることが重要であり、図７３や図５３に示したグルーブトラックのウォブルアドレッシングフォーマットをそのまま利用する事も可能である。
【０２６２】
１１〕本発明の記録可能な情報記録媒体におけるトラックアドレス設定法の第２の実施例説明
［不定ビットはランド側のみに持たせるが、ランド内にトラックアドレス確定領域を持たせる］      〔発明ポイント（Ｘ）の内容に対応〕
１１-１）本発明における書き換え形情報記録媒体のトラックアドレス情報設定方法の説明
図４４に示した実施例におけるトラック番号情報Ａ  ６１１  とＢ  ６１２  の値設定方法について図５５に示す。図５５に示した値は図４６に示すような特殊トラックコード変換ＳＴ０２やスクランブル処理ＳＴ０４を行う前の生情報を示している。グルーブ領域に図５５に示すようにトラック番号情報Ａ  ６１１  とＢ  ６１２  に対してジグザグにトラック番号を設定する。隣接するグルーブ領域で同じトラック番号が設定された場所ではランド領域も同様なトラック番号が設定される。隣接するグルーブ領域で異なるトラック番号が設定された場所ではトラック番号は確定しないが図７２に示した方法によりトラック番号の予測判定は可能となる。図５５に示した情報の繋がりの中での特徴を抽出すると、
１．グルーブ上ではＡとＢの内、小さい方の値がトラック番号と一致する、
２．ランド上では偶数トラックではＡが、奇数トラックではＢのトラック番号が確定する、
３．ランド上では偶数トラックではＢが、奇数トラックではＡのトラック番号が不確定、
であるが、図７２に示した方法によりトラック番号の予測判定は可能である。
【０２６３】
また、図４１に示す本発明の特殊トラックコードによれば
４．グルーブ上で特殊トラックコード変換後の値が偶数トラックの所で最上位ビット以外は下位ビット全てのパターンが一致し、奇数トラックの所で下位ビットも変化すると言う項目が上げられる。
【０２６４】
１１-２）本発明におけるトラックアドレス確定方法の説明
上記１．から４．に列記した特徴を利用してトラックアドレスの確定が出来る。図５６ではグルーブ部のアドレス確定方法を示し、図５７ではランド部のアドレス確定方法を示した。図５６は、図４１、図４４、図５５の方式を用いた場合のグルーブ部でのアドレス確定方法である。図５７は、図４１、図４４、図５３、図５５、図７２の方式を用いた場合のランド部でのアドレス確定方法である。
【０２６５】
図５６に示すようにグルーブ部では特殊トラックコードの状態で最上位ビット以外の全ビットが一致するか否かを判定（ＳＴ１４）し、トラック番号が偶数か奇数かを判定する。その判定結果に基付き抽出したトラック番号（ＳＴ１６、ＳＴ１７）と、ＳＴ１９での小さな値を選択する処理の結果を比較し、一致すればアドレス確定と見なす。
【０２６６】
図５７に示すようにランド部ではトラック番号の偶数／奇数識別情報を読み取り（ＳＴ３１）、トラック番号が確定している方のトラック番号（ＳＴ３７）とトラック番号に対する予測判定結果（ＳＴ３８）を比較してアドレス確定を行う。
【０２６７】
１２〕本発明の記録可能な情報記録媒体におけるトラックアドレス設定法の第３の実施例説明
［局所的にグルーブ幅を変化させてグルーブ内にも不定ビットを持たせる］〔発明ポイント（Ｙ）に対応〕
１２-１）隣接位置でランド部の幅を変えず、グルーブ部の幅を変えて情報記録媒体を作成する方法
図７７までの実施例では、グルーブ幅を一定にしてウォブル変調を施し、アドレス情報を埋め込む方式を説明してきたが、この場合ランド部の一部にトラック幅の変化する領域が発生し、その部分のアドレスデータが不定（ウォブル信号のレベルダウンが起こり、その発生場所を利用してデータを検出する事は可能であるが、ノイズなどが多い場合は信頼性が落ちる可能性が高い）となる。
【０２６８】
この現象を逆に利用して、グルーブ幅の一部を変化させることで、あたかもランドトラックにデータを記録させたようなグルーブウォブル変調処理が可能になる。
【０２６９】
図７８は、Groove(n+１)・Land(n+１)・Groove(n+２)の関係を示したものであるが、Groove(n+１)トラックのウォブル変調ではアドレスデータ（・・１００ｘ２・・）と記録する。ここで、（ｘ１）の部分はLand(n)が“１”で、Land(n+１)が“０”となるようにグルーブ幅が変化する振幅変調で形成している。同様にGroove(n+２)の（ｘ２）領域では、Land(n+１)が“０”でLand(n+２)が“１”とグルーブ幅を変化させた振幅変調でグルーブを形成させている。このようにグルーブ幅を一部変化させる方式を導入すると、グルーブトラックを対峙したランドトラックのアドレスデータが、異なる場合でも、要求するランドデータが正しく検出されるようなウォブル変調が可能になる。このようなグルーブ幅を一部変化させる技術を導入して、ランド／グルーブ方式の書き換え型情報記録媒体のアドレッシングフォーマットの一実施例を図７９に示す。
【０２７０】
図７９のアドレッシングフォーマットは、グルーブウォブリングであるが、一部のグルーブ幅を変化させる技術を導入して、グルーブトラックアドレス領域とランドトラックアドレス領域を別々の位置に配置させた構造である。グルーブトラックアドレス位置を識別させる為のＧ同期信号(Ｇ-Ｓ)を配置させ次にグルーブトラックのアドレスデータを記録する。次にランドアドレス領域を示す(Ｌ-Ｓ)を配置させランドアドレスデータを記録する。この場合、対峙するランドアドレスデータが異なる場合は、あたかもランドトラックのウォブル変調で記録したようにグルーブ幅を変化させて記録する。この処理で、ランドトラック記録再生でのアドレス情報検出では正しい検出信号を得ることが可能になる。図７９では、グルーブトラック用アドレスデータとランドトラック用アドレスデータを別々に配置したが、上記グルーブ幅を変化させる技術を用いて、図７１と図７２で説明した、同一のグルーブウォブリング変調でランドとグルーブのアドレスデータを形成させる事も可能である。
【０２７１】
図８０はその一実施例を示した図である。同一のグルーブウォブルによってランドとグルーブのアドレスデータを意味させる為には、ランドの奇数／偶数識別が確定できれば可能である事は、前項で説明してあるとおりである。この奇数／偶数識別にグルーブ幅変調が利用できる。即ち、奇数ランドに“０”を、偶数ランドに“１“のデータを図７２のトラック番号の次のビットに配置する方式である。グルーブトラックはトラックナンバーが確定している為、トラック番号の後ろに冗長ビットを付加しても検出を無視すれば良い。ランドトラックではトラック番号の検出後にビットが”０“か”１“かで奇数ランドか偶数ランドかを判定すれば良い事になる。ランドトラックでは、結果として奇数／偶数トラック識別データを含めたデータ列でトラック番号を確定する事になり、特別の奇数／偶数トラック識別マークが無くても、グルーブ／ランドアドレスデータが検出可能となる。更に、グレイコードによってランドトラックにのみ発生していたトラック幅の変化領域がグルーブトラックにも発生し、グルーブ／ランド検出系を同じ手法で構成する事となり、システムバランスが最適化できる。
【０２７２】
上記説明ではＧ同期信号（Ｇ−Ｓ）とランドアドレス領域を示す（ＬーＳ）を配置しているが、それに限らず例えばＧ同期信号（Ｇ−Ｓ）とランドアドレス領域を示す（ＬーＳ）を配置しない代わりに図４４に示す実施例の様にあらかじめ位置が定まっているトラック番号情報Ａ ６１１とＢ ６１２の領域にランドとグルーブのアドレスデータを配置する事が可能である。すなわち
（＊）トラック番号情報Ａ６１１とトラック番号ＡのＥＤＣ情報６１３の所は至る所グルーブ幅を一致させてグルーブ側のトラックアドレス情報を確定させ（ランド側の幅を局所的に変化させてランド側に不定ビットを配置）、
（＊）トラック番号情報Ｂ６１２とトラック番号ＢのＥＤＣ情報６１４の所は至る所ランド幅を一致させてランド側のトラックアドレス情報を確定させ（ブルーブ側の幅を局所的に変化させてグルーブ側に不定ビットを配置）、また同時に図８１に示すように
（＊）トラック番号情報Ａ６１１とトラック番号情報Ｂ６１２とで同じトラック番号情報を記録する。
【０２７３】
このようにした場合には
（＊＊）グルーブ上をトレースしている場合にはトラック番号が確定しているトラック番号情報Ａ６１１を再生すると共にトラック番号情報Ｂ６１２に対して図８０に示した方法によりトラック番号の予測判定を行い、
（＊＊）ランド上をトレースしている場合にはトラック番号が確定しているトラック番号情報Ｂ６１２を再生すると共にトラック番号情報Ａ６１１に対しては図８０に示した方法によりトラック番号の予測判定を行う。
【０２７４】
このようにグルーブ領域内で不定ビットを含まずにグルーブのトラックアドレス情報が確定する部分と、グルーブ領域内で不定ビットを含むが図８０に示した手法を用いてグルーブのトラックアドレスが予測判定可能な部分を同一トラック内で予め設定しておく事も可能である。この場合には同時にランド領域内で不定ビットを含まずにランドのトラックアドレス情報が確定する部分と、ランド領域内で不定ビットを含むが図８０に示した手法を用いてランドのトラックアドレスが予測判定可能な部分を同一トラック内で予め設定しておく事になる。この場合のアドレス確定方法は図５６及び図５７に示す手順と同様に
１．不定ビットを含まないトラックアドレス情報が確定する部分ではＥＤＣ情報６１３、６１４を用いたエラー検出（エラー検出されない場合には下記の２．以降に進み、エラー検出された場合には次のウォーブルアドレスの配置領域５６１、５６２からのウォーブル信号の再生に移る）、
２．不定ビットを含むトラックアドレスが予測判定可能な部分に対するトラック番号の予測判定、
３．デスクランブル処理、
４．グレイコードの逆変換処理、
５．トラックアドレス情報が確定する部分でのトラック番号の抽出結果とトラックアドレスが予測判定可能な部分でのトラック番号の予測判定結果との比較、
（両者が一致する場合にはトラックアドレス確定し、一致しない場合には次のウォーブルアドレスの配置領域５６１、５６２からのウォーブル信号の再生に移る）、
の手順となる。
【０２７５】
次に、グルーブ領域に不定ビットを形成するために、ランド幅を変えずにグルーブ幅を局所的に変化させる方法を図５８に示す。図５８（ａ）に示した方法では図示してないが情報記録媒体２２１の原盤記録装置におけるグルーブ領域５０２形成用の集光スポット７９１の露光量をα位置とβ位置で変化させることでグルーブ幅を変化させ、その変化量を調整することでランド領域５０３、５０４の幅を一定に保つことが出来る。
【０２７６】
図５８（ｂ）に示した方法では原盤記録装置にグルーブ領域形成用の集光スポットとして７０２と７０３の２スポットを利用し、γ位置とδ位置で両者の相対位置を変化させる。
【０２７７】
１２-２）本発明における書き換え形情報記録媒体のトラックアドレス情報設定方法の説明
グルーブ幅を変化一部でさせる技術の導入で、ランド／グルーブ記録生成トラック方式のアドレッシングフォーマットは、図７３における奇数／偶数ランド識別マークは不要になり、他の情報記録媒体のアドレッシング構造と更に近似されることになる。図８１にその一実施例を示す。
【０２７８】
１２-３）本発明における追記形情報記録媒体のフォーマット説明
ライトワンス型情報記録媒体に使われる、追記型情報記録媒体は記録後のデータストリームを再生専用情報記録媒体とできる限り近似させることが重要であり、図８１のグルーブトラックのウォブルアドレッシングフォーマットをそのまま利用する。但し、奇数／偶数識別判定は不要のため、トラック幅を変化させる必要は無く、その部分を削除しダミーコードを付加しておく。このことにより、書き換え型ランド／グルーブトラック方式と同じアドレッシングフォーマットが構成できる。
【０２７９】
１３〕本発明の記録可能な情報記録媒体におけるトラックアドレス設定法の第４の実施例説明
［局所的にグルーブのウォーブル振幅を変えてグルーブ内に不定ビットを持たせる］〔発明ポイント（Ｙ）の内容に対応する〕
図５８に示すようにグルーブ幅を局所的に変化させてグルーブ領域内に不定ビットを分散配置する方法に対する他の実施例として図５９に示すようにグルーブ領域５０２内のウォーブル振幅幅を変化させる方法が有る。グルーブ領域５０２内の不定ビット領域７１０では壁面が直線なため、ウォーブル検出信号は得れないが、それに隣接するランド領域５０３と５０７のε位置とη位置ではもう一方の壁がウォーブルしているため、ウォーブル信号が得れる。図５８や図３９に示した方法と比べると不定ビット領域内のグルーブ幅変動が小さいので、その上に記録する記録マークからの再生信号のレベル変動が小さく、書き換え可能な情報のエラー率の悪化を抑える効果が有る。この方法を用いた場合のフォーマット方法としては図７８または図８１に示した形式と全く同じ構造を取る事が出来る。
【０２８０】
１４〕本発明の記録可能な情報記録媒体における第５の実施例説明
〔発明ポイント（Ｚ）の内容に対応する〕
１４-１）トラックアドレスをセグメント間のヘッダ領域に配置する方式の全体説明
情報記録媒体におけるアドレッシング方式として、グルーブウォブルイング方式は利点が多いが、ランドトラックとグルーブトラックを共に記録トラックとして利用する場合は、ランドトラックのアドレスデータ埋め込みが困難であることは、冒頭で説明されている。その解決策として本発明技術が考案された、それでも局所的ではあるが、トラック幅が変化することは避けられない。特に記録密度向上からトラック幅を縮小すると、トラック幅の狭い所と広い所では記録信号の特性が変わってしまい、データ信頼性が異なる事になる。そこで、本発明ではグレイコードなどの利用によって、トラック幅が変化する領域を最小にする考案がなされた。それでも局所的に存在する事になる為、その対応策が求められている。本発明の基本構成を示すデータ構造において、図４８に示された構成は、複数のセクターをセグメントブロックとして構成し、複数のセグメントブロックが集合して誤り訂正データブロックが構成されている。記録データに対しては、このセグメントデータブロック単位でヘッダ領域が４４１が付加されて記録される場合、ヘッダ領域はセグメント単位で存在する事から情報が多重書きされている事と同じ事になる。即ち、メインデータより信頼性が落ちても問題は生じない。そこで、ランド／グルーブ記録トラック方式に於けるアドレッシング配置構造として、トラック番号（T*）とゾーン番号（Z*）並びにセグメント番号（S*）の組合せでアドレスデータを構成するようになし、トラック幅が変化させるデータであるトアック番号の配置はヘッダ領域に配置して記録するものである。
【０２８１】
１４-２）本発明における書き換え形情報記録媒体におけるトラックアドレス記録フォーマット説明
図８２に、書き換え型情報記録媒体に使われる、ランド／グルーブ記録再生トラック方式でのアドレスデータとして、本発明のアドレスデータ配置構造の一実施例を図示する。
【０２８２】
ゾーン番号やセグメント番号は対峙するトラック間で同じデータであるため、グレイコードを利用する必要も無く、どのようなコードを用いても、トラック幅を変化させることは無い。そこで、トラック番号のみをグレイコードなど、対峙するトラック間でデータの変化するビットを最小にできるコードを用いて、更にヘッダ領域に配置することで、記録再生信号もアドレス情報信号も信頼性を下げることなく、記録再生が可能となる効果が生み出されることになる。
【０２８３】
１４-３）本発明における追記形情報記録媒体のフォーマット説明
ライトワンス型情報記録媒体においても、他の発明と同様にグルーブウォブルアドレッシングデータをそのまま利用することになる。
【０２８４】
１５〕本発明における情報再生装置もしくは情報記録再生装置の説明
本発明実施例における情報再生装置もしくは情報記録再生装置内部の構造を図６０と図６１に示す。図６０において、インターフェース部１４２にはデータが取り込まれる。取り込まれたメインデータは、データ付加部１６８に導かれ、ここで、図２０で示したようなデータ処理が開始される。データＩＤ発生部１６５からデータＩＤが出力されデータ付加部１６８に与えられる。ＣＰＲ＿ＭＡＩデータ発生部１６７からは、コピープロテクトに関するデータが出力され、データ付加部１６５に与えられる。またプリセットデータ発生部１６６からは、プリセットデータが出力され、データ付加部１６５に与えられる。データ付加部１６８から出力されたデータは、図２７で説明したようなデータ配置がデータ配置部分交換部１６３で行なわれ、またスクランブル回路１５７でメインデータ部のスクランブルが行なわれる。そして、スクランブル回路１５７の出力は、ＥＣＣエンコーディング回路１６１において、ＰＯ，ＰＩが付加されて、且つ図２８のように、ＰＯのインターリーブが行なわれる。この結果得られた、ＥＣＣブロックは変調回路１５１に入力されて、変調信号となる。このとき、入力データに応じて、変調用変換テーブル１５３の変調コードが選択される。変調回路１５１からの変調データは、データ合成部１４４において、図２９に示したように同期コードが付加される。同期コードは同期コード選択テーブル記録部１４７から、同期コード選択部１４６が選択している。この選択の際、同期コードとデータとの連続部分において“０”及び“１”のランが所定の範囲に納まるように、ＤＳＶ値計算部１４８が同期コードの選択を制御している。データ合成部１４４から情報記録再生部１４１に記録信号が与えられる。制御部１４３は、他のブロック全体を統括するためのものである。
【０２８５】
図６１には再生系を示している。情報記録再生部１４１から出力された信号は、ウォブル信号復調回路１５０、同期コード位置抽出部１４５、復調回路１５２に入力される。ウォブル信号復調回路１５０で復調されたウォブル信号は、例えばスピンドルモータ回転制御回路１６０の参照信号となる。同期コード抽出部１４５で抽出された同期コード（ＳＹＮＣ）は、復調回路１５２のタイミングを制御する。復調回路１５２では、変調信号を復調用変換テーブル記録部１５４に記録されている変換テーブルを用いて復調する。復調された復調信号は、ＥＣＣデコーディング回路１６２に入力される。ＥＣＣデコーディング回路１６２は、図２８に示した状態のＥＣＣブロックを処理する。即ちＰＯを元の状態にセットし、このＰＯ（１６バイト）とＰＩ（１０バイト）を用いてエラー訂正処理を行う。次にデスクランブル回路１５９は、メインデータ部のデスクランブルを施す。次に、データ配置部分交換部１６４が左右ブロックの交換されている行を、元のブロックの配置位置にもどす。この状態で、メインデータ抽出部１７３は、復調されたメインデータを抽出することができ、このデータは、インターフェース１４２を介して、出力される。さらにデータ配置部分交換部１６４の出力は、データＩＤ抽出部１７１に供給される。抽出されたデータＩＤは、認識データ及びタイミングデータとして制御部１４３に入力される。データＩＤは、デスクランブル回路１５８で一部がデスクランブルされる。また、エラーチェック部１７２において、エラーチェックが行なわれ、正常なＩＤではない場合には、再度のデータ取込が制御部１４３により実行される。
【０２８６】
位相復調方法の説明１
図６２には、ウォブル信号復調回路１５０の構成例を示している。再生部の光ヘッドで読取られ、電気信号に変換されたウォブル信号は、アナログ処理部１５０１の帯域フィルタ（ＢＰＦ）１５０１ａで雑音低減され、ウォブルＰＬＬ部１５０１ｂにおいて、位相同期が取られる。これにより、ウォブルＰＬＬ部１５０１ｂからは、書込みクロック、及びキャリアを得ることができる。キャリアは、デジタル処理部１５０２の位相比較器１５０２ａに入力されている。位相比較器１５０２ａにて、ウォブル信号はキャリアとの位相比較が行なわれる。ウォブル信号の位相が変化するとそれに応じて、位相差情報が得られる、この位相差情報は、低域フィルタ（ＬＰＦ）１５０２ｂにてフィルタリングされ、次にスライサあるいは逓倍器１５０２ｃにより波形整形される。つまりこの位相差情報を波形成形したものが、アドレスデータとなる。
【０２８７】
位相復調方法の説明２
図６３に位相変調されたウォブル信号の復調回路の他の例を示す。ウォブル信号には媒体固有の雑音や、隣接するトラックからのクロストークによる雑音などが含まれている。このためバンドパスフィルタ(ＢＰＦ)１５０５ａ等を介し、ウォブル信号の周波数帯域以外の雑音を取り除く。雑音を除去されたウォブル信号は搬送波を生成するためにフェイズロックループ回路(ＰＬＬ回路)１５０５ｂに入力される。ＰＬＬ回路１５０５ｂからは搬送波と、搬送波に同期する様に遅延されたウォブル信号が出力され、その後、乗算器１５０５ｃにおいて両者の乗算をおこなう。位相変調された信号を復調する場合、一般に変調信号と搬送波の乗算によって位相の極性を判別することができる。
【０２８８】
乗算後の波形は図６４に示すように第１位相と第２位相でオフセットされた形で検波される。図６４（Ａ）は、位相変調されたウォブル信号であり、図６４（Ｂ）はＰＬＬ回路１５０５ｂで生成されたキャリアである。そして図６４（Ｃ）が乗算器１５０５ｃの出力である。よってこの波形をローパスフィルタ(ＬＰＦ)等を用いて高周波成分を除いた波形を閾値検出、もしくは直接積分検出をおこなうことでアドレスデータの復号をすることができる。席分岐１５０５ｄ、スライサ１５０５ｅの系統は、高周波成分を除いた波形を閾値検出するルートである。また、ＬＰＦ１５０５ｆ、スライサ１５０５ｇの系統で、乗算出力の成形を行い、クロック生成器１５０５ｈの制御信号としてもよい。
【０２８９】
同期信号及びアドレス情報検出の例
図６５に同期信号の検出方法を示す。ウォブル信号を乗算処理することで位相検波された信号はアドレス検出器へ入力される。アドレス検出器１５０５ｉ内の構成は図６６のようになっている。図６３と対応する部分には同一符号を付している。
【０２９０】
位相検波された信号はクロック生成器１５０５ｈから受け取ったタイミング信号に基づいて，積分器ｉ（１１）において、積分される。積分された信号は２値復号のためスライサｉ（１３）へ入力されるとともに、同期信号検出器ｉ（１２）にも入力される。アドレスデータ制御器ｉ（１４）では同期信号検出結果と２値化された信号を受け取りアドレス情報の制御をおこなう。アドレスデータ制御器ｉ（１４）からはライト、ＲＥ信号リード、サーボ等に必要な制御信号をコントローラに受け渡す。
【０２９１】
図６７に同期信号検出器ｉ（１２）の具体例を示す。同期信号の検出は、積分出力を２値化した結果から用意されたパターンと比較しておこなう方法がある。この際例えば同期信号との比較は図６７のようなマッチドフィルタとスライサを用いる方法がある。スライサの閾値は同期信号パターンと同期信号以外の部分に起こりうるパターンの最小ハミング距離によって適宜選択する。ほかに積分結果を直接マッチドフィルタ等を介し、結果を２値化することで同期信号を検出する方法も考えられる。
【０２９２】
図８３は、ディスク形状の情報記憶媒体Ｄから、そこに格納されている情報を読み出してデコード処理し再生する再生処理、又、映像信号、副映像信号、音声信号を受けて、エンコード処理し、これをディスク形状の情報記憶媒体Ｄへと記録する記録処理を行うディスク装置を示している。
【０２９３】
情報記憶媒体Ｄは、ディスクドライブ部２１１Ｌに装着されている。このディスクドライブ部２１１Ｌは、装着された情報記憶媒体Ｄを回転駆動し、光ピックアップ（情報記憶媒体Ｄが光ディスクの場合）等を用いて情報記憶媒体Ｄに格納されている情報を読み取りデコードし再生し、又は、エンコードされた信号に応じた情報を情報記録媒体に記録するものである。
【０２９４】
以下、再生処理について本実施の形態に係るディスク装置を説明する。ディスクドライブ部２１１Ｌで読み取られた情報は、ＭＰＵ（Micro Processing Unit）部２１３Ｌに供給され、エラー訂正処理が施された後、図示しないバッファに格納され、この情報のうち、制御データ領域の管理情報は、メモリ部２１４Ｌに記録され、再生制御やデータ管理等に利用される。
【０２９５】
上記バッファに格納された情報のうち、ビデオ・オブジェクト領域の情報は、分離部２２６Ｌに転送され、主映像パック２０３Ｌ、音声パック２０４Ｌ及び副映像パック２０５Ｌ毎に分離される。主映像パック２０３Ｌの情報は映像デコーダ部２２７、音声パック２０４の情報は音声デコーダ部２２９Ｌ、副映像パック２０５Ｌの情報は副映像デコーダ部２２８Ｌにそれぞれ供給され、デコード処理が行なわれる。映像デコーダ部２２７でデコード処理された主映像情報と、副映像デコーダ部２２８Ｌでデコード処理された副映像情報とは、Ｄ−プロセッサ部２３０Ｌに供給されて重畳処理が施された後、Ｄ／Ａ（Digital/Analogue）変換部２３１でアナログ化され、副映像情報は、そのままＤ／Ａ変換部２３２Ｌでアナログ化され、映像信号として図示しない映像表示装置（例えばＣＲＴ：Cathode Ray Tube等）に出力される。音声デコーダ部２２９Ｌでデコード処理された音声情報は、Ｄ／Ａ変換部２３３Ｌでアナログ化され、音声信号として図示しない音声再生装置（例えばスピーカ等）に出力される。
【０２９６】
上記のような情報記憶媒体Ｄに対する一連の再生動作は、ＭＰＵ部２１３によって統括的に制御されている。ＭＰＵ部２１３Ｌは、キー入力部２１２Ｌからの操作情報を受け、ＲＯＭ（Read Only Memory）部２１５Ｌに格納されたプログラムに基づいて、各部を制御している。
【０２９７】
記録処理について、本実施の形態に係るディスク装置を説明する。映像、音声及び副映像の各入力端子を通して入力される各データが、Ａ／Ｄ変換部２１７Ｌ，２１８Ｌ，２１９Ｌに供給され、アナログ信号からデジタル信号に変換する。Ａ／Ｄ変換部２１８でデジタル変換されたビデオデータは、映像エンコーダ部２２０Ｌに供給されエンコードされる。Ａ／Ｄ変換部２１８でデジタル変換された副映像データは、副映像エンコーダ部２２１に供給されエンコードされる。Ａ／Ｄ変換部２１９Ｌでデジタル変換されたオーディオデータは、音声エンコーダ部２２２Ｌに供給されエンコードされる。
【０２９８】
各エンコーダでエンコードされたビデオ、オーディオ及び副映像の各データは、多重部（ＭＵＸ: Multiplexer）２１６Ｌに供給され、それぞれパケット及びパック化し、ビデオパック、オーディオパック及び副映像パックとしてＭＰＥＧ−２プログラムストリームを構成する。多重化されたデータ群は、ファイルフォーマッタ部２２５に供給され、このディスク装置で記録再生可能なファイル構造に準拠したファイルに変換する。このファイルは、ボリュームフォーマッタ部２２４に供給され、このディスク装置で記録再生可能なボリューム構造に準拠したデータフォーマットを形成する。ここでは、ファイルフォーマッタ部２２５Ｌでファイル化されたデータ及びそのファイル化されたデータを再生するための再生制御情報等を付加する。その後、物理フォーマッタ２２３Ｌに供給され、ディスクドライブ部２１１Ｌにより、ディスクＤへファイル化されたデータを記録する。
【０２９９】
このような再生動作や記録動作は、このディスク装置のＲＯＭ部２１５Ｌに記憶された一連の処理プログラムに基づいて、キー入力部２１２Ｌからの指示のもと、ＭＰＵ部２１３Ｌで実行することにより行われるものである。なお、このディスク装置では、副映像データのエンコード処理とデコード処理との両方を行っているが、エンコード処理のみがオーサリングシステム等で単独で行われたり、デコード処理のみがディスク装置で行われる場合も可能である。
【０３００】
光ディスク装置は、光ディスク１０の論理フォーマットを参照して動作する。光ディスク１０はリードインエリアからリードアウトエリアまでのボリューム空間は、先に説明したようなボリューム及びファイル構造を有している。この構造は、論理フォーマットとして特定の規格、例えば、マイクロＵＤＦ（ｍｉｃｒｏ  ＵＤＦ）及びＩＳＯ９６６０に準拠されて定められている。ボリューム空間は、既に説明したように物理的に複数のセクタに分割され、その物理的セクタには、連続番号が付されている。論理アドレスは、マイクロＵＤＦ（ｍｉｃｒｏ  ＵＤＦ）及びＩＳＯ９６６０で定められるように論理セクタ番号ＬＳＮを意味し、論理セクタは、物理セクタのサイズと同様に２０４８バイトであり、論理セクタの番号ＬＳＮは、物理セクタ番号の昇順とともに連続番号が付加されている。
【０３０１】
図８４は、上記した装置の信号処理系統を詳しく示したプレーヤ基準モデルを示す。再生期間中、ディスクから読まれたプログラムストリーム内の各パックは復号／エラー訂正回路１０２Ｋのインターフェース部（先に説明した）からトラックバッファ１０４Ｋに送られ、そこで蓄えられる。トラックバッファ１０４Ｋの出力はデマルチプレクサ１１４Ｋで分離され、ＩＳＯ／ＩＥＣ  １３８１８−１で規定される各ターゲットデコーダ１２４Ｋ、１２６Ｋ、１２６Ｋ、１３０Ｋ、１３２Ｋ、１３４Ｋ用の入力バッファ１１６Ｋ、１１８Ｋ、１２０Ｋ、１２２Ｋに転送される。トラックバッファ１０４Ｋはデコーダ１２４Ｋ、１２６Ｋ、１２８Ｋ、１３０Ｋ、１３２Ｋ、１３４Ｋへのデータ連続供給を確保するために設けられる。ナビパック内のＤＳＩ＿ＰＫＴはトラックバッファ１０４Ｋに蓄えられると同時にデータサーチ情報（ＤＳＩ）バッファ１０６Ｋにも蓄えられ、ＤＳＩデコーダ１１０Ｋでデコードされる。ＤＳＩデコーダ１１０ＫにはＤＳＩデコーダ・バッファ１１２Ｋも接続され、復号／エラー訂正回路１０２Ｋにはシステム・バッファ１０８Ｋも接続される。
【０３０２】
ビデオバッファ１１６Ｋの出力（主映像）はＨＤ用デコーダ１２４Ｋ、ＳＤ用デコーダ１２６Ｋに供給される。ＨＤ用デコーダ１２４Ｋ、ＳＤ用デコーダ１２６Ｋの出力はそのままセレクタ１５６Ｋに供給されるとともに、バッファ１３６Ｋ、１３８Ｋを介してセレクタ１５６Ｋに供給される。セレクタ１５６Ｋの出力はレターボックスコンバータ１６０Ｋを介してミキサ１６２Ｋに供給される。
【０３０３】
副映像バッファ１１８Ｋの出力はＨＤ用デコーダ１２８Ｋ、ＳＤ用デコーダ１３０Ｋに供給される。ＨＤ用デコーダ１２８Ｋ、ＳＤ用デコーダ１３０Ｋの出力はそのままセレクタ１５８Ｋに供給されるとともに、バッファ１４２Ｋ、１４４Ｋを介してセレクタ１５８Ｋに供給される。セレクタ１５８Ｋの出力はミキサ１６２Ｋに供給される。
【０３０４】
オーディオバッファ１２０Ｋの出力はオーディオデコーダ１３２Ｋに供給される。再生制御情報（ＰＣＩ）バッファ１２２Ｋの出力はＰＣＩデコーダ１３４Ｋに供給される。オーディオデコーダ１３２Ｋにはオーディオデコーダバッファ１４６Ｋも接続され、オーディオデコーダ１３２Ｋの出力はそのまま出力される。ＰＣＩデコーダ１３４ＫにはＰＣＩデコーダバッファ１４８Ｋも接続され、ＰＣＩデコーダ１３４Ｋの出力はハイライト（ＨＩＬ）バッファ１５０を介してＨＩＬデコーダ１５２Ｋに供給される。ＨＩＬデコーダ１５２ＫにはＨＩＬデコーダバッファ１５４Ｋも接続され、ＨＩＬデコーダ１５２Ｋの出力はそのまま出力される。
【０３０５】
各デコーダ１２４Ｋ、１２６Ｋ、１２８Ｋ、１３０Ｋ、１３２Ｋ、１３４Ｋの電源投入タイミングは上述したバージョン番号、圧縮／非圧縮フラグに応じて制御され、ＳＤ／ＨＤ方式に応じて必要なデコーダがスタンバイされ、節電しつつ、再生開始を迅速に行うことができる。
【０３０６】
図８５を用いて複数の副映像パケットの副映像データにより構成される副映像ユニットについて説明する。１ＧＯＰ内に十数画面分の静止画のデータ（たとえば字幕）としての副映像ユニットが記録できるようになっている。副映像ユニット（ＳＰＵ）は、副映像ユニットヘッダ（ＳＰＵＨ）、ビットマップデータで構成される画素データ（ＰＸＤ）、表示制御シーケンステーブル（ＳＰ＿ＤＣＳＱＴ）により構成されている。
【０３０７】
表示制御シーケンステーブル（ＳＰ＿ＤＣＳＱＴ）のサイズは副映像ユニットの半分以下である。表示制御シーケンス（ＳＰ＿ＤＣＳＱ）は各画素の表示制御の内容を記述する。各表示制御シーケンス（ＳＰ＿ＤＣＳＱ）は連続して互いに接して記録される。
【０３０８】
副映像ユニット（ＳＰＵ）は整数個の副映像パックＳＰ＿ＰＣＫに分割され、ディスク上に記録されている。副映像パックＳＰ＿ＰＣＫは一つの副映像ユニット（ＳＰＵ）の最終パックに限り、パディングパケット又はスタッフィングバイトを持つことができる。ユニットの最終データを含むＳＰ＿ＰＣＫの長さが２０４８バイトに満たない場合は調整される。最終パック以外のＳＰ＿ＰＣＫはパディングパケットを持つことができない。
【０３０９】
副映像ユニット（ＳＰＵ）のＰＴＳは例えばトップフィールドに整合されなければならない。副映像ユニット（ＳＰＵ）の有効期間は副映像ユニット（ＳＰＵ）のＰＴＳから次に再生される副映像ユニット（ＳＰＵ）のＰＴＳまでである。ただし、副映像ユニット（ＳＰＵ）の有効期間中にナビゲーションデータにスチルが発生する場合は、副映像ユニット（ＳＰＵ）の有効期間はそのスチルが終了するまでである。
【０３１０】
副映像ユニット（ＳＰＵ）の表示は以下に定義される。
【０３１１】
１）表示制御コマンドによって副映像ユニット（ＳＰＵ）の有効期間中に表示がオンされた場合、副映像データが表示される。  ２）表示制御コマンドによって副映像ユニット（ＳＰＵ）の有効期間中に表示がオフされた場合、副映像データがクリアされる。  ３）副映像ユニット（ＳＰＵ）の有効期間が終了した時副映像ユニット（ＳＰＵ）は強制的にクリアされ、副映像ユニット（ＳＰＵ）はデコーダバッファから破棄される。副映像ユニットヘッダ（ＳＰＵＨ）については、先に説明した通りである。
【０３１２】
上記したようにこの発明に係るシステムは、
＜メインデータがセグメント単位の構造を持つ＞
つまり集束光を用いて情報再生が可能もしくは情報記録が可能な情報記録媒体において、情報記録媒体に記録可能なデータないしは情報記録媒体に記録されたデータが第１のデータ単位（ＥＣＣブロック）を有する。そして前記第１のデータ単位は第２のデータ単位（セグメント）から構成され、前記第２のデータ単位は第３のデータ単位（セクター）から構成され、前記第３のデータ単位は第４のデータ単位（シンクデータ）から構成され、かつ前記第１のデータ単位内でデータのエラー検出もしくはエラー訂正が可能である事を特徴とする情報記録媒体もしくは前記情報記録媒体から前記データを再生する情報再生装置ないしは前記情報記録媒体に対して前記データを記録する情報記録再生装置を提供する。
【０３１３】
＜効果＞ＥＣＣブロック内が複数のセグメントに分割されている構造になっているため、複数のセクターから構成されるセグメント毎に情報記録媒体に対して分離配置が可能となる。その結果、１．再生専用の情報記録媒体に対してコンテンツ内容に応じて媒体構造を最適化出来る。すなわち１Ａ〕何度でも自由に複製が可能な（それ程重要で無い）データ内容の場合…従来と同様、各セグメント毎に繋げて（詰めて）連続にデータを記録する構造である。１Ｂ〕コピー制限の対象となる重要なデータ内容の場合…情報記録媒体上で各セグメント毎に分離配置し、その隙間（前後のセグメントの間）に“再生専用情報記録媒体の識別情報”“コピー制御情報”“暗号鍵関連情報”“アドレス情報”等を記録可能な構造である。これにより情報記録媒体に記録されたデータの保護とアクセスの高速性を保証出来る。また、２．再生専用／追記可能形／書き換え可能形情報記録媒体に対するデータ構造の互換性を確保し、再生装置あるいは記録再生装置の処理回路・制御ソフトの兼用化／簡素化が図れる。２Ａ〕再生専用の情報記録媒体が上記〔１Ａ〕の構造を有した場合には…上記〔１Ａ〕の構造のデータに対してセグメントの境界部で分割し、その間に特定情報を配置する事で追記可能形／書き換え可能形情報記録媒体に対してセグメント単位での追記処理／書き換え処理が可能となる。２Ｂ〕再生専用の情報記録媒体が上記〔１Ｂ〕の構造を有した場合には…上記〔１Ｂ〕の構造のデータに対してセグメント間（隙間）に挿入するデータ内容を再生専用情報記録媒体と追記可能形情報記録媒体と書き換え可能形情報記録媒体間の識別を可能とすると共に追記可能形／書き換え可能形情報記録媒体に対してセグメント単位での追記処理／書き換え処理が可能となる。
【０３１４】
またこの発明では、
＜トラックアドレスがGray  Code  で記録されるか、セグメント間の隙間に配置される＞
つまり、集束光を用いて情報の記録と再生が可能な情報記録媒体において、情報記録媒体に記録可能なデータないしは情報記録媒体からの再生可能なデータが第１のデータ単位（ＥＣＣブロック）を有し、前記第１のデータ単位は第２のデータ単位（セグメント）から構成され、前記第２のデータ単位は第３のデータ単位（セクター）から構成される。そして、前記第３のデータ単位は第４のデータ単位（シンクデータ）から構成され、かつ、前記第１のデータ単位内でデータのエラー検出もしくはエラー訂正が可能であり、前記情報記録媒体にはゾーン識別情報、セグメントアドレス情報、トラックアドレス情報の内、少なくともいずれかが予め記録された構造を有し、前記ゾーン識別情報ないしはセグメントアドレス情報がウォーブル変調により記録され、前記トラックアドレス情報が特定のフォーマットで記録された事を特徴とする情報記録媒体もしくは前記情報記録媒体から前記データを再生する情報再生装置ないしは前記情報記録媒体に対して前記データを記録する情報記録再生装置を提供できる。
【０３１５】
＜効果＞１．ゾーン識別情報とセグメントアドレス情報がウォーブル変調で記録されているため、ゾーン識別情報とセグメントアドレス情報が記録されている領域に重複して追記可能または書き換え可能なデータ（記録マーク）の記録が可能となる。従ってプリピットアドレスを形成し、そのプリピットアドレス位置には、追記可能または書き換え可能なデータ（記録マーク）の記録を禁止されている従来のＤＶＤ−ＲＡＭディスク（書き換え可能な情報記録媒体）に比べて記録容量の向上が図れる。２．ゾーン構造を採用した場合、ゾーン識別情報とセグメントアドレス情報が記録されたウォーブル変調情報は隣接トラック間で全く同じ形態をしている。隣接トラック間で形態が異なるトラックアドレス情報に対しては特定のフォーマット（Gray Code で記録されるか、セグメント間の隙間に配置される）で記録されるため、Ｌ／Ｇへの記録が可能となる。よって、グルーブ記録の従来のＤＶＤ−ＲＷディスク（書き換え可能な情報記録媒体）に比べて、本発明のシステム方が記録容量の向上を図れる。
【０３１６】
またこの発明では、
＜トラックアドレスに対して加算／減算／Exclusive OR のどれか／組み合わせでＥＤＣ付加＞  つまり、集束光を用いて情報の記録と再生が可能であり、ゾーン識別情報、セグメントアドレス情報、トラックアドレス情報の内、少なくともいずれかが予め記録された構造を有した情報記録媒体において、トラックアドレス情報に対して加算処理、減算処理もしくは Exclusive OR 演算処理のうち少なくとも１つの処理もしくはその内の少なくとも２つの処理の組み合わせ処理により Error Detection Code を付加した構造を有することを特徴とした情報記録媒体もしくは前記情報記録媒体から前記データを再生する情報再生装置ないしは前記情報記録媒体に対して前記データを記録する情報記録再生装置を提供できる。
【０３１７】
＜効果＞グレイコードもしくは変形グレイコード特性を有したトラックアドレス情報に対して加算処理、減算処理もしくは Exclusive OR 演算処理のうち少なくとも１つの処理もしくはその内の少なくとも２つの処理の組み合わせ処理により作成したError  Detection  Codeは同様にグレイコードもしくは変形グレイコード特性を保持している。
【０３１８】
そのため  １．トラックアドレス情報に対して Error Detection Code を付加することにより、トラックアドレス情報の再生精度が飛躍的に向上する。２．Error Detection Code にグレイコード特性を持っているため、ランド部での不定ビット数が少ないため、Error Detection Code 領域も含めたランド部のトラックアドレス情報の再生・判別精度が向上する。
【０３１９】
次に上述した本発明の情報記録媒体、その再生装置及び方法、情報記録装置及び方法について、全体像を図面の簡単な説明の前に挿入している表１と表２を用いて説明することにする。
【０３２０】
本発明における各ポイントの組み合わせにより生じる組み合わせ効果を表１を参照して説明する。
【０３２１】
注〕一覧表の中で独自効果を発揮する中心となる発明ポイント内容に対しては“丸”印を、独自効果内容に対して関連するが、付加的で有り、必ずしも必須では無い発明ポイント内容には“三角”印を付けている。
【０３２２】
表１に対応した各効果番号毎の効果説明
＜高画質映像に合わせた大容量を保証すると共に高画質映像へのアクセス信頼性を高めた＞
（１）従来のＳＤ映像に対してファイル又はフォルダ分離によりＨＤ映像を情報記憶媒体に記録する場合、ＨＤ映像は解像度が高いため情報記憶媒体の記録容量増加が必須となる。グルーブ記録よりＬ／Ｇ記録の方が記録容量の増加が可能で、プリピットアドレス上には記録マークを形成できないのでプリピットアドレスよりウォーブル変調によるアドレス情報記録の方が記録効率が高いので“Ｌ／Ｇ記録＋ウォーブル変調”が最も記録容量が増加する。またこの場合トラックピッチが密になるため、より一層のアドレス検出性能を向上させてアクセスの信頼性を高める必要が有る。“Ｌ／Ｇ記録＋ウォーブル変調”で問題となる不定ビットの発生に対してグレイコードまたは特殊トラックコードを採用して不定ビットの発生頻度を下げると共に、ビット単位の加算、減算、Exclusive OR 演算などを行い、グレイコード特性または特殊トラックコード特性を保持したままのエラー検出コード付加とスクランブル処理を行い、アドレスの検出精度を大幅に増加させることが可能となる。
【０３２３】
（２）情報記憶媒体に記録する映像の高画質化に合わせて副映像の高画質化も必要となるが、副映像を従来の２ビットから４ビット表現にすると記録すべきデーター量が増大するため、それを記録する情報記憶媒体の大容量化が必要となる。グルーブ記録よりＬ／Ｇ記録の方が記録容量の増加が可能で、プリピットアドレス上には記録マークを形成できないのでプリピットアドレスよりウォーブル変調によるアドレス情報記録の方が記録効率が高いので“Ｌ／Ｇ記録＋ウォーブル変調”が最も記録容量が増加する。またこの場合トラックピッチが密になるため、より一層のアドレス検出性能を向上させてアクセスの信頼性を高める必要が有る。“Ｌ／Ｇ記録＋ウォーブル変調”で問題となる不定ビットの発生に対してグレイコードまたは特殊トラックコードを採用して不定ビットの発生頻度を下げると共に、ビット単位の加算、減算、Exclusive   OR 演算などを行い、グレイコード特性または特殊トラックコード特性を保持したままのエラー検出コード付加とスクランブル処理を行い、アドレスの検出精度を大幅に増加させることが可能となる。
【０３２４】
＜効率の良いゾーン分割を可能として記録効率を高め、高画質映像に合わせた大容量を保証した＞＞
（３）従来のＳＤ映像に対してファイル又はフォルダ分離によりＨＤ映像を情報記憶媒体に記録する場合、ＨＤ映像は解像度が高いため情報記憶媒体の記録容量増加が必須となる。グルーブ記録よりＬ／Ｇ記録の方が記録容量の増加が可能で、プリピットアドレス上には記録マークを形成できないのでプリピットアドレスよりウォーブル変調によるアドレス情報記録の方が記録効率が高いので“Ｌ／Ｇ記録＋ウォーブル変調”が最も記録容量が増加する。グルーブ記録よりＬ／Ｇ記録の方が記録容量の増加が可能で、プリピットアドレス上には記録マークを形成できないのでプリピットアドレスよりウォーブル変調によるアドレス情報記録の方が記録効率が高いので“Ｌ／Ｇ記録＋ウォーブル変調”が最も記録容量が増加する。Ｌ／Ｇ記録の場合には図３７のゾーン構造を取るが、１周をＥＣＣブロックの整数倍になるようにゾーン配置をすると記録効率が非常に悪くなる。それに対して本発明のように１個のＥＣＣブロックを複数（本発明実施例では８個）のセグメントに分割し、情報記憶媒体上の１周をセグメントの整数倍になるようにゾーンを配置するように設定すると記録効率が非常に高くなる。
【０３２５】
（４）情報記憶媒体に記録する映像の高画質化に合わせて副映像の高画質化も必要となるが、副映像を従来の２ビットから４ビット表現にすると記録すべきデーター量が増大するため、それを記録する情報記憶媒体の大容量化が必要となる。グルーブ記録よりＬ／Ｇ記録の方が記録容量の増加が可能で、プリピットアドレス上には記録マークを形成できないのでプリピットアドレスよりウォーブル変調によるアドレス情報記録の方が記録効率が高いので“Ｌ／Ｇ記録＋ウォーブル変調”が最も記録容量が増加する。Ｌ／Ｇ記録の場合には図３７のゾーン構造を取るが、１周をＥＣＣブロックの整数倍になるようにゾーン配置をすると記録効率が非常に悪くなる。それに対して本発明のように１個のＥＣＣブロックを複数（本発明実施例では８個）のセグメントに分割し、情報記憶媒体上の１周をセグメントの整数倍になるようにゾーンを配置するように設定すると記録効率が非常に高くなる。
【０３２６】
＜高画質映像の保護と媒体種別の識別とアクセス速度の確保＞
（４）従来のＳＤ映像に対してファイル又はフォルダ分離によりＨＤ映像を情報記憶媒体に記録する場合、ＨＤ映像は解像度が高く、不正コピーの保護を強化したいという要求が高い。本発明のようにＥＣＣブロック内を複数のセグメントに分割し、再生専用情報記憶倍体内で２種類の記録フォーマットを持ち、不正コピーの保護をしたい高画質映像に対してセグメント間にヘッダーを持たせる事で、再生専用／追記形／書き換え形間でのフォーマット互換性を確保できるだけでなく、媒体種別の識別が容易となる。更に追記形／書き換え形ではその識別情報の一部としてセグメント内に複数回のアドレス情報が記録されているので、同時にアクセス速度の向上という副次効果を発揮する。
【０３２７】
（６）情報記憶媒体に記録する映像の高画質化に合わせて副映像の高画質化も必要となる。従来の２ビットから４ビット表現にした高画質の副映像に対して不正コピーの保護を強化したいという要求が高い。。本発明のようにＥＣＣブロック内を複数のセグメントに分割し、再生専用情報記憶倍体内で２種類の記録フォーマットを持ち、不正コピーの保護をしたい高画質の副映像に対してセグメント間にヘッダーを持たせる事で再生専用／追記形／書き換え形間でのフォーマット互換性を確保できるだけでなく、媒体種別の識別が容易となる。更に追記形／書き換え形ではその識別情報の一部としてセグメント内に複数回のアドレス情報が記録されているので、同時にアクセス速度の向上という副次効果を発揮する。
【０３２８】
＜高画質映像に合わせて記録密度を上げても表面の傷が現行と同じ長さまで付くのを保証した＞
（７）従来のＳＤ映像に対してファイル又はフォルダ分離によりＨＤ映像を情報記憶媒体に記録する場合、ＨＤ映像は解像度が高いため情報記憶媒体の記録容量増加が必須となる。記録密度が高くなると、情報記憶媒体表面に付いた同じ長さの傷が及ぼす記録データーへの影響範囲が相対的に大きくなる。従来のＤＶＤでは１６セクターで１ＥＣＣブロックを構成していたのに対して本発明ではその２倍の３２セクターで１ＥＣＣブロックを構成する事で高画質映像に合わせて記録密度を上げても表面の傷が現行と同じ長さまで付くのを保証した。更に１ＥＣＣブロック内を２個の小さいＥＣＣブロックで構成させると共に１セクター内を２個のＥＣＣブロックに分散配置することで同一セクター内のデーターを実質的にインターリーブした事になり、より一層長い傷やバーストエラーに対する影響を軽減できる。
【０３２９】
（８）情報記憶媒体に記録する映像の高画質化に合わせて副映像の高画質化も必要となるが、副映像を従来の２ビットから４ビット表現にすると記録すべきデーター量が増大するため、それを記録する情報記憶媒体の大容量化が必要となる。。記録密度が高くなると、情報記憶媒体表面に付いた同じ長さの傷が及ぼす記録データーへの影響範囲が相対的に大きくなる。従来のＤＶＤでは１６セクターで１ＥＣＣブロックを構成していたのに対して本発明ではその２倍の３２セクターで１ＥＣＣブロックを構成する事で高画質映像に合わせて記録密度を上げても表面の傷が現行と同じ長さまで付くのを保証した。更に１ＥＣＣブロック内を２個の小さいＥＣＣブロックで構成させると共に１セクター内を２個のＥＣＣブロックに分散配置することで同一セクター内のデーターを実質的にインターリーブした事になり、より一層長い傷やバーストエラーに対する影響を軽減できる。
【０３３０】
（９）従来のＳＤ映像に対してファイル又はフォルダ分離によりＨＤ映像を情報記憶媒体に記録する場合、ＨＤ映像は解像度が高いため情報記憶媒体の記録容量増加が必須となる。記録密度が高くなると、情報記憶媒体表面に付いた同じ長さの傷が及ぼす記録データーへの影響範囲が相対的に大きくなる。従来のＤＶＤでは１６セクターで１ＥＣＣブロックを構成していたのに対して本発明ではその２倍の３２セクターで１ＥＣＣブロックを構成する事で高画質映像に合わせて記録密度を上げても表面の傷が現行と同じ長さまで付くのを保証した。更に１ＥＣＣブロック内を２個の小ＥＣＣブロックで構成させると共に本発明ではセクター毎に異なる小ＥＣＣブロックに属するＰＯデーターを挿入するため、小ＥＣＣブロック内のＰＯデーターが１個置きのセクター内にインターリーブ配置（分散配置）されるのでＰＯデーターの傷による信頼性が上がり、精度の良いエラー訂正処理が可能となる。
【０３３１】
（１０）情報記憶媒体に記録する映像の高画質化に合わせて副映像の高画質化も必要となるが、副映像を従来の２ビットから４ビット表現にすると記録すべきデーター量が増大するため、それを記録する情報記憶媒体の大容量化が必要となる。記録密度が高くなると、情報記憶媒体表面に付いた同じ長さの傷が及ぼす記録データーへの影響範囲が相対的に大きくなる。従来のＤＶＤでは１６セクターで１ＥＣＣブロックを構成していたのに対して本発明ではその２倍の３２セクターで１ＥＣＣブロックを構成する事で高画質映像に合わせて記録密度を上げても表面の傷が現行と同じ長さまで付くのを保証した。更に１ＥＣＣブロック内を２個の小ＥＣＣブロックで構成させると共に本発明ではセクター毎に異なる小ＥＣＣブロックに属するＰＯデーターを挿入するため、小ＥＣＣブロック内のＰＯデーターが１個置きのセクター内にインターリーブ配置（分散配置）されるのでＰＯデーターの傷による信頼性が上がり、精度の良いエラー訂正処理が可能となる。
【０３３２】
＜再生専用と追記形との完全互換が取れると共に細かい単位での追記処理が可能＞
（１１）従来の ＤＶＤ−Ｒ もしくは ＤＶＤ−ＲＷ では細かい単位での追記／書き換えが不可能で、無理にそれを行おうとして Restricted Overwrite 処理を行うと既に記録されている情報の一部が破壊されるという問題が有った。本発明のように再生専用で複数種類の記録形式を設定可能とし、ＥＣＣブロック内で分割されたセグメントの間にヘッダを持つ記録構造を再生専用で持てるようにした事で再生専用と追記形との完全互換が可能となる。更にこのヘッダ部の途中から追記／書き換えを行えるので追記／書き換え処理による既に記録されたセグメント内の情報を破壊する危険性も無い。同時にこのヘッダ部の中で追記／書き換え時にガードエリアが一部重複して記録されるため、ヘッダ部内に記録マークが存在しないギャップ領域の存在を防止するため、このギャップ領域による２層間のクロストークの影響が除去でき、片面２記録層における層間クロストークの問題も同時に解消できる。
【０３３３】
＜確定アドレス情報配置頻度を高め、アクセス速度を確保する＞
（１２）本発明実施例ではトラック番号の偶数／奇数識別情報を利用して不定ビットの予測判定が可能になっているが、あくまでも予測判定の範囲で確実に確定はしない。それに対して不定ビットを持たず、エラー検出コードが付加された部分では非常に高い精度でトラック情報を検出できる。そのため、本発明ではグルーブ領域にも不定ビットを配置し、ランド領域とグルーブ領域の両方に不定ビットを分散配置する事でランド領域内にも不定ビットを持たず、エラー検出コードが付加された部分の形成を可能としている。しかしランド領域とグルーブ領域の両方に不定ビットを分散配置するので、不定ビットを持たないトラック番号情報６１１、６１２の配置頻度が相対的に低下する。これに対して本発明ではセグメント内で複数回のアドレス情報を配置する構造にする事でランド領域とグルーブ領域共に不定ビットを持たずエラー検出コードが付加された部分の配置頻度を高め、それによりアドレス情報再生精度を上げると共に高いアクセス速度を確保している。
【０３３４】
＜ウォーブルアドレスの読み取り精度を高める＞
（１３）図３８に示すように１アドレスビット領域５１１の境界位置（“三角印”の部分）でのウォーブルの反転頻度を高めるとウォーブルアドレスの読み取り精度が向上する。そのため図４４、図４５に示すセグメントアドレス情報６２１の取り得る値として“００００００”を排除してウォーブルの反転頻度を上げると共にデータースクランブル（６４２）を掛けて１アドレスビット領域５１１の境界位置（“三角印”の部分）でのウォーブルの反転頻度を高めている。この時、スクランブルの種情報６４１内で長く“０”が連続するとデータースクランブルを掛けた時にウォーブルの反転頻度が高まる効果が現れ辛い。従ってセグメントアドレス情報６２１の取り得る値として“００００００”を排除して種情報６４１内の“１”の出現頻度を高める事でデータースクランブルを掛けた時のウォーブル反転頻度を高める効果を促進する働きをする。
【０３３５】
＜ランドでも確実にトラック番号を再生できる事でランド上でのトラック番号再生精度が上がる＞
（１４）本発明実施例ではトラック番号の偶数／奇数識別情報を利用して不定ビットの予測判定が可能になっているが、あくまでも予測判定の範囲で確実に確定はしない。それに対して不定ビットを持たず、エラー検出コードが付加された部分では非常に高い精度でトラック情報を検出できる。そのため、本発明ではグルーブ領域にも不定ビットを配置し、ランド領域とグルーブ領域の両方に不定ビットを分散配置する事でランド領域内にも不定ビットを持たず、エラー検出コードが付加された部分の形成を可能としている。その結果、ランド上でも高い再生精度でのトラック番号の読み取りが可能となり、ランド部でのアクセス安定性と高いアクセス速度を確保できる。
【０３３６】
次に、表２を参照して各種組み合わせ構成と効果番号との対応を説明する、
〔表２に対応した各効果番号毎の効果説明〕
＜非常に容易な方法でグルーブ領域とランド領域に不定ビットを分散配置できる＞
（１５）本発明実施例では±９０度のウォーブル位相変調を採用する事で図５８に示したグルーブ領域形成用の集光スポット７０１〜７０３の露光量変調もしくは２集光スポット間の相対位置変化と言う非常に簡単な方法でグルーブ領域とランド領域に不定ビットを分散配置できる。そのため、従来の情報記憶媒体作成用の原盤記録装置で本発明実施例を実現できる。既存の装置で実施できるため、新たな設備導入を必要とせず、安価な情報記憶媒体を製造する事が可能となる。
【０３３７】
＜ウォーブルアドレス情報の再生精度（信頼性）を大幅に高められる＞
（１６）本発明実施例では任意のデーターとの間でビット単位での“加算演算”、“減算演算”または“ Exclusive OR ”演算のいずれかあるいはそれらの組み合わせ演算の範囲内でＥＤＣコード生成とデータースクランブル処理の両方が行えるので、非常に簡単な方法でウォーブルアドレス情報の再生精度（信頼性）を大幅に高められる（ＥＤＣによるエラー検知とスクランブルによるウォーブル反転位置の出現頻度を高められ、再生系で容易にＰＬＬが掛けられる）と共に、それを実施するために必要な付加回路がほんのわずかなため、安価な情報再生装置または情報記録再生装置を提供できる。
【０３３８】
＜ＥＣＣブロック内で不定ビットが縦一直線に並ぶのを防止し、エラー訂正能力を確保する＞
（１７）図４３（ｃ）に示したウォーブルアドレスの配置領域５６１、５６２と図４４、図４５に示すトラック番号情報６１１、６１２のデーター配置では非常に記録正しく情報が並んでいるので、不定ビットの位置が図２８に示すＥＣＣブロック内で縦に一直線に並んでしまい、ＥＣＣブロック内でのエラー訂正能力が大幅に低下すると言う問題が発生する。本発明では各種の方法で不定ビットの配置をずらし、ＥＣＣブロック内で不定ビットが縦に並ぶのを防止し、ＥＣＣブロック内でのエラー訂正能力に対する性能確保を行える。その結果、情報記憶媒体に記録した記録マークからの再生情報の（訂正後の）エラー率を低減し、精度の高い再生を可能にする。
【０３３９】
＜非常に簡単かつ安価にウォーブルアドレス情報の再生信頼性を上げられる＞
（１８）図４８に示すように非常に簡単な回路でデータースクランブルを掛けられ、アドレスビット領域の境界部でのウォーブル反転頻度を高めてアドレスビット領域の境界位置の検出を容易にし、ウォーブルアドレス情報の再生信頼性を上げられるばかりでなく、図４８に示す回路は非常に安価に作成できるため、安価な情報再生装置または安価な情報記録再生装置を提供できる。
【０３４０】
（１９）２アドレス領域内でパターン内容を変化させる事で結果的にアドレスビット領域の境界部でのウォーブル反転頻度を高めてアドレスビット領域の境界位置の検出を容易にし、ウォーブルアドレス情報の再生信頼性を上げられる。
【０３４１】
＜検出精度を高くトラック番号の偶数／奇数識別情報を配置できると共に記録マークへ影響を与えない＞
（２０）トラック番号の偶数／奇数識別情報をウォーブル変調のデーター構造では無く、図５３または図５４に示すような物理的な形状変化で記録するため、トラック番号の偶数／奇数識別情報に対する高い検出精度が確保できる。また、このトラック番号の偶数／奇数識別情報は各セグメント間のヘッダ領域に配置するため、各セグメント内に記録する記録マークによる記録情報に対する悪影響が無い。また、同時にこの情報を再生専用／追記形／書き換え形の情報記憶媒体の種類判別にも利用でき、不正コピーを防止したい高画質の映像情報や高画質の副映像情報に対する不正コピーの検知が容易となる。
【０３４２】
＜精度の高い不定ビットの予測判定が可能＞
（２１）トラック番号の偶数／奇数識別情報をウォーブル変調のデーター構造では無く、図５３または図５４に示すような物理的な形状変化で記録するため、トラック番号の偶数／奇数識別情報に対する高い検出精度が確保できる。そのため、この高い検出精度が確保できるトラック番号の偶数／奇数識別情報を基準として不定ビットの予測判定が行えるので、比較的高い精度での予測判定が行える。
【０３４３】
＜グルーブ領域に不定ビットを持たずにランド領域上で正確にアドレス番号が確定する＞
（２２）本発明実施例ではトラック番号の偶数／奇数識別情報を利用して不定ビットの予測判定が可能になっているが、あくまでも予測判定の範囲で確実に確定はしない。それに対して不定ビットを持たず、エラー検出コードが付加された部分では非常に高い精度でトラック情報を検出できる。図５５に示すように本発明ではＬ／Ｇ記録方法においてトラック番号情報をジグザグに累進設定する事でグルーブ領域に不定ビットを持たずにランド領域上で不定ビットを持たず、エラー検出コードが付加され、正確にアドレス番号が確定する箇所の設定が可能となり、ランド領域でも精度の高いトラック番号の確定が可能で有るばかりでなく、（早くアドレス番号が確定するので）比較的早いアクセス速度の確保が可能となる。
【０３４４】
＜ランド／グルーブ共容易かつ高速でアドレス番号の確定が行える＞
（２３）図７９〜図８１及び図４４、図４５に示すようにランドとグルーブ共に予めアドレス確定/予測判定領域の場所が決定されているので、アドレス確定領域とアドレス予測領域を即座に判別し、それぞれに有ったアドレス番号情報の確定と予測が行えるので、アドレス情報再生処理方法が容易になるばかりでなく、高速でアドレス番号の確定が行えるので、相対的に高速なアクセス処理が可能となる。
【０３４５】
＜セグメント内の記録マーク再生信頼性＞
（２４）本発明ではＥＣＣブロック内を複数のセグメントに分割し、各セグメント間にヘッダを配置し、図８２に示すようにこのヘッダ領域内にトラックアドレス情報を配置している。その結果Ｌ／Ｇ記録でウォーブル変調によるアドレス情報を記録した場合でも、セグメント領域内への不定ビットの混入が防止でき、セグメント領域内の記録マークからは質の高い再生信号が得られ、記録マークからの高い再生信頼性が確保可能。
【０３４６】
以上説明したようにこの発明は、“高精細”な主映像、高画質な副映像の表示、大容量化、フォーマットの高い互換性確保、ＰＣデータの追記または書き換え、アドレス情報の再生に対する高信頼化、ウォーブル信号からの基準クロック抽出精度の向上、高速アクセスの保証、片面２記録層構造への拡張性の保証、を得る情報記録媒体の提供と前記情報記録媒体に対して安定にデータの再生が可能な情報再生装置もしくは安定にデータの記録が可能な情報記録再生装置を提供する。
【表１】
2008010147.tif 000017
【０３４７】
【表２】
2008010147.tif 000018
【図面の簡単な説明】
【０３４８】
【図１】この発明の係る情報記録媒体に対するファイル配置の例を示す図。
【図２】この発明の係る情報記録媒体に対するファイル配置の他の例を示す図。
【図３】この発明の係る情報記録媒体に対する映像情報の記録方法の説明図。
【図４】この発明の係る情報記録媒体に記録される副映像の圧縮規則の例を示す説明図。
【図５】この発明の係る情報記録媒体に記録される副映像を表す画素データの例を示す説明図。
【図６】副映像のユニットの例を示す説明図。
【図７】副映像のユニットとパケットとの関係を示す説明図。
【図８】副映像ユニットヘッダの説明図。
【図９】副映像ユニットヘッダの一部を示す説明図。
【図１０】この発明の係る情報記録媒体に記録される副映像の圧縮規則の他の例を示す説明図。
【図１１】図９に示す圧縮規則を更に示す説明図。
【図１２】本発明の実施の形態に係るランレングス圧縮ルールである、３ビットデータにおける３ビット８色表現のランレングス圧縮ルール（ライン単位）を示す図。
【図１３】本発明の実施の形態に係るランレングス圧縮ルールである、４ビットデータにおける４ビット１６色表現のランレングス圧縮ルール（ライン単位）を示す図。
【図１４】本発明の実施の形態に係るランレングス圧縮ルールに応じた実用的なデータ構造の一例を示す図。
【図１５】本発明の実施の形態に係るランレングス圧縮ルールに応じた実用的なデータ構造をユニット化した例を示す図。
【図１６】本発明の実施の形態に係るランレングス圧縮ルールに応じた実用的なデータ構造をユニット化した例を示す図。
【図１７】本発明の実施の形態に係るランレングス圧縮ルールに応じた実用的なデータ構造をユニット化した様々な場合の例を示す図。
【図１８】本発明の実施の形態に係るランレングス圧縮ルールである、４ビットデータにおける４ビット１６色表現のランレングス圧縮ルール（ライン単位）の他の例を示す図。
【図１９】表示制御シーケンステーブル（ＳＰ＿ＤＣＳＱＴ）の詳細を示す図、及び図１９中の表示制御シーケンス（ＳＰ＿ＤＣＳＱ）の詳細及び表示制御シーケンス（ＳＰ＿ＤＣＳＱ）の開始時刻の詳細を示す図。
【図２０】記録データフィールドを生成する処理手順を示す説明図。
【図２１】データフレームの構成を示す説明図。
【図２２】図２１のデータＩＤの内容を示す説明図。
【図２３】図２２のデータフィールド番号の内容を示す説明図。
【図２４】記録タイプの定義の説明図。
【図２５】メインデータにスクランブルを施す際のシフトレジスタの初期値の例と、そのシフトレジスタの説明図。
【図２６】ＥＣＣブロックの構造を示す説明図。
【図２７】スクランブルドフレームの配置例を示す説明図。
【図２８】ＥＣＣブロックにおいて、アウターパリティー（ＰＯ）が、左側ブロック、右側ブロックにそれぞれインターリーブされた様子を示す図。
【図２９】ＥＣＣブロックのデータが変調され同期コードが付加された様子を示す説明図。
【図３０】図２９の同期コードの種類を示す図。
【図３１】情報記録媒体（光ディスク）の物理セクタレイアウトナンバリングの例を示す図。
【図３２】再生専用情報記録媒体におけるリードインエリア（Lead-in  area）内のデータ構造説明図。
【図３３】書き換え形情報記録媒体における全体のデータ構造説明図。
【図３４】情報記録媒体上に記録されるデータのデータ単位の説明図。
【図３５】本発明再生専用情報記録媒体における第１の実施例と第２の実施例の違いを説明するために示した図。
【図３６】本発明に係る各種情報記録媒体毎のデータ記録形式の比較説明図。
【図３７】本発明における書き換え可能形情報記録媒体のゾーン構造を示す図。
【図３８】ウォーブル変調における１８０°位相変調とＮＲＺ法の説明図。
【図３９】ランド（Ｌ）／グルーブ（Ｇ）記録でウォーブル変調を行なった場合の不定ビット発生の原理説明図。
【図４０】グレイコードの例を示す図。
【図４１】本発明に係る特種トラックコードの説明図。
【図４２】本発明の書き換え形情報記録媒体上に記録される書き換え可能データのデータ記録方法の説明図。
【図４３】本発明の書き換え形情報記録媒体上のウォーブル情報の説明図。
【図４４】本発明の書き換え形情報記録媒体のウォーブルアドレスの配置領域におけるアドレスビットの配置に関する説明図。
【図４５】本発明の追記形情報記録媒体のウォーブルアドレスの配置領域におけるアドレスビットの配置に関する説明図。
【図４６】記録可能形情報記録媒体におけるウォーブルアドレスデータの作成プロセスの説明図。
【図４７】本発明の根底の考え方に適用されている信号とその処理内容の説明図。
【図４８】ウォブルアドレスデーターに対するスクランブル／デスクランブル処理の説明図。
【図４９】グレイコード特性を持ったＥＤＣ情報の設定方法を説明するための図。
【図５０】本発明の書き換え形情報記録媒体のウォーブルアドレスの配置領域におけるアドレスビットの配置に関する他の例を示す説明図。
【図５１】本発明の追記形情報記録媒体のウォーブルアドレスの配置領域におけるアドレスビットの配置に関する他の例を示す説明図。
【図５２】本発明の書き換え形情報記録媒体のウォーブルアドレスの配置領域におけるアドレスビットの配置に関するさらに他の例を示す説明図。
【図５３】Ｌ／Ｇ記録におけるランドの奇数／偶数識別情報の設定方法の説明図。
【図５４】Ｌ／Ｇ記録におけるランドの奇数／偶数識別情報の他の設定方法の説明図。
【図５５】書き換え形情報記録媒体のトラック番号情報の設定方法を示す図。
【図５６】グルーブ部でのアドレス推定方法の例の説明図。
【図５７】ランド部でのアドレス推定方法の例の説明図。
【図５８】グルーブ幅を変化させる方法の説明図。
【図５９】Ｌ／Ｇ記録におけるグルーブ領域内に不定ビットを配置する他の例を示す説明図。
【図６０】本発明に係る装置の記録系の説明図。
【図６１】本発明に係る装置の再生系の説明図。
【図６２】ウォブル信号復調回路の例を示す図。
【図６３】本発明に係る装置のウォブル信号の復調回路の例を示す図。
【図６４】ウォブル信号の波形処理を行う方法の説明図。
【図６５】同期信号の検出方法の説明図。
【図６６】図６５のアドレス検出器内の構成を示す図。
【図６７】同期信号検出器の具体例を示す図。
【図６８】ＲＯＭメディアにおけるヘッダ領域の一例を示した図。
【図６９】ヘッダ領域の別の例を示した図。
【図７０】グルーブウォブルをトラックアドレスデータによって位相変調させた時のトラック形態と、ランドでのウォブル検出信号の関係を示す図。
【図７１】グルーブウォブリングにおけるランドトラックでのアドレス検出値の説明図。
【図７２】グルーブウォブリングによるトラック番号とランドトラックでの検出データの説明図。
【図７３】アドレッシングフォーマットの例を示す図。
【図７４】奇数ランド／偶数ランド識別を行うための識別マーク方式の例を示す図。
【図７５】奇数ランド／偶数ランド識別を行うための識別マーク方式の他の例を示す図。
【図７６】奇数ランド／偶数ランド識別を行うための識別マーク方式の更に他の例を示す図。
【図７７】奇数ランド／偶数ランド識別を行うための識別マーク方式のまた他の例を示す図。
【図７８】ランドトラックのアドレス情報の埋め込み例を示す図。
【図７９】一部のグルーブ幅を変化させてランドアドレスを形成した例を示す図。
【図８０】グルーブ幅を一部変化させてランドトラックの奇数／偶数検出を行なうときの原理を示す説明図。
【図８１】書き換え形情報記録媒体のアドレッシングフォーマットの例を示す図。
【図８２】アドレス配置の例を示す説明図。
【図８３】この発明が適用された光ディスク装置の構成説明図。
【図８４】図８３の装置の信号処理系統をさらに示す構成説明図。
【図８５】副映像処理について説明するために示した図。
【符号の説明】
【０３４９】
１４１…情報記録再生部、１４２…インターフェース部、１４３…制御部、１４４…データ合成部、１４５…同期コード抽出部、１４６…同期コード選択部、１５０…ウォブル信号復調回路、１５１…変調回路、１５２…復調回路、１６１…ＥＣＣエンコーディング回路、１６２…ＥＣＣデコーディング回路、１６３、１６４…データ配置部分交換部、２２１…情報記憶（記憶）媒体、２２２、２２３…記録層。
【図１】
2008010147.tif 000019
【図２】
2008010147.tif 000020
【図３】
2008010147.tif 000021
【図４】
2008010147.tif 000022
【図５】
2008010147.tif 000023
【図６】
2008010147.tif 000024
【図７】
2008010147.tif 000025
【図８】
2008010147.tif 000026
【図９】
2008010147.tif 000027
【図１０】
2008010147.tif 000028
【図１１】
2008010147.tif 000029
【図１２】
2008010147.tif 000030
【図１３】
2008010147.tif 000031
【図１４】
2008010147.tif 000032
【図１５】
2008010147.tif 000033
【図１６】
2008010147.tif 000034
【図１７】
2008010147.tif 000035
【図１８】
2008010147.tif 000036
【図１９】
2008010147.tif 000037
【図２０】
2008010147.tif 000038
【図２１】
2008010147.tif 000039
【図２２】
2008010147.tif 000040
【図２３】
2008010147.tif 000041
【図２４】
2008010147.tif 000042
【図２５】
2008010147.tif 000043
【図２６】
2008010147.tif 000044
【図２７】
2008010147.tif 000045
【図２８】
2008010147.tif 000046
【図２９】
2008010147.tif 000047
【図３０】
2008010147.tif 000048
【図３１】
2008010147.tif 000049
【図３２】
2008010147.tif 000050
【図３３】
2008010147.tif 000051
【図３４】
2008010147.tif 000052
【図３５】
2008010147.tif 000053
【図３６】
2008010147.tif 000054
【図３７】
2008010147.tif 000055
【図３８】
2008010147.tif 000056
【図３９】
2008010147.tif 000057
【図４０】
2008010147.tif 000058
【図４１】
2008010147.tif 000059
【図４２】
2008010147.tif 000060
【図４３】
2008010147.tif 000061
【図４４】
2008010147.tif 000062
【図４５】
2008010147.tif 000063
【図４６】
2008010147.tif 000064
【図４７】
2008010147.tif 000065
【図４８】
2008010147.tif 000066
【図４９】
2008010147.tif 000067
【図５０】
2008010147.tif 000068
【図５１】
2008010147.tif 000069
【図５２】
2008010147.tif 000070
【図５３】
2008010147.tif 000071
【図５４】
2008010147.tif 000072
【図５５】
2008010147.tif 000073
【図５６】
2008010147.tif 000074
【図５７】
2008010147.tif 000075
【図５８】
2008010147.tif 000076
【図５９】
2008010147.tif 000077
【図６０】
2008010147.tif 000078
【図６１】
2008010147.tif 000079
【図６２】
2008010147.tif 000080
【図６３】
2008010147.tif 000081
【図６４】
2008010147.tif 000082
【図６５】
2008010147.tif 000083
【図６６】
2008010147.tif 000084
【図６７】
2008010147.tif 000085
【図６８】
2008010147.tif 000086
【図６９】
2008010147.tif 000087
【図７０】
2008010147.tif 000088
【図７１】
2008010147.tif 000089
【図７２】
2008010147.tif 000090
【図７３】
2008010147.tif 000091
【図７４】
2008010147.tif 000092
【図７５】
2008010147.tif 000093
【図７６】
2008010147.tif 000094
【図７７】
2008010147.tif 000095
【図７８】
2008010147.tif 000096
【図７９】
2008010147.tif 000097
【図８０】
2008010147.tif 000098
【図８１】
2008010147.tif 000099
【図８２】
2008010147.tif 000100
【図８３】
2008010147.tif 000101
【図８４】
2008010147.tif 000102
【図８５】
2008010147.tif 000103